(57)【要約】  本開示は、ハイブリッド自動再送要求確認コードブックの伝送方法及び機器を提供する。該方法において、目標下り伝送に対応するＨＡＲＱ−ＡＣＫフィードバック情報を含まない準静的ＨＡＲＱ−ＡＣＫコードブックを送信することを含む。目標下り伝送は、処理遅延要件を満たさない第１下り伝送、及び、第１ＰＤＣＣＨの後の第２ＰＤＣＣＨに対応する第２下り伝送の少なくとも１つを含む。ここで、準静的ＨＡＲＱ−ＡＣＫコードブックは、第１ＰＤＣＣＨによってスケジューリングされるＰＵＳＣＨで伝送される。【選択図】図４
2022500961.tif 000002
【特許請求の範囲】
【請求項１】
端末に応用されるハイブリッド自動再送要求確認ＨＡＲＱ−ＡＣＫコードブックの伝送方法であって、
目標下り伝送に対応するＨＡＲＱ−ＡＣＫフィードバック情報を含まない準静的ＨＡＲＱ−ＡＣＫコードブックを送信することを含み、
前記目標下り伝送は、
処理遅延要件を満たさない第１下り伝送、及び、第１ＰＤＣＣＨの後の第２ＰＤＣＣＨに対応する第２下り伝送の少なくとも１つを含み、
ここで、前記準静的ＨＡＲＱ−ＡＣＫコードブックは、前記第１ＰＤＣＣＨによってスケジューリングされるＰＵＳＣＨで伝送される、ハイブリッド自動再送要求確認ＨＡＲＱ−ＡＣＫコードブックの伝送方法。
【請求項２】
前記第１下り伝送は、ＰＤＣＣＨによってスケジューリングされるＰＤＳＣＨ、ＳＰＳ  ＰＤＳＣＨ及びＳＰＳ  ＰＤＳＣＨリリースのうちの少なくとも１つを含み、
前記第２下り伝送は、ＰＤＣＣＨによってスケジューリングされるＰＤＳＣＨ及びＳＰＳ  ＰＤＳＣＨリリースのうちの少なくとも１つを含む、請求項１に記載の伝送方法。
【請求項３】
前記第１下り伝送に対応するＨＡＲＱ−ＡＣＫフィードバック情報が前記準静的ＨＡＲＱ−ＡＣＫコードブックに含まれない場合、
第１所定条件を満たす下り伝送を前記第１下り伝送に決定し、
又は、第２所定条件を満たす下り伝送を前記第１下り伝送に決定し、
又は、前記第１所定条件又は前記第２所定条件を満たす下り伝送を前記第１下り伝送に決定し、
又は、前記第１所定条件と前記第２所定条件とを同時に満たす下り伝送を前記第１下り伝送に決定する、請求項１に記載の伝送方法。
【請求項４】
前記第１所定条件は、
下り伝送の終了シンボルが、ＨＡＲＱ−ＡＣＫコードブックを乗せた上りチャネルの開始シンボルの開始位置からＴ１時間前の最初のシンボル、最初の下りシンボル又は最初のフレキシブルＦｌｅｘｉｂｌｅシンボルである第１基準シンボルよりも遅いことを含み、
又は、下り伝送の終了シンボル又は終了時刻が、ＨＡＲＱ−ＡＣＫコードブックを乗せた上りチャネルの開始シンボルの開始位置からＴ１時間前の時刻である第１基準時刻よりも遅いことを含み、
又は、下り伝送の終了シンボル又は終了時刻と、ＨＡＲＱ−ＡＣＫを乗せた上りチャネルの開始シンボル又は開始時刻との時間間隔がＴ１時間よりも短いことを含み、
ここで、前記Ｔ１は、予め定義された値であり、又は、前記Ｔ１は、設定に応じて決定される値であり、又は、前記Ｔ１は、下り伝送によるＨＡＲＱ−ＡＣＫフィードバックの最小処理遅延である、請求項３に記載の伝送方法。
【請求項５】
前記Ｔ１は、以下のいずれかの式に従って算出される、請求項４に記載の伝送方法。
2022500961.tif 000027
ここで、下り伝送がＰＤＣＣＨによってスケジューリングされるＰＤＳＣＨである場合、μ１は、ＰＤＳＣＨをスケジューリングするＰＤＣＣＨ、ＰＤＳＣＨ、及びＰＵＣＣＨのそれぞれに対応するサブキャリア間隔のうち最小のサブキャリア間隔の番号であり、又は、μ１は、ＰＤＳＣＨをスケジューリングするＰＤＣＣＨ、ＰＤＳＣＨ、及びＰＵＣＣＨのそれぞれに対応するサブキャリア間隔のうち最大のＴ１値が得られるサブキャリア間隔の番号であり、及び／又は、下り伝送がＳＰＳ  ＰＤＳＣＨリリースである場合、μ１は、ＳＰＳ  ＰＤＳＣＨリリースを指示するＰＤＣＣＨ、及びＰＵＣＣＨのそれぞれに対応するサブキャリア間隔のうち最小のサブキャリア間隔の番号であり、又は、μ１は、ＳＰＳ  ＰＤＳＣＨリリースを指示するＰＤＣＣＨ、及びＰＵＣＣＨのそれぞれに対応するサブキャリア間隔のうち最大のＴ１値が得られるサブキャリア間隔の番号であり、及び／又は、下り伝送がＳＰＳ  ＰＤＳＣＨである場合、μ１は、ＳＰＳ  ＰＤＳＣＨ、及びＰＵＣＣＨのそれぞれに対応するサブキャリア間隔のうち最小のサブキャリア間隔の番号であり、又は、μ１は、ＳＰＳ  ＰＤＳＣＨ、及びＰＵＣＣＨのそれぞれに対応するサブキャリア間隔のうち最大のＴ１値が得られるサブキャリア間隔の番号であり、
2022500961.tif 000028
κは、ＬＴＥシステムの基本時間単位とＮＲの基本時間単位との比率である。
【請求項６】
前記第２所定条件は、
下り伝送に対応するＰＤＣＣＨの終了シンボルが、ＨＡＲＱ−ＡＣＫを乗せた上りチャネルの開始シンボルの開始位置からＴ２時間前の最初のシンボル、最初の下りシンボル又は最初のＦｌｅｘｉｂｌｅシンボルである第２基準シンボルよりも遅いことを含み、
又は、下り伝送に対応するＰＤＣＣＨの終了シンボル又は終了時刻が、ＨＡＲＱ−ＡＣＫを乗せた上りチャネルの開始シンボルの開始位置からＴ２時間前の時刻である第２基準時刻よりも遅いことを含み、
又は、下り伝送に対応するＰＤＣＣＨの終了シンボル又は終了時刻と、ＨＡＲＱ−ＡＣＫを乗せた上りチャネルの開始シンボル又は開始時刻との時間間隔がＴ２時間よりも短いことを含み、
ここで、前記Ｔ２は、予め定義された値であり、又は、前記Ｔ２は、設定に応じて決定される値であり、又は、前記Ｔ２は、１つの下り伝送のＨＡＲＱ−ＡＣＫと他の情報による多重伝送の最小処理遅延である、請求項３に記載の伝送方法。
【請求項７】
前記Ｔ２は、準静的ＨＡＲＱ−ＡＣＫコードブックを乗せた上りチャネルがＰＵＣＣＨである場合、以下のいずれかの式に従って算出される、請求項６に記載の伝送方法。
2022500961.tif 000029
ここで、下り伝送がＰＤＣＣＨによってスケジューリングされるＰＤＳＣＨである場合、μ２は、ＰＤＳＣＨをスケジューリングするＰＤＣＣＨ、ＰＤＳＣＨ、及びＰＵＣＣＨのそれぞれに対応するサブキャリア間隔のうち最小のサブキャリア間隔の番号であり、又は、μ２は、ＰＤＳＣＨをスケジューリングするＰＤＣＣＨ、ＰＤＳＣＨ、及びＰＵＣＣＨのそれぞれに対応するサブキャリア間隔のうち最大のＴ２値が得られるサブキャリア間隔の番号であり、及び／又は、下り伝送がＳＰＳ  ＰＤＳＣＨリリースである場合、μ２は、ＳＰＳ  ＰＤＳＣＨリリースを指示するＰＤＣＣＨ、及びＰＵＣＣＨのそれぞれに対応するサブキャリア間隔のうち最小のサブキャリア間隔の番号であり、又は、μ２は、ＳＰＳ  ＰＤＳＣＨリリースを指示するＰＤＣＣＨ、及びＰＵＣＣＨのそれぞれに対応するサブキャリア間隔のうち最大のＴ２値が得られるサブキャリア間隔の番号であり、及び／又は、下り伝送がＳＰＳ  ＰＤＳＣＨである場合、μ２は、ＳＰＳ  ＰＤＳＣＨ、及びＰＵＣＣＨのそれぞれに対応するサブキャリア間隔のうち最小のサブキャリア間隔の番号であり、又は、μ２は、ＳＰＳ  ＰＤＳＣＨ、及びＰＵＣＣＨのそれぞれに対応するサブキャリア間隔のうち最大のＴ２値が得られるサブキャリア間隔の番号であり、
2022500961.tif 000030
κは、ＬＴＥシステムの基本時間単位とＮＲの基本時間単位との比率である。
【請求項８】
前記Ｔ２は、準静的ＨＡＲＱ−ＡＣＫコードブックを乗せた上りチャネルがＰＵＳＣＨである場合、以下のいずれかの式に従って算出される、請求項６に記載の伝送方法。
2022500961.tif 000031
ここで、μ３は、下り伝送に対応するＰＤＣＣＨ、ＰＵＣＣＨ、及びＰＵＳＣＨのそれぞれに対応するサブキャリア間隔のうち最小のサブキャリア間隔の番号であり、又は、μ３は、下り伝送に対応するＰＤＣＣＨ、ＰＵＣＣＨ、及びＰＵＳＣＨのそれぞれに対応するサブキャリア間隔のうち最大のＴ２値が得られるサブキャリア間隔の番号であり、
μ４は、下り伝送及び／又はＰＵＳＣＨに対応するＰＤＣＣＨ、ＰＵＣＣＨ、及びＰＵＳＣＨのそれぞれに対応するサブキャリア間隔のうち最小のサブキャリア間隔の番号であり、又は、μ４は、下り伝送及び／又はＰＵＳＣＨに対応するＰＤＣＣＨ、ＰＵＣＣＨ、及びＰＵＳＣＨのそれぞれに対応するサブキャリア間隔のうち最大のＴ２値が得られるサブキャリア間隔の番号であり、
μ５は、下り伝送及び／又はＰＵＳＣＨに対応するＰＤＣＣＨ、ＰＵＣＣＨ、ＰＵＳＣＨ、及びＰＵＳＣＨに対応するＰＤＣＣＨに対応するＡ−ＣＳＩ−ＲＳのそれぞれに対応するサブキャリア間隔のうち最小のサブキャリア間隔の番号であり、又は、μ５は、下り伝送及び／又はＰＵＳＣＨに対応するＰＤＣＣＨ、ＰＵＣＣＨ、ＰＵＳＣＨ、及びＰＵＳＣＨに対応するＰＤＣＣＨに対応する非周期的チャネル状態情報基準信号Ａ−ＣＳＩ−ＲＳのそれぞれに対応するサブキャリア間隔のうち最大のＴ２値が得られるサブキャリア間隔の番号であり、
2022500961.tif 000032
ＰＵＳＣＨに対応するＰＤＣＣＨによって帯域幅部分ＢＷＰ切り替えをトリガーした場合、
2022500961.tif 000033
Ｚは、非周期的チャネル状態情報Ａ−ＣＳＩに対応する遅延であり、
ｄは、ＰＤＣＣＨとスケジューリングされるＰＤＳＣＨとの間で重なるシンボル数であり、
2022500961.tif 000034
κは、ＬＴＥシステムの基本時間単位とＮＲの基本時間単位との比率である。
【請求項９】
準静的ＨＡＲＱ−ＡＣＫコードブックがＰＵＣＣＨ上で伝送される場合、同一ＰＵＣＣＨ上での同時伝送が必要な複数の下り伝送の準静的ＨＡＲＱ−ＡＣＫコードブックが存在すれば、前記複数の下り伝送をスケジューリングするＰＤＣＣＨにおけるＰＵＣＣＨリソース指示フィールドは、同じＰＵＣＣＨリソースを指示する、請求項１〜７のいずれか１項に記載の伝送方法。
【請求項１０】
基地局に応用されるハイブリッド自動再送要求確認ＨＡＲＱ−ＡＣＫコードブックの伝送方法であって、
目標下り伝送に対応するＨＡＲＱ−ＡＣＫフィードバック情報を含まない準静的ＨＡＲＱ−ＡＣＫコードブックを受信することを含み、
前記目標下り伝送は、
処理遅延要件を満たさない第１下り伝送、及び、第１ＰＤＣＣＨの後の第２ＰＤＣＣＨに対応する第２下り伝送の少なくとも１つを含み、
ここで、前記準静的ＨＡＲＱ−ＡＣＫコードブックは、前記第１ＰＤＣＣＨによってスケジューリングされるＰＵＳＣＨで伝送される、ハイブリッド自動再送要求確認ＨＡＲＱ−ＡＣＫコードブックの伝送方法。
【請求項１１】
前記第１下り伝送は、ＰＤＣＣＨによってスケジューリングされるＰＤＳＣＨ、ＳＰＳ  ＰＤＳＣＨ及びＳＰＳ  ＰＤＳＣＨリリースのうちの少なくとも１つを含み、
前記第２下り伝送は、ＰＤＣＣＨによってスケジューリングされるＰＤＳＣＨ及びＳＰＳ  ＰＤＳＣＨリリースのうちの少なくとも１つを含む、請求項１０に記載の伝送方法。
【請求項１２】
前記準静的ＨＡＲＱ−ＡＣＫコードブックを受信することの前に、
前記準静的ＨＡＲＱ−ＡＣＫコードブックの長さを決定することを更に含む、請求項１０に記載の伝送方法。
【請求項１３】
前記第１下り伝送に対応するＨＡＲＱ−ＡＣＫフィードバック情報が前記準静的ＨＡＲＱ−ＡＣＫコードブックに含まれない場合、更に、
第１所定条件を満たす下り伝送を前記第１下り伝送に決定し、
又は、第２所定条件を満たす下り伝送を前記第１下り伝送に決定し、
又は、前記第１所定条件又は前記第２所定条件を満たす下り伝送を前記第１下り伝送に決定し、
又は、前記第１所定条件と前記第２所定条件とを同時に満たす下り伝送を前記第１下り伝送に決定する、請求項１２に記載の伝送方法。
【請求項１４】
前記第１所定条件は、
下り伝送の終了シンボルが、ＨＡＲＱ−ＡＣＫコードブックを乗せた上りチャネルの開始シンボルの開始位置からＴ１時間前の最初のシンボル、最初の下りシンボル又は最初のフレキシブルＦｌｅｘｉｂｌｅシンボルである第１基準シンボルよりも遅いことを含み、
又は、下り伝送の終了シンボル又は終了時刻が、ＨＡＲＱ−ＡＣＫコードブックを乗せた上りチャネルの開始シンボルの開始位置からＴ１時間前の時刻である第１基準時刻よりも遅いことを含み、
又は、下り伝送の終了シンボル又は終了時刻と、ＨＡＲＱ−ＡＣＫを乗せた上りチャネルの開始シンボル又は開始時刻との時間間隔がＴ１時間よりも短いことを含み、
ここで、前記Ｔ１は、予め定義された値であり、又は、前記Ｔ１は、設定に応じて決定される値であり、又は、前記Ｔ１は、下り伝送によるＨＡＲＱ−ＡＣＫフィードバックの最小処理遅延である、請求項１３に記載の伝送方法。
【請求項１５】
前記Ｔ１は、以下のいずれかの式に従って算出される、請求項１４に記載の伝送方法。
2022500961.tif 000035
ここで、下り伝送がＰＤＣＣＨによってスケジューリングされるＰＤＳＣＨである場合、μ１は、ＰＤＳＣＨをスケジューリングするＰＤＣＣＨ、ＰＤＳＣＨ、及びＰＵＣＣＨのそれぞれに対応するサブキャリア間隔のうち最小のサブキャリア間隔の番号であり、又は、μ１は、ＰＤＳＣＨをスケジューリングするＰＤＣＣＨ、ＰＤＳＣＨ、及びＰＵＣＣＨのそれぞれに対応するサブキャリア間隔のうち最大のＴ１値が得られるサブキャリア間隔の番号であり、及び／又は、下り伝送がＳＰＳ  ＰＤＳＣＨリリースである場合、μ１は、ＳＰＳ  ＰＤＳＣＨリリースを指示するＰＤＣＣＨ、及びＰＵＣＣＨのそれぞれに対応するサブキャリア間隔のうち最小のサブキャリア間隔の番号であり、又は、μ１は、ＳＰＳ  ＰＤＳＣＨリリースを指示するＰＤＣＣＨ、及びＰＵＣＣＨのそれぞれに対応するサブキャリア間隔のうち最大のＴ１値が得られるサブキャリア間隔の番号であり、及び／又は、下り伝送がＳＰＳ  ＰＤＳＣＨである場合、μ１は、ＳＰＳ  ＰＤＳＣＨ、及びＰＵＣＣＨのそれぞれに対応するサブキャリア間隔のうち最小のサブキャリア間隔の番号であり、又は、μ１は、ＳＰＳ  ＰＤＳＣＨ、及びＰＵＣＣＨのそれぞれに対応するサブキャリア間隔のうち最大のＴ１値が得られるサブキャリア間隔の番号であり、
2022500961.tif 000036
κは、ＬＴＥシステムの基本時間単位とＮＲの基本時間単位との比率である。
【請求項１６】
前記第２所定条件は、
下り伝送に対応するＰＤＣＣＨの終了シンボルが、ＨＡＲＱ−ＡＣＫを乗せた上りチャネルの開始シンボルの開始位置からＴ２時間前の最初のシンボル、最初の下りシンボル又は最初のＦｌｅｘｉｂｌｅシンボルである第２基準シンボルよりも遅いことを含み、
又は、下り伝送に対応するＰＤＣＣＨの終了シンボル又は終了時刻が、ＨＡＲＱ−ＡＣＫを乗せた上りチャネルの開始シンボルの開始位置からＴ２時間前の時刻である第２基準時刻よりも遅いことを含み、
又は、下り伝送に対応するＰＤＣＣＨの終了シンボル又は終了時刻と、ＨＡＲＱ−ＡＣＫを乗せた上りチャネルの開始シンボル又は開始時刻との時間間隔がＴ２時間よりも短いことを含み、
ここで、前記Ｔ２は、予め定義された値であり、又は、前記Ｔ２は、設定に応じて決定される値であり、又は、前記Ｔ２は、１つの下り伝送のＨＡＲＱ−ＡＣＫと他の情報による多重伝送の最小処理遅延である、請求項１３に記載の伝送方法。
【請求項１７】
前記Ｔ２は、準静的ＨＡＲＱ−ＡＣＫコードブックを乗せた上りチャネルがＰＵＣＣＨである場合、以下のいずれかの式に従って算出される、請求項１６に記載の伝送方法。
2022500961.tif 000037
ここで、下り伝送がＰＤＣＣＨによってスケジューリングされるＰＤＳＣＨである場合、μ２は、ＰＤＳＣＨをスケジューリングするＰＤＣＣＨ、ＰＤＳＣＨ、及びＰＵＣＣＨのそれぞれに対応するサブキャリア間隔のうち最小のサブキャリア間隔の番号であり、又は、μ２は、ＰＤＳＣＨをスケジューリングするＰＤＣＣＨ、ＰＤＳＣＨ、及びＰＵＣＣＨのそれぞれに対応するサブキャリア間隔のうち最大のＴ２値が得られるサブキャリア間隔の番号であり、及び／又は、下り伝送がＳＰＳ  ＰＤＳＣＨリリースである場合、μ２は、ＳＰＳ  ＰＤＳＣＨリリースを指示するＰＤＣＣＨ、及びＰＵＣＣＨのそれぞれに対応するサブキャリア間隔のうち最小のサブキャリア間隔の番号であり、又は、μ２は、ＳＰＳ  ＰＤＳＣＨリリースを指示するＰＤＣＣＨ、及びＰＵＣＣＨのそれぞれに対応するサブキャリア間隔のうち最大のＴ２値が得られるサブキャリア間隔の番号であり、及び／又は、下り伝送がＳＰＳ  ＰＤＳＣＨである場合、μ２は、ＳＰＳ  ＰＤＳＣＨ、及びＰＵＣＣＨのそれぞれに対応するサブキャリア間隔のうち最小のサブキャリア間隔の番号であり、又は、μ２は、ＳＰＳ  ＰＤＳＣＨ、及びＰＵＣＣＨのそれぞれに対応するサブキャリア間隔のうち最大のＴ２値が得られるサブキャリア間隔の番号であり、
2022500961.tif 000038
κは、ＬＴＥシステムの基本時間単位とＮＲの基本時間単位との比率である。
【請求項１８】
前記Ｔ２は、準静的ＨＡＲＱ−ＡＣＫコードブックを乗せた上りチャネルがＰＵＳＣＨである場合、以下のいずれかの式に従って算出される、請求項１６に記載の伝送方法。
2022500961.tif 000039
ここで、μ３は、下り伝送に対応するＰＤＣＣＨ、ＰＵＣＣＨ、及びＰＵＳＣＨのそれぞれに対応するサブキャリア間隔のうち最小のサブキャリア間隔の番号であり、又は、μ３は、下り伝送に対応するＰＤＣＣＨ、ＰＵＣＣＨ、及びＰＵＳＣＨのそれぞれに対応するサブキャリア間隔のうち最大のＴ２値が得られるサブキャリア間隔の番号であり、
μ４は、下り伝送及び／又はＰＵＳＣＨに対応するＰＤＣＣＨ、ＰＵＣＣＨ、及びＰＵＳＣＨのそれぞれに対応するサブキャリア間隔のうち最小のサブキャリア間隔の番号であり、又は、μ４は、下り伝送及び／又はＰＵＳＣＨに対応するＰＤＣＣＨ、ＰＵＣＣＨ、及びＰＵＳＣＨのそれぞれに対応するサブキャリア間隔のうち最大のＴ２値が得られるサブキャリア間隔の番号であり、
μ５は、下り伝送及び／又はＰＵＳＣＨに対応するＰＤＣＣＨ、ＰＵＣＣＨ、ＰＵＳＣＨ、及びＰＵＳＣＨに対応するＰＤＣＣＨに対応するＡ−ＣＳＩ−ＲＳのそれぞれに対応するサブキャリア間隔のうち最小のサブキャリア間隔の番号であり、又は、μ５は、下り伝送及び／又はＰＵＳＣＨに対応するＰＤＣＣＨ、ＰＵＣＣＨ、ＰＵＳＣＨ、及びＰＵＳＣＨに対応するＰＤＣＣＨに対応する非周期的チャネル状態情報基準信号Ａ−ＣＳＩ−ＲＳのそれぞれに対応するサブキャリア間隔のうち最大のＴ２値が得られるサブキャリア間隔の番号であり、
2022500961.tif 000040
ＰＵＳＣＨに対応するＰＤＣＣＨによって帯域幅部分ＢＷＰ切り替えをトリガーした場合、
2022500961.tif 000041
Ｚは、非周期的チャネル状態情報Ａ−ＣＳＩに対応する遅延であり、
ｄは、ＰＤＣＣＨとスケジューリングされるＰＤＳＣＨとの間で重なるシンボル数であり、
2022500961.tif 000042
κは、ＬＴＥシステムの基本時間単位とＮＲの基本時間単位との比率である。
【請求項１９】
準静的ＨＡＲＱ−ＡＣＫコードブックがＰＵＣＣＨ上で伝送される場合、同一ＰＵＣＣＨ上での同時伝送が必要な複数の下り伝送の準静的ＨＡＲＱ−ＡＣＫコードブックが存在すれば、前記複数の下り伝送をスケジューリングするＰＤＣＣＨにおけるＰＵＣＣＨリソース指示フィールドは、同じＰＵＣＣＨリソースを指示する、請求項１０〜１７のいずれか１項に記載の伝送方法。
【請求項２０】
トランシーバと、メモリと、プロセッサと、前記メモリに格納されて前記プロセッサで実行可能なプログラムとを含む端末であって、
前記トランシーバは、
目標下り伝送に対応するＨＡＲＱ−ＡＣＫフィードバック情報を含まない準静的ＨＡＲＱ−ＡＣＫコードブックを送信し、
前記目標下り伝送は、
処理遅延要件を満たさない第１下り伝送、及び、第１ＰＤＣＣＨの後の第２ＰＤＣＣＨに対応する第２下り伝送の少なくとも１つを含み、
ここで、前記準静的ＨＡＲＱ−ＡＣＫコードブックは、前記第１ＰＤＣＣＨによってスケジューリングされるＰＵＳＣＨで伝送される、端末。
【請求項２１】
前記第１下り伝送は、ＰＤＣＣＨによってスケジューリングされるＰＤＳＣＨ、ＳＰＳ  ＰＤＳＣＨ及びＳＰＳ  ＰＤＳＣＨリリースのうちの少なくとも１つを含み、
前記第２下り伝送は、ＰＤＣＣＨによってスケジューリングされるＰＤＳＣＨ及びＳＰＳ  ＰＤＳＣＨリリースのうちの少なくとも１つを含む、請求項２０に記載の端末。
【請求項２２】
前記プロセッサは、メモリの中のプログラムを読み取ることによって、
前記第１下り伝送に対応するＨＡＲＱ−ＡＣＫフィードバック情報が前記準静的ＨＡＲＱ−ＡＣＫコードブックに含まれない場合、前記下り伝送に対応する準静的ＨＡＲＱ−ＡＣＫコードブックを送信する前に、更に、
第１所定条件を満たす下り伝送を前記第１下り伝送に決定するプロセス、
又は、第２所定条件を満たす下り伝送を前記第１下り伝送に決定するプロセス、
又は、前記第１所定条件又は前記第２所定条件を満たす下り伝送を前記第１下り伝送に決定するプロセス、
又は、前記第１所定条件と前記第２所定条件とを同時に満たす下り伝送を前記第１下り伝送に決定するプロセスを実行する、請求項２０に記載の端末。
【請求項２３】
前記第１所定条件は、
下り伝送の終了シンボルが、ＨＡＲＱ−ＡＣＫコードブックを乗せた上りチャネルの開始シンボルの開始位置からＴ１時間前の最初のシンボル、最初の下りシンボル又は最初のフレキシブルＦｌｅｘｉｂｌｅシンボルである第１基準シンボルよりも遅いことを含み、
又は、下り伝送の終了シンボル又は終了時刻が、ＨＡＲＱ−ＡＣＫコードブックを乗せた上りチャネルの開始シンボルの開始位置からＴ１時間前の時刻である第１基準時刻よりも遅いことを含み、
又は、下り伝送の終了シンボル又は終了時刻と、ＨＡＲＱ−ＡＣＫを乗せた上りチャネルの開始シンボル又は開始時刻との時間間隔がＴ１時間よりも短いことを含み、
ここで、前記Ｔ１は、予め定義された値であり、又は、前記Ｔ１は、設定に応じて決定される値であり、又は、前記Ｔ１は、下り伝送によるＨＡＲＱ−ＡＣＫフィードバックの最小処理遅延である、請求項２２に記載の端末。
【請求項２４】
前記Ｔ１は、以下のいずれかの式に従って算出される、請求項２３に記載の端末。
2022500961.tif 000043
2022500961.tif 000044
ここで、下り伝送がＰＤＣＣＨによってスケジューリングされるＰＤＳＣＨである場合、μ１は、ＰＤＳＣＨをスケジューリングするＰＤＣＣＨ、ＰＤＳＣＨ、及びＰＵＣＣＨのそれぞれに対応するサブキャリア間隔のうち最小のサブキャリア間隔の番号であり、又は、μ１は、ＰＤＳＣＨをスケジューリングするＰＤＣＣＨ、ＰＤＳＣＨ、及びＰＵＣＣＨのそれぞれに対応するサブキャリア間隔のうち最大のＴ１値が得られるサブキャリア間隔の番号であり、及び／又は、下り伝送がＳＰＳ  ＰＤＳＣＨリリースである場合、μ１は、ＳＰＳ  ＰＤＳＣＨリリースを指示するＰＤＣＣＨ、及びＰＵＣＣＨのそれぞれに対応するサブキャリア間隔のうち最小のサブキャリア間隔の番号であり、又は、μ１は、ＳＰＳ  ＰＤＳＣＨリリースを指示するＰＤＣＣＨ、及びＰＵＣＣＨのそれぞれに対応するサブキャリア間隔のうち最大のＴ１値が得られるサブキャリア間隔の番号であり、及び／又は、下り伝送がＳＰＳ  ＰＤＳＣＨである場合、μ１は、ＳＰＳ  ＰＤＳＣＨ、及びＰＵＣＣＨのそれぞれに対応するサブキャリア間隔のうち最小のサブキャリア間隔の番号であり、又は、μ１は、ＳＰＳ  ＰＤＳＣＨ、及びＰＵＣＣＨのそれぞれに対応するサブキャリア間隔のうち最大のＴ１値が得られるサブキャリア間隔の番号であり、
2022500961.tif 000045
κは、ＬＴＥシステムの基本時間単位とＮＲの基本時間単位との比率である。
【請求項２５】
前記第２所定条件は、
下り伝送に対応するＰＤＣＣＨの終了シンボルが、ＨＡＲＱ−ＡＣＫを乗せた上りチャネルの開始シンボルの開始位置からＴ２時間前の最初のシンボル、最初の下りシンボル又は最初のＦｌｅｘｉｂｌｅシンボルである第２基準シンボルよりも遅いことを含み、
又は、下り伝送に対応するＰＤＣＣＨの終了シンボル又は終了時刻が、ＨＡＲＱ−ＡＣＫを乗せた上りチャネルの開始シンボルの開始位置からＴ２時間前の時刻である第２基準時刻よりも遅いことを含み、
又は、下り伝送に対応するＰＤＣＣＨの終了シンボル又は終了時刻と、ＨＡＲＱ−ＡＣＫを乗せた上りチャネルの開始シンボル又は開始時刻との時間間隔がＴ２時間よりも短いことを含み、
ここで、前記Ｔ２は、予め定義された値であり、又は、前記Ｔ２は、設定に応じて決定される値であり、又は、前記Ｔ２は、１つの下り伝送のＨＡＲＱ−ＡＣＫと他の情報による多重伝送の最小処理遅延である、請求項２２に記載の端末。
【請求項２６】
前記Ｔ２は、準静的ＨＡＲＱ−ＡＣＫコードブックを乗せた上りチャネルがＰＵＣＣＨである場合、以下のいずれかの式に従って算出される、請求項２５に記載の端末。
2022500961.tif 000046
ここで、下り伝送がＰＤＣＣＨによってスケジューリングされるＰＤＳＣＨである場合、μ２は、ＰＤＳＣＨをスケジューリングするＰＤＣＣＨ、ＰＤＳＣＨ、及びＰＵＣＣＨのそれぞれに対応するサブキャリア間隔のうち最小のサブキャリア間隔の番号であり、又は、μ２は、ＰＤＳＣＨをスケジューリングするＰＤＣＣＨ、ＰＤＳＣＨ、及びＰＵＣＣＨのそれぞれに対応するサブキャリア間隔のうち最大のＴ２値が得られるサブキャリア間隔の番号であり、及び／又は、下り伝送がＳＰＳ  ＰＤＳＣＨリリースである場合、μ２は、ＳＰＳ  ＰＤＳＣＨリリースを指示するＰＤＣＣＨ、及びＰＵＣＣＨのそれぞれに対応するサブキャリア間隔のうち最小のサブキャリア間隔の番号であり、又は、μ２は、ＳＰＳ  ＰＤＳＣＨリリースを指示するＰＤＣＣＨ、及びＰＵＣＣＨのそれぞれに対応するサブキャリア間隔のうち最大のＴ２値が得られるサブキャリア間隔の番号であり、及び／又は、下り伝送がＳＰＳ  ＰＤＳＣＨである場合、μ２は、ＳＰＳ  ＰＤＳＣＨ、及びＰＵＣＣＨのそれぞれに対応するサブキャリア間隔のうち最小のサブキャリア間隔の番号であり、又は、μ２は、ＳＰＳ  ＰＤＳＣＨ、及びＰＵＣＣＨのそれぞれに対応するサブキャリア間隔のうち最大のＴ２値が得られるサブキャリア間隔の番号であり、
2022500961.tif 000047
κは、ＬＴＥシステムの基本時間単位とＮＲの基本時間単位との比率である。
【請求項２７】
前記Ｔ２は、準静的ＨＡＲＱ−ＡＣＫコードブックを乗せた上りチャネルがＰＵＳＣＨである場合、以下のいずれかの式に従って算出される、請求項２５に記載の端末。
2022500961.tif 000048
ここで、μ３は、下り伝送に対応するＰＤＣＣＨ、ＰＵＣＣＨ、及びＰＵＳＣＨのそれぞれに対応するサブキャリア間隔のうち最小のサブキャリア間隔の番号であり、又は、μ３は、下り伝送に対応するＰＤＣＣＨ、ＰＵＣＣＨ、及びＰＵＳＣＨのそれぞれに対応するサブキャリア間隔のうち最大のＴ２値が得られるサブキャリア間隔の番号であり、
μ４は、下り伝送及び／又はＰＵＳＣＨに対応するＰＤＣＣＨ、ＰＵＣＣＨ、及びＰＵＳＣＨのそれぞれに対応するサブキャリア間隔のうち最小のサブキャリア間隔の番号であり、又は、μ４は、下り伝送及び／又はＰＵＳＣＨに対応するＰＤＣＣＨ、ＰＵＣＣＨ、及びＰＵＳＣＨのそれぞれに対応するサブキャリア間隔のうち最大のＴ２値が得られるサブキャリア間隔の番号であり、
μ５は、下り伝送及び／又はＰＵＳＣＨに対応するＰＤＣＣＨ、ＰＵＣＣＨ、ＰＵＳＣＨ、及びＰＵＳＣＨに対応するＰＤＣＣＨに対応するＡ−ＣＳＩ−ＲＳのそれぞれに対応するサブキャリア間隔のうち最小のサブキャリア間隔の番号であり、又は、μ５は、下り伝送及び／又はＰＵＳＣＨに対応するＰＤＣＣＨ、ＰＵＣＣＨ、ＰＵＳＣＨ、及びＰＵＳＣＨに対応するＰＤＣＣＨに対応する非周期的チャネル状態情報基準信号Ａ−ＣＳＩ−ＲＳのそれぞれに対応するサブキャリア間隔のうち最大のＴ２値が得られるサブキャリア間隔の番号であり、
2022500961.tif 000049
ＰＵＳＣＨに対応するＰＤＣＣＨによって帯域幅部分ＢＷＰ切り替えをトリガーした場合、
2022500961.tif 000050
Ｚは、非周期的チャネル状態情報Ａ−ＣＳＩに対応する遅延であり、
ｄは、ＰＤＣＣＨとスケジューリングされるＰＤＳＣＨとの間で重なるシンボル数であり、
2022500961.tif 000051
κは、ＬＴＥシステムの基本時間単位とＮＲの基本時間単位との比率である。
【請求項２８】
準静的ＨＡＲＱ−ＡＣＫコードブックがＰＵＣＣＨ上で伝送される場合、同一ＰＵＣＣＨ上での同時伝送が必要な複数の下り伝送の準静的ＨＡＲＱ−ＡＣＫコードブックが存在すれば、前記複数の下り伝送をスケジューリングするＰＤＣＣＨにおけるＰＵＣＣＨリソース指示フィールドは、同じＰＵＣＣＨリソースを指示する、請求項２０〜２６のいずれか１項に記載の端末。
【請求項２９】
目標下り伝送に対応するＨＡＲＱ−ＡＣＫフィードバック情報を含まない準静的ＨＡＲＱ−ＡＣＫコードブックを送信する送信ユニットを含み、
前記目標下り伝送は、
処理遅延要件を満たさない第１下り伝送、及び、第１ＰＤＣＣＨの後の第２ＰＤＣＣＨに対応する第２下り伝送の少なくとも１つを含み、
ここで、前記準静的ＨＡＲＱ−ＡＣＫコードブックは、前記第１ＰＤＣＣＨによってスケジューリングされるＰＵＳＣＨで伝送される、端末。
【請求項３０】
トランシーバと、メモリと、プロセッサと、前記メモリに格納されて前記プロセッサで実行可能なプログラムとを含む基地局であって、
前記トランシーバは、
目標下り伝送に対応するＨＡＲＱ−ＡＣＫフィードバック情報を含まない準静的ＨＡＲＱ−ＡＣＫコードブックを受信し、
前記目標下り伝送は、
処理遅延要件を満たさない第１下り伝送、及び、第１ＰＤＣＣＨの後の第２ＰＤＣＣＨに対応する第２下り伝送の少なくとも１つを含み、
ここで、前記準静的ＨＡＲＱ−ＡＣＫコードブックは、前記第１ＰＤＣＣＨによってスケジューリングされるＰＵＳＣＨで伝送される、基地局。
【請求項３１】
前記第１下り伝送は、ＰＤＣＣＨによってスケジューリングされるＰＤＳＣＨ、ＳＰＳ  ＰＤＳＣＨ及びＳＰＳ  ＰＤＳＣＨリリースのうちの少なくとも１つを含み、
前記第２下り伝送は、ＰＤＣＣＨによってスケジューリングされるＰＤＳＣＨ及びＳＰＳ  ＰＤＳＣＨリリースのうちの少なくとも１つを含む、請求項３０に記載の基地局。
【請求項３２】
前記プロセッサは、メモリの中のプログラムを読み取ることによって、
前記準静的ＨＡＲＱ−ＡＣＫコードブックを受信する前に、前記準静的ＨＡＲＱ−ＡＣＫコードブックの長さを決定するプロセスを実行する、請求項３０に記載の基地局。
【請求項３３】
前記プロセッサは、更に、前記第１下り伝送に対応するＨＡＲＱ−ＡＣＫフィードバック情報が前記準静的ＨＡＲＱ−ＡＣＫコードブックに含まれない場合、
第１所定条件を満たす下り伝送を前記第１下り伝送に決定し、
又は、第２所定条件を満たす下り伝送を前記第１下り伝送に決定し、
又は、前記第１所定条件又は前記第２所定条件を満たす下り伝送を前記第１下り伝送に決定し、
又は、前記第１所定条件と前記第２所定条件とを同時に満たす下り伝送を前記第１下り伝送に決定する、請求項３２に記載の基地局。
【請求項３４】
前記第１所定条件は、
下り伝送の終了シンボルが、ＨＡＲＱ−ＡＣＫコードブックを乗せた上りチャネルの開始シンボルの開始位置からＴ１時間前の最初のシンボル、最初の下りシンボル又は最初のフレキシブルＦｌｅｘｉｂｌｅシンボルである第１基準シンボルよりも遅いことを含み、
又は、下り伝送の終了シンボル又は終了時刻が、ＨＡＲＱ−ＡＣＫコードブックを乗せた上りチャネルの開始シンボルの開始位置からＴ１時間前の時刻である第１基準時刻よりも遅いことを含み、
又は、下り伝送の終了シンボル又は終了時刻と、ＨＡＲＱ−ＡＣＫを乗せた上りチャネルの開始シンボル又は開始時刻との時間間隔がＴ１時間よりも短いことを含み、
ここで、前記Ｔ１は、予め定義された値であり、又は、前記Ｔ１は、設定に応じて決定される値であり、又は、前記Ｔ１は、下り伝送によるＨＡＲＱ−ＡＣＫフィードバックの最小処理遅延である、請求項３３に記載の基地局。
【請求項３５】
前記Ｔ１は、以下のいずれかの式に従って算出される、請求項３４に記載の基地局。
2022500961.tif 000052
ここで、下り伝送がＰＤＣＣＨによってスケジューリングされるＰＤＳＣＨである場合、μ１は、ＰＤＳＣＨをスケジューリングするＰＤＣＣＨ、ＰＤＳＣＨ、及びＰＵＣＣＨのそれぞれに対応するサブキャリア間隔のうち最小のサブキャリア間隔の番号であり、又は、μ１は、ＰＤＳＣＨをスケジューリングするＰＤＣＣＨ、ＰＤＳＣＨ、及びＰＵＣＣＨのそれぞれに対応するサブキャリア間隔のうち最大のＴ１値が得られるサブキャリア間隔の番号であり、及び／又は、下り伝送がＳＰＳ  ＰＤＳＣＨリリースである場合、μ１は、ＳＰＳ  ＰＤＳＣＨリリースを指示するＰＤＣＣＨ、及びＰＵＣＣＨのそれぞれに対応するサブキャリア間隔のうち最小のサブキャリア間隔の番号であり、又は、μ１は、ＳＰＳ  ＰＤＳＣＨリリースを指示するＰＤＣＣＨ、及びＰＵＣＣＨのそれぞれに対応するサブキャリア間隔のうち最大のＴ１値が得られるサブキャリア間隔の番号であり、及び／又は、下り伝送がＳＰＳ  ＰＤＳＣＨである場合、μ１は、ＳＰＳ  ＰＤＳＣＨ、及びＰＵＣＣＨのそれぞれに対応するサブキャリア間隔のうち最小のサブキャリア間隔の番号であり、又は、μ１は、ＳＰＳ  ＰＤＳＣＨ、及びＰＵＣＣＨのそれぞれに対応するサブキャリア間隔のうち最大のＴ１値が得られるサブキャリア間隔の番号であり、
2022500961.tif 000053
κは、ＬＴＥシステムの基本時間単位とＮＲの基本時間単位との比率である。
【請求項３６】
前記第２所定条件は、
下り伝送に対応するＰＤＣＣＨの終了シンボルが、ＨＡＲＱ−ＡＣＫを乗せた上りチャネルの開始シンボルの開始位置からＴ２時間前の最初のシンボル、最初の下りシンボル又は最初のＦｌｅｘｉｂｌｅシンボルである第２基準シンボルよりも遅いことを含み、
又は、下り伝送に対応するＰＤＣＣＨの終了シンボル又は終了時刻が、ＨＡＲＱ−ＡＣＫを乗せた上りチャネルの開始シンボルの開始位置からＴ２時間前の時刻である第２基準時刻よりも遅いことを含み、
又は、下り伝送に対応するＰＤＣＣＨの終了シンボル又は終了時刻と、ＨＡＲＱ−ＡＣＫを乗せた上りチャネルの開始シンボル又は開始時刻との時間間隔がＴ２時間よりも短いことを含み、
ここで、前記Ｔ２は、予め定義された値であり、又は、前記Ｔ２は、設定に応じて決定される値であり、又は、前記Ｔ２は、１つの下り伝送のＨＡＲＱ−ＡＣＫと他の情報による多重伝送の最小処理遅延である、請求項３３に記載の基地局。
【請求項３７】
前記Ｔ２は、準静的ＨＡＲＱ−ＡＣＫコードブックを乗せた上りチャネルがＰＵＣＣＨである場合、以下のいずれかの式に従って算出される、請求項３６に記載の基地局。
2022500961.tif 000054
ここで、下り伝送がＰＤＣＣＨによってスケジューリングされるＰＤＳＣＨである場合、μ２は、ＰＤＳＣＨをスケジューリングするＰＤＣＣＨ、ＰＤＳＣＨ、及びＰＵＣＣＨのそれぞれに対応するサブキャリア間隔のうち最小のサブキャリア間隔の番号であり、又は、μ２は、ＰＤＳＣＨをスケジューリングするＰＤＣＣＨ、ＰＤＳＣＨ、及びＰＵＣＣＨのそれぞれに対応するサブキャリア間隔のうち最大のＴ２値が得られるサブキャリア間隔の番号であり、及び／又は、下り伝送がＳＰＳ  ＰＤＳＣＨリリースである場合、μ２は、ＳＰＳ  ＰＤＳＣＨリリースを指示するＰＤＣＣＨ、及びＰＵＣＣＨのそれぞれに対応するサブキャリア間隔のうち最小のサブキャリア間隔の番号であり、又は、μ２は、ＳＰＳ  ＰＤＳＣＨリリースを指示するＰＤＣＣＨ、及びＰＵＣＣＨのそれぞれに対応するサブキャリア間隔のうち最大のＴ２値が得られるサブキャリア間隔の番号であり、及び／又は、下り伝送がＳＰＳ  ＰＤＳＣＨである場合、μ２は、ＳＰＳ  ＰＤＳＣＨ、及びＰＵＣＣＨのそれぞれに対応するサブキャリア間隔のうち最小のサブキャリア間隔の番号であり、又は、μ２は、ＳＰＳ  ＰＤＳＣＨ、及びＰＵＣＣＨのそれぞれに対応するサブキャリア間隔のうち最大のＴ２値が得られるサブキャリア間隔の番号であり、
2022500961.tif 000055
κは、ＬＴＥシステムの基本時間単位とＮＲの基本時間単位との比率である。
【請求項３８】
前記Ｔ２は、準静的ＨＡＲＱ−ＡＣＫコードブックを乗せた上りチャネルがＰＵＳＣＨである場合、以下のいずれかの式に従って算出される、請求項３６に記載の基地局。
2022500961.tif 000056
ここで、μ３は、下り伝送に対応するＰＤＣＣＨ、ＰＵＣＣＨ、及びＰＵＳＣＨのそれぞれに対応するサブキャリア間隔のうち最小のサブキャリア間隔の番号であり、又は、μ３は、下り伝送に対応するＰＤＣＣＨ、ＰＵＣＣＨ、及びＰＵＳＣＨのそれぞれに対応するサブキャリア間隔のうち最大のＴ２値が得られるサブキャリア間隔の番号であり、
μ４は、下り伝送及び／又はＰＵＳＣＨに対応するＰＤＣＣＨ、ＰＵＣＣＨ、及びＰＵＳＣＨのそれぞれに対応するサブキャリア間隔のうち最小のサブキャリア間隔の番号であり、又は、μ４は、下り伝送及び／又はＰＵＳＣＨに対応するＰＤＣＣＨ、ＰＵＣＣＨ、及びＰＵＳＣＨのそれぞれに対応するサブキャリア間隔のうち最大のＴ２値が得られるサブキャリア間隔の番号であり、
μ５は、下り伝送及び／又はＰＵＳＣＨに対応するＰＤＣＣＨ、ＰＵＣＣＨ、ＰＵＳＣＨ、及びＰＵＳＣＨに対応するＰＤＣＣＨに対応するＡ−ＣＳＩ−ＲＳのそれぞれに対応するサブキャリア間隔のうち最小のサブキャリア間隔の番号であり、又は、μ５は、下り伝送及び／又はＰＵＳＣＨに対応するＰＤＣＣＨ、ＰＵＣＣＨ、ＰＵＳＣＨ、及びＰＵＳＣＨに対応するＰＤＣＣＨに対応する非周期的チャネル状態情報基準信号Ａ−ＣＳＩ−ＲＳのそれぞれに対応するサブキャリア間隔のうち最大のＴ２値が得られるサブキャリア間隔の番号であり、
2022500961.tif 000057
ＰＵＳＣＨに対応するＰＤＣＣＨによって帯域幅部分ＢＷＰ切り替えをトリガーした場合、
2022500961.tif 000058
Ｚは、非周期的チャネル状態情報Ａ−ＣＳＩに対応する遅延であり、
ｄは、ＰＤＣＣＨとスケジューリングされるＰＤＳＣＨとの間で重なるシンボル数であり、
2022500961.tif 000059
κは、ＬＴＥシステムの基本時間単位とＮＲの基本時間単位との比率である。
【請求項３９】
前記プロセッサは、更に、準静的ＨＡＲＱ−ＡＣＫコードブックがＰＵＣＣＨ上で伝送される場合、同一ＰＵＣＣＨ上での同時伝送が必要な複数の下り伝送の準静的ＨＡＲＱ−ＡＣＫコードブックが存在すれば、前記複数の下り伝送をスケジューリングするＰＤＣＣＨにおけるＰＵＣＣＨリソース指示フィールドによって同じＰＵＣＣＨリソースを指示する、請求項３０〜３７のいずれか１項に記載の基地局。
【請求項４０】
目標下り伝送に対応するＨＡＲＱ−ＡＣＫフィードバック情報を含まない準静的ＨＡＲＱ−ＡＣＫコードブックを受信する受信ユニットを含み、
前記目標下り伝送は、
処理遅延要件を満たさない第１下り伝送、及び、第１ＰＤＣＣＨの後の第２ＰＤＣＣＨに対応する第２下り伝送の少なくとも１つを含み、
ここで、前記準静的ＨＡＲＱ−ＡＣＫコードブックは、前記第１ＰＤＣＣＨによってスケジューリングされるＰＵＳＣＨで伝送される、基地局。
【請求項４１】
コマンドを含むコンピュータ読み取り可能な記憶媒体であって、
前記コマンドがプロセッサによって実行されると、請求項１〜１９のいずれか１項に記載のハイブリッド自動再送要求確認コードブックの伝送方法を前記プロセッサに実行させる、コンピュータ読み取り可能な記憶媒体。
【発明の詳細な説明】
【技術分野】
【０００１】（関連出願の相互参照）
本願は、２０１８年９月２１日に中国特許庁に提出された中国特許出願２０１８１１１０９８７５．Ｘの優先権を主張し、その全ての内容が援用によりここに取り込まれる。
（技術分野）
本開示の実施例は、通信技術分野に係り、特にハイブリッド自動再送要求確認コードブックの伝送方法及び機器に係る。
【背景技術】
【０００２】  ５Ｇ  ＮＲアクセス技術（ｆｉｆｔｈ−ｇｅｎｅｒａｔｉｏｎ  Ｎｅｗ  Ｒａｄｉｏ  Ａｃｃｅｓｓ  Ｔｅｃｈｎｏｌｏｇｙ）は、準静的ハイブリッド自動再送要求確認コードブック（Ｓｅｍｉ−ｓｔａｔｉｃ  ＨＡＲＱ−ＡＣＫ  ｃｏｄｅｂｏｏｋ）をサポートする。Ｓｅｍｉ−ｓｔａｔｉｃ  ＨＡＲＱ−ＡＣＫ  ｃｏｄｅｂｏｏｋとは、常に固定サイズで伝送されるハイブリッド自動再送要求確認コードブック（ＨＡＲＱ−ＡＣＫ  ｃｏｄｅｂｏｏｋ）であり、即ちＨＡＲＱ−ＡＣＫフィードバック系列のサイズがスケジューリング状況の変化に伴って変化せず、下り伝送のパケットロスによるＨＡＲＱ−ＡＣＫ  ｃｏｄｅｂｏｏｋサイズについての基地局と端末との理解不一致を回避することを主な目的である。【０００３】  関連技術のＳｅｍｉ−ｓｔａｔｉｃ  ＨＡＲＱ−ＡＣＫ  ｃｏｄｅｂｏｏｋ決定プロセスとして、まず、予め設定されたＨＡＲＱ−ＡＣＫフィードバックタイミングセット及び物理下り共有チャネルＰＤＳＣＨ（Ｐｈｙｓｉｃａｌ  Ｄｏｗｎｌｉｎｋ  Ｓｈａｒｅｄ  ＣＨａｎｎｅｌ）候補時間領域リソースセットに基づいて、ＨＡＲＱ−ＡＣＫが伝送される１つのスロットに対応する下り伝送機会セットを決定する。ＨＡＲＱ−ＡＣＫフィードバックタイミングは、ＨＡＲＱ−ＡＣＫフィードバックが必要な下り伝送が存在するスロットからＨＡＲＱ−ＡＣＫが伝送されるスロットまでのスロット間隔を表す。ＨＡＲＱ−ＡＣＫフィードバックタイミングセットは、Ｋ１セットで表される。そのセットの各値は、１つのＨＡＲＱ−ＡＣＫフィードバックタイミングを与える。そのセットに１つの値のみ、又は１つを超える値が含まれる。ＰＤＳＣＨ候補時間領域リソースセットは、上位層シグナリングによって予め設定された１つのテーブルであり、通常、複数の行（例えば１６行）を含む。各行は、少なくとも開始シンボル位置、伝送長及びスケジューリングタイミングＫ０を含む。ここで、Ｋ０は、物理下り制御チャネルＰＤＣＣＨ（Ｐｈｙｓｉｃａｌ  Ｄｏｗｎｌｉｎｋ  Ｃｏｎｔｒｏｌ  ＣＨａｎｎｅｌ）と、スケジューリングされるＰＤＳＣＨとの間のスロット間隔を示す。異なる行の具体的な情報の組み合わせは、異なる。そのうちの１行は、ＰＤＳＣＨをスケジューリングするＰＤＣＣＨにおける指示フィールドによってを端末に指示され、更に、その中に含まれる情報に基づいて、１つのＰＤＳＣＨ伝送スロット及びスロット内の具体的なシンボル位置が決定される。【０００４】  具体的には、１つのスロットに対応する下り伝送スロットセットは、ＨＡＲＱ−ＡＣＫフィードバックタイミングセットに基づいて決定される。例えば、スロットｎにおいてＨＡＲＱ−ＡＣＫが伝送されると、対応する下り伝送スロットセットは、ｎ−ｋに基づいて決定される。ここで、ｋ∈Ｋ１である。下り伝送スロットセットのスロット毎に、更にＰＤＳＣＨ候補時間領域リソースセットの中の時間領域位置及びＵＥ能力に基づいて、各スロットに、有効な下り伝送機会が含まれるか、及び、いくつの有効な下り伝送機会が含まれるかが決定される。ここで、有効な機会とは、ＰＤＳＣＨ候補時間領域リソースセットの中に、少なくとも１つの時間領域位置が、このスロットにおける上り下り割���と衝突しないことを意味する。任意の時間領域位置でもこのスロットにおける上り下り割合と衝突するスロットは、下り伝送スロットセットから除去される。例えば、ｎ−ｋに基づいて、１つの上りスロット、又は上りシンボルが多めであるスロットが決定され、その中に、ＰＤＳＣＨ候補時間領域リソースセットの任意の時間領域リソース伝送のシンボルセットがなく、又は、ＰＤＳＣＨ候補時間領域リソースセットの任意の時間領域リソース伝送に不十分なシンボルセットを有する。例えば、時間領域リソース伝送に８個の下りシンボルが占有されるが、スロットには、８個の下りシンボル又はフレキシブル（Ｆｌｅｘｉｂｌｅ）シンボルがない。ここで、各スロットに具体的に１又は複数の下り伝送が含まれるかは、ＵＥ能力に依存する。ＵＥ能力として１つのスロットにおいて複数の下り伝送を解析することをサポートしない場合、１つのスロットには最大で１つの下り伝送しか存在しない。ＵＥ能力として１つのスロットにおいて複数の下り伝送を解析することをサポートする場合、１つのスロットには、１つを超える下り伝送が存在する。ここの下り伝送は、ＨＡＲＱ−ＡＣＫフィードバックが必要なＰＤＳＣＨ又はＳＰＳ  ＰＤＳＣＨリリースを含む。そして、下り伝送機会セットにおいて実際に受信された下り伝送について、そのＨＡＲＱ−ＡＣＫを生成してｓｅｍｉ−ｓｔａｔｉｃ  ＨＡＲＱ−ＡＣＫ  ｃｏｄｅｂｏｏｋの対応位置にマッピングする。ここでｓｅｍｉ−ｓｔａｔｉｃ  ＨＡＲＱ−ＡＣＫ  ｃｏｄｅｂｏｏｋのサイズは、常に上記下り伝送機会セットの中の元素数に基づいて決定される。即ち、上記方式で決定された下り伝送機会セットのあるスロット、及び、そのスロットのある下り伝送機会において、ＨＡＲＱ−ＡＣＫのフィードバックが必要な下り伝送が受信されたか否かに関わらず、その下り伝送機会に対してフィードバック情報を生成する必要があるため、ｓｅｍｉ−ｓｔａｔｉｃ  ＨＡＲＱ−ＡＣＫ  Ｃｏｄｅｂｏｏｋに含まれるフィードバック情報のビット数は、実際にどの程度の下り伝送がスケジューリングされているかに応じて変化することはない。上記下り伝送機会セットにおいて、下り伝送を受信しなかったか、もしくは、下り伝送を受信したが、実際のＫ１指示により、現在のスロットでＨＡＲＱ−ＡＣＫフィードバックを行わない下り伝送の位置に対してＮＡＣＫを生成する。【０００５】  関連技術のｓｅｍｉ−ｓｔａｔｉｃ  ＨＡＲＱ−ＡＣＫ  Ｃｏｄｅｂｏｏｋを伝送する方式は、Ｓｅｍｉ−ｓｔａｔｉｃ  ＨＡＲＱ−ＡＣＫ  ｃｏｄｅｂｏｏｋの冗長情報を増加させ、ＨＡＲＱ−ＡＣＫ伝送効率及び性能を低下させることが分かる。
【発明の概要】
【発明が解決しようとする課題】
【０００６】  本開示の実施例の１つの目的として、ハイブリッド自動再送要求確認コードブックの伝送方法及び機器を提供し、ＨＡＲＱ−ＡＣＫ伝送ビット数について端末と基地局との理解が一致することを基に、冗長なＨＡＲＱ−ＡＣＫフィードバックを低減させ、ＨＡＲＱ−ＡＣＫ伝送効率及び性能を向上させることである。
【課題を解決するための手段】
【０００７】  本開示の実施例は、端末に応用されるハイブリッド自動再送要求確認ＨＡＲＱ−ＡＣＫコードブックの伝送方法を提供し、目標下り伝送に対応するＨＡＲＱ−ＡＣＫフィードバック情報を含まない準静的ＨＡＲＱ−ＡＣＫコードブックを送信することを含む。前記目標下り伝送は、処理遅延要件を満たさない第１下り伝送、及び、第１ＰＤＣＣＨの後の第２ＰＤＣＣＨに対応する第２下り伝送の少なくとも１つを含む。ここで、前記準静的ＨＡＲＱ−ＡＣＫコードブックは、前記第１ＰＤＣＣＨによってスケジューリングされるＰＵＳＣＨで伝送される。【０００８】  本開示の実施例は、基地局に応用される別のハイブリッド自動再送要求確認ＨＡＲＱ−ＡＣＫコードブックの伝送方法を更に提供し、目標下り伝送に対応するＨＡＲＱ−ＡＣＫフィードバック情報を含まない準静的ＨＡＲＱ−ＡＣＫコードブックを受信することを含む。前記目標下り伝送は、処理遅延要件を満たさない第１下り伝送、及び、第１ＰＤＣＣＨの後の第２ＰＤＣＣＨに対応する第２下り伝送の少なくとも１つを含む。ここで、前記準静的ＨＡＲＱ−ＡＣＫコードブックは、前記第１ＰＤＣＣＨによってスケジューリングされるＰＵＳＣＨで伝送される。【０００９】  本開示の実施例は、トランシーバと、メモリと、プロセッサと、前記メモリに格納されて前記プロセッサで実行可能なプログラムとを含む端末を更に提供する。前記トランシーバは、目標下り伝送に対応するＨＡＲＱ−ＡＣＫフィードバック情報を含まない準静的ＨＡＲＱ−ＡＣＫコードブックを送信する。前記目標下り伝送は、処理遅延要件を満たさない第１下り伝送、及び、第１ＰＤＣＣＨの後の第２ＰＤＣＣＨに対応する第２下り伝送の少なくとも１つを含む。ここで、前記準静的ＨＡＲＱ−ＡＣＫコードブックは、前記第１ＰＤＣＣＨによってスケジューリングされるＰＵＳＣＨで伝送される。【００１０】  本開示の実施例は、目標下り伝送に対応するＨＡＲＱ−ＡＣＫフィードバック情報を含まない準静的ＨＡＲＱ−ＡＣＫコードブックを送信する送信ユニットを含む端末を更に提供する。前記目標下り伝送は、処理遅延要件を満たさない第１下り伝送、及び、第１ＰＤＣＣＨの後の第２ＰＤＣＣＨに対応する第２下り伝送の少なくとも１つを含む。ここで、前記準静的ＨＡＲＱ−ＡＣＫコードブックは、前記第１ＰＤＣＣＨによってスケジューリングされるＰＵＳＣＨで伝送される。【００１１】  本開示の実施例は、トランシーバと、メモリと、プロセッサと、前記メモリに格納されて前記プロセッサで実行可能なプログラムとを含む基地局を更に提供する。前記トランシーバは、目標下り伝送に対応するＨＡＲＱ−ＡＣＫフィードバック情報を含まない準静的ＨＡＲＱ−ＡＣＫコードブックを受信する。前記目標下り伝送は、処理遅延要件を満たさない第１下り伝送、及び、第１ＰＤＣＣＨの後の第２ＰＤＣＣＨに対応する第２下り伝送の少なくとも１つを含む。ここで、前記準静的ＨＡＲＱ−ＡＣＫコードブックは、前記第１ＰＤＣＣＨによってスケジューリングされるＰＵＳＣＨで伝送される。【００１２】  本開示の実施例は、目標下り伝送に対応するＨＡＲＱ−ＡＣＫフィードバック情報を含まない準静的ＨＡＲＱ−ＡＣＫコードブックを受信する受信ユニットを含む基地局を更に提供する。前記目標下り伝送は、処理遅延要件を満たさない第１下り伝送、及び、第１ＰＤＣＣＨの後の第２ＰＤＣＣＨに対応する第２下り伝送の少なくとも１つを含む。ここで、前記準静的ＨＡＲＱ−ＡＣＫコードブックは、前記第１ＰＤＣＣＨによってスケジューリングされるＰＵＳＣＨで伝送される。
【発明の効果】
【００１３】  本開示の実施例に係るハイブリッド自動再送要求確認コードブックの伝送方法及び機器において、ｓｅｍｉ−ｓｔａｔｉｃ  ＨＡＲＱ−ＡＣＫ  ＣｏｄｅｂｏｏｋからＨＡＲＱ−ＡＣＫフィードバック処理遅延及び／又はＵＬ  ｇｒａｎｔに基づいて決定された含まれない下り伝送のＨＡＲＱ−ＡＣＫを除去し、ＨＡＲＱ−ＡＣＫ伝送ビット数について端末と基地局との理解の一致を保証する上に、冗長なＨＡＲＱ−ＡＣＫフィードバックを低減させ、システム効率及びＨＡＲＱ−ＡＣＫ伝送効率を向上させることができる。
【図面の簡単な説明】
【００１４】  本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。【００１５】
【図１】  図１は、本開示の実施例の応用可能な無線通信システムのブロック図を示す。
【図２】  図２は、関連技術のＨＡＲＱ−ＡＣＫフィードバックの例である。
【図３】  図３は、関連技術のＨＡＲＱ−ＡＣＫフィードバックの別の例である。
【図４】  図４は、本開示の実施例に係るＨＡＲＱ−ＡＣＫコードブックの伝送方法のフローチャートである。
【図５】  図５は、本開示の実施例に係るＨＡＲＱ−ＡＣＫコードブックの伝送方法の別のフローチャートである。
【図６】  図６は、本開示の実施例に係るＨＡＲＱ−ＡＣＫフィードバックの例である。
【図７】  図７は、本開示の実施例に係るＨＡＲＱ−ＡＣＫフィードバックの別の例である。
【図８】  図８は、本開示の実施例に係るＨＡＲＱ−ＡＣＫフィードバックの別の例である。
【図９】  図９は、本開示の実施例に係るＨＡＲＱ−ＡＣＫフィードバックの別の例である。
【図１０】  図１０は、本開示の実施例に係る端末の構造図である。
【図１１】  図１１は、本開示の実施例に係る端末の別の構造図である。
【図１２】  図１２は、本開示の実施例に係る基地局の構造図である。
【図１３】  図１３は、本開示の実施例に係る基地局の別の構造図である。
【発明を実施するための形態】
【００１６】  以下、添付図面を参照して本開示の例示的な実施例を更に詳細に記載する。本開示の例示的な実施例を図面に示しているが、本開示は、ここで説明した実施例に限定されることなく様々な形態で実現されうることが理解されるべきである。これらの実施例を示すことは、本開示をより徹底的に理解してもらい、本開示の範囲を当業者に全面的に伝えるためである。
【００１７】  本開示の明細書及び特許請求の範囲における「第１」、「第２」などの用語は、特定の順序又は前後順を記述するために使用されるのではなく、類似の対象を区別するために使用される。そのように使用されるデータは、本明細書に記載される本開示の実施例が、例えば、本明細書に図示又は記載されるもの以外の順序でも実施できるように、適切に交換されることが理解されるべきである。更に、「含む」及び「有する」という用語ならびにそれらの任意の変形は、非排他的を意図しており、例えば、一連の工程又はユニットを含むプロセス、方法、システム、製品又は装置は、必ずしも明確に列挙されたそれらの工程又はユニットに限定されるものではなく、明確に列挙されていないものや、それらのプロセス、方法、製品又は装置に固有の他の工程又はユニットを含んでもよい。本明細書及び特許請求の範囲において、「及び／又は」は、連結された対象の少なくとも１つを意味する。
【００１８】  本明細書で説明される技術は、ロングタームエボリューションＬＴＥ（Ｌｏｎｇ  Ｔｉｍｅ  Ｅｖｏｌｕｔｉｏｎ）／ＬＴＥ−Ａ（ＬＴＥ−Ａｄｖａｎｃｅｄ）システムに限定されず、符号分割多元接続ＣＤＭＡ（Ｃｏｄｅ  Ｄｉｖｉｓｉｏｎ  Ｍｕｌｔｉｐｌｅ  Ａｃｃｅｓｓ）、時分割多元接続ＴＤＭＡ（Ｔｉｍｅ  Ｄｉｖｉｓｉｏｎ  Ｍｕｌｔｉｐｌｅ  Ａｃｃｅｓｓ）、周波数分割多元接続ＦＤＭＡ（Ｆｒｅｑｕｅｎｃｙ  Ｄｉｖｉｓｉｏｎ  Ｍｕｌｔｉｐｌｅ  Ａｃｃｅｓｓ）、直交周波数分割多元接続ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、シングルキャリア周波数分割多元接続ＳＣ−ＦＤＭＡ（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ）及び他のシステムなどの様々な無線通信システムに使用される。用語「システム」及び「ネットワーク」は、しばしば交換可能に使用される。ＣＤＭＡシステムは、ＣＤＭＡ２０００、ユニバーサル地上無線アクセスＵＴＲＡ（Ｕｎｉｖｅｒｓａｌ  Ｔｅｒｒｅｓｔｒｉａｌ  Ｒａｄｉｏ  Ａｃｃｅｓｓ）などの無線技術を実現できる。ＵＴＲＡは、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）及び他のＣＤＭＡ変形形態を含む。ＴＤＭＡシステムは、グローバル移動通信システムＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）などの無線技術を実現できる。ＯＦＤＭＡシステムは、ＵＭＢ（Ｕｌｔｒａ  Ｍｏｂｉｌｅ  Ｂｒｏａｄｂａｎｄ）、Ｅ−ＵＴＲＡ（Ｅｖｏｌｕｔｉｏｎ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭなどの無線技術を実現できる。ＵＴＲＡ及びＥ−ＵＴＲＡは、ユニバーサル移動体通信システムＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の部分である。ＬＴＥ及びＬＴＥ−Ａなどのより高レベルのＬＴＥは、Ｅ−ＵＴＲＡを使用する新しいＵＭＴＳリリースである。ＵＴＲＡ、Ｅ−ＵＴＲＡ、ＵＭＴＳ、ＬＴＥ、ＬＴＥ−Ａ及びＧＳＭは、「第３世代パートナーシッププロジェクト」（３ｒｄ  Ｇｅｎｅｒａｔｉｏｎ  Ｐａｒｔｎｅｒｓｈｉｐ  Ｐｒｏｊｅｃｔ：３  ＧＰＰ）という名称の組織からの文書に記載されている。ＣＤＭＡ２０００及びＵＭＢは、「第３世代パートナーシッププロジェクト２」（３ＧＰＰ２）という名称の組織からの文書に記載されている。本明細書で説明される技術は、以上で言及されたシステム及び無線技術に使用されるのみならず、他のシステム及び無線技術にも使用される。しかしながら、以下の説明は、例示の目的でＮＲシステムを説明し、以下の説明の大部分においてＮＲという用語が使用されるが、これらの技術は、ＮＲシステムの適用例以外の適用例にも適用される。
【００１９】  以下の説明は、特許請求の範囲に記載された範囲、適用可能性又は構成を限定することなく例を提供する。本開示の趣旨及び範囲から逸脱することなく、論じられた要素の機能及び構成を変更することができる。様々な例は、様々な手順又は構成要素を適切に省略、置換又は追加することができる。例えば、説明された方法は、説明されたものとは異なる順序で実行されてもよく、様々なステップが追加、省略、又は組み合わされてもよい。更に、いくつかの例を基準して説明される特徴は、他の例において組み合わされてもよい。
【００２０】  図１を参照し、図１は、本開示の実施例の応用可能な無線通信システムのブロック図を示す。無線通信システムは、端末１１と基地局１２とを含む。ここで、端末１１は、ユーザ端末又はＵＥ（Ｕｓｅｒ  Ｅｑｕｉｐｍｅｎｔ）とも呼ばれる。端末１１は、携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、携帯情報端末ＰＤＡ（Ｐｅｒｓｏｎａｌ  Ｄｉｇｉｔａｌ  Ａｓｓｉｓｔａｎｔ）、モバイルネットワーク機器ＭＩＤ（Ｍｏｂｉｌｅ  Ｉｎｔｅｒｎｅｔ  Ｄｅｖｉｃｅ）、ウェアラブルデバイス（Ｗｅａｒａｂｌｅ  Ｄｅｖｉｃｅ）又は車載機器などの端末側機器である。なお、本開示の実施例において、端末１１の具体的なタイプは、限定されない。基地局１２は、５Ｇ以降のバージョンの基地局（例えばｇＮＢ、５Ｇ  ＮＲ  ＮＢなど）、又は他の通信システムにおける基地局（例えばｅＮＢ、ＷＬＡＮアクセスポイント、又は他のアクセスポイントなど）である。ここで、基地局は、ノードＢ、発展型ノードＢ、アクセスポイント、基地トランシーバ局ＢＴＳ（Ｂａｓｅ  Ｔｒａｎｓｃｅｉｖｅｒ  Ｓｔａｔｉｏｎ）、無線基地局、無線トランシーバ、基本サービスセットＢＳＳ（Ｂａｓｉｃ  Ｓｅｒｖｉｃｅ  Ｓｅｔ）、拡張サービスセットＥＳＳ（Ｅｘｔｅｎｄｅｄ  Ｓｅｒｖｉｃｅ  Ｓｅｔ）、Ｂノード、発展型Ｂノード（ｅＮＢ）、ホームＢノード、ホーム発展型ノードＢ、ＷＬＡＮアクセスポイント、ＷｉＦｉ（Ｗｉｒｅｌｅｓｓ  Ｆｉｄｅｌｉｔｙ）ノード、又は所属分野における他の何らかの適切な用語で呼ばれてもよい。同様の技術的効果を奏する限り、前記基地局は、特定の技術用語に限定されない。なお、本開示の実施例において、単にＮＲシステムにおける基地局を例として説明するが、基地局の具体的な種類を限定しない。
【００２１】  基地局１２は、基地局制御装置の制御下で端末１１と通信し、様々な例では、基地局制御装置がコアネットワーク又はいくつかの基地局の一部である。いくつかの基地局は、バックホールを通じてコアネットワークと制御情報又はユーザデータを通信することができる。いくつかの例では、これらの基地局のいくつかは、有線又は無線通信リンクであるバックホールリンクを通じて、直接的又は間接的に互いに通信する。無線通信システムは、複数のキャリア（異なる周波数の波形信号）での動作をサポートする。マルチキャリア送信機は、変調された信号を複数のキャリアで同時に送信することができる。例えば、各通信リンクは、様々な無線技術に従って変調されたマルチキャリア信号である。各変調信号は、異なるキャリアで送信され、制御情報（例えば、基準信号、制御チャネルなど）、オーバーヘッド情報、データなどを搬送する。
【００２２】  基地局１２は、１つ又は複数のアクセスポイントアンテナを介して端末１１と無線通信する。各基地局は、それぞれのカバレッジエリアに通信カバレッジを提供する。アクセスポイントのカバレッジエリアは、該カバレッジエリアの一部のみを構成するセクタに分割される。無線通信システムは、マクロ基地局、マイクロ基地局、又はピコ基地局などの異なるタイプの基地局を含む。基地局はまた、セルラー又はＷＬＡＮ無線アクセス技術などの異なる無線技術を利用する。基地局は、同じ又は異なるアクセスネットワーク又は事業者展開に関連付けられる。異なる基地局のカバレッジエリア（同じ又は異なるタイプの基地局のカバレッジエリア、同じ又は異なる無線技術を利用するカバレッジエリア、又は同じ又は異なるアクセスネットワークに属するカバレッジエリアを含む）は、オーバーラップしてもよい。
【００２３】  無線通信システムにおける通信リンクは、アップリンクＵＬ（Ｕｐｌｉｎｋ）伝送（例えば、端末１１から基地局１２への伝送）を搬送するためのアップリンク、又はダウンリンクＤＬ（Ｄｏｗｎｌｉｎｋ）伝送（例えば、基地局１２から端末１１への伝送）を搬送するためのダウンリンクを含む。ＵＬ伝送は、逆方向リンク伝送とも呼ばれ、ＤＬ伝送は、順方向リンク伝送とも呼ばれる。ダウンリンク伝送は、認可周波数帯域、非認可周波数帯域、又はその両方を使用して行われる。同様に、アップリンク伝送は、認可周波数帯域、非認可周波数帯域、又はその両方を使用して行われる。
【００２４】  背景技術で記載したように、下り伝送機会セットは、１つのフィードバックスロット内でＨＡＲＱ−ＡＣＫフィードバックを必要とするすべての下り伝送の位置セットを与えるが、実際のスケジューリング及び伝送要求に応じて、上記下り伝送機会セットの中の一部の下り伝送位置での下り伝送について、処理遅延を満足せず、例えば下り伝送（例えばＰＤＳＣＨ）解析の時間及び／又は対応するＨＡＲＱ−ＡＣＫ伝送を用意する時間の要件を満たさないため、対応するスロットにおいてＨＡＲＱ−ＡＣＫフィードバックを行うことができない。例えばＫ１＝｛０，１，２，３，４｝に基づき、各スロットに１つの下り伝送機会が存在すると仮定すると、図２に示すようなスロットｎに対応する下り伝送機会セットが得られ、即ち、スロットｎ−４〜スロットｎの範囲内の各スロットに１回のＰＤＳＣＨ伝送機会がある。しかし、スロットｎにおける下り伝送と、対応するＨＡＲＱ−ＡＣＫ伝送とは位置が近すぎるため、スロットｎにおけるＰＤＳＣＨは、処理がまだ完成していない（例えばＰＤＳＣＨ解析及び／又は対応するＨＡＲＱ−ＡＣＫ準備が完了していない）ことがあるので、スロットｎにおいて対応するＨＡＲＱ−ＡＣＫフィードバックを行うことができない。現在、１つのｓｅｍｉ−ｓｔａｔｉｃ  ＨＡＲＱ−ＡＣＫ  ｃｏｄｅｂｏｏｋに対応する下り伝送機会セットにおいて処理遅延を満たさない下り伝送に対して、ｓｅｍｉ−ｓｔａｔｉｃ  ＨＡＲＱ−ＡＣＫ  ｃｏｄｅｂｏｏｋでは、これらの下り伝送に対応するフィードバックビット位置にフィードバック情報としてＮＡＣＫを生成すると規定されている。
【００２５】  また、あるスロットで端末による物理上り共有チャネルＰＵＳＣＨ（Ｐｈｙｓｉｃａｌ  Ｕｐｌｉｎｋ  Ｓｈａｒｅｄ  ＣＨａｎｎｅｌ）と上り制御情報ＵＣＩ（Ｕｐｌｉｎｋ  Ｃｏｎｔｒｏｌ  Ｉｎｆｏｒｍａｔｉｏｎ）伝送が同時に存在する場合、ＵＣＩを乗せた物理上り制御チャネルＰＵＣＣＨ（Ｐｈｙｓｉｃａｌ  Ｕｐｌｉｎｋ  Ｃｏｎｔｒｏｌ  ＣＨａｎｎｅｌ）とＰＵＳＣＨの時間領域リソースが重なる可能性がある。この場合、端末がＰＵＣＣＨとＰＵＳＣＨの同時伝送をサポートしない場合、ＰＵＣＣＨ上に乗せたＵＣＩをＰＵＳＣＨに移して伝送することが必要であり、それによって複数のチャネルの並列伝送を回避する。ＰＵＳＣＨに対応するＰＤＣＣＨを有し（即ち、ＵＬ  ｇｒａｎｔによってスケジューリングされる）且つＰＤＣＣＨに下り制御情報ＤＣＩ（Ｄｏｗｎｌｉｎｋ  Ｃｏｎｔｒｏｌ  Ｉｎｆｏｒｍａｔｉｏｎ）フォーマット０＿１が使用される場合、ｓｅｍｉ−ｓｔａｔｉｃ  ＨＡＲＱ−ＡＣＫ  ｃｏｄｅｂｏｏｋを設定して使用する場合、ＤＣＩフォーマット０＿１には、ＨＡＲＱ−ＡＣＫがＰＵＳＣＨ上に存在するか否かを指示するために、一般的にＵＬ  ＤＡＩと呼ばれる１ビットの下り割り当てインデックスＤＡＩ（Ｄｏｗｎｌｉｎｋ  Ａｓｓｉｇｎｍｅｎｔ  Ｉｎｄｅｘ）が含まれる。これは、ＤＣＩフォーマット０＿１にＤＡＩ指示がなければ、ＰＵＳＣＨが位置するスロットにおけるｓｅｍｉ−ｓｔａｔｉｃ  ＨＡＲＱ−ＡＣＫ  ｃｏｄｅｂｏｏｋに対応する下り伝送機会セットで端末が何らの下り伝送も受信しない場合、ＵＥがＰＵＳＣＨ上にＨＡＲＱ−ＡＣＫ伝送がないと決定し、この場合、端末に下り伝送のパケットロスがあると、ＰＵＳＣＨ上にＨＡＲＱ−ＡＣＫ伝送があるか否かの端末と基地局の理解が一致しないためである。ＨＡＲＱ−ＡＣＫがレートマッチング方式でＰＵＳＣＨ上で伝送される場合、ＨＡＲＱ−ＡＣＫの存在は、ＰＵＳＣＨ上のデータの符号化及びレートマッチング（即ち、データの符号化レートに影響を与える）及び実際のマッピングリソース位置に影響を与える。ＨＡＲＱ−ＡＣＫの存在の有無について基地局（例えば、ｇＮＢ）の認識がＵＥの実際の伝送と一致しない場合、基地局によるＰＵＳＣＨの復号ミスをもたらし、ＰＵＳＣＨ受信の失敗をもたらし、同時に、基地局によるＨＡＲＱ−ＡＣＫフィードバック情報の解析エラー確率を増加させる。
【００２６】  ＰＵＳＣＨをスケジューリングするＰＤＣＣＨにおける１ビットＤＡＩは、その伝送位置よりも遅くならずに発生した下りスケジューリングによってのみ統計され、その後に発生する下り送信の予測ができない。従って、現在、ＨＡＲＱ−ＡＣＫがＰＵＳＣＨ上で伝送され且つｓｅｍｉ−ｓｔａｔｉｃ  ＨＡＲＱ−ＡＣＫ  ｃｏｄｅｂｏｏｋを設定して使用する場合、ｓｅｍｉ−ｓｔａｔｉｃ  ＨＡＲＱ−ＡＣＫ  ｃｏｄｅｂｏｏｋの中で、そのＰＵＳＣＨをスケジューリングするＰＤＣＣＨの後のＰＤＣＣＨによってスケジューリングされるＰＤＳＣＨ又はＳＰＳ  ＰＤＳＣＨリリース（ＳＰＳ  ＰＤＳＣＨリリースは、下りＳＰＳリソースリリースを指示するＰＤＣＣＨである）に対応する位置にＮＡＣＫを生成すると規定されている。即ち、そのＰＵＳＣＨ上で、ＵＬ  ｇｒａｎｔより遅いＰＤＣＣＨによってスケジューリングされるＰＤＳＣＨについて、その対応するＨＡＲＱ−ＡＣＫを伝送することができない。しかし、ｓｅｍｉ−ｓｔａｔｉｃ  ＨＡＲＱ−ＡＣＫ  ｃｏｄｅｂｏｏｋの安定不変を保証するために、ＮＡＣＫは、スタブとして必要とされる。即ち、図３に示すように、スロットｎにおけるＰＵＳＣＨをスケジューリングするＰＤＣＣＨがスロットｎ−２で伝送され、スロットｎ−１におけるＰＤＳＣＨがスロットｎ−１におけるＰＤＣＣＨでスケジューリングされ、スロットｎにおけるＰＤＳＣＨがスロットｎにおけるＰＤＣＣＨ（該ＰＤＣＣＨは、スロットｎにおけるＰＵＳＣＨをスケジューリングするＰＤＣＣＨよりも遅い）でスケジューリングされるので、スロットｎ−１及びスロットｎにおけるＰＤＳＣＨは、スロットｎにおけるＰＵＳＣＨでＨＡＲＱ−ＡＣＫを伝送することができず、スロットｎに対応するｓｅｍｉ−ｓｔａｔｉｃ  ＨＡＲＱ−ＡＣＫ  ｃｏｄｅｂｏｏｋにおいて、スロットｎ−１及びスロットｎにおける下り伝送に対応する位置に、フィードバック情報としてＮＡＣＫを発生する。
【００２７】  図２について言えば、処理能力からスロットｎにおける下り伝送が処理遅延を満たさないと決定された場合、基地局は、スケジューリング時に、スロットｎにおける下り伝送について、スロットｎにおけるＨＡＲＱ−ＡＣＫフィードバックを行わないと設定することが合理的である。これは、最小処理遅延は、基地局でも端末でも決定できるためである。この場合、基地局は、より合理的な処理として、スロットｎにおけるＰＤＳＣＨに対応するＫ１を１以上の値に設定する。すると、スロットｎにおけるＰＤＳＣＨは、スロットｎ＋１又はそれより後のスロットでＨＡＲＱ−ＡＣＫフィードバックを行う。このＨＡＲＱ−ＡＣＫフィードバックを行うスロットは、処理遅延を満足できるスロットであるべきである。そうでなければ、基地局がスロットｎにおけるＰＤＳＣＨをスケジューリングしたとしても、スロットｎにおいてＨＡＲＱ−ＡＣＫフィードバックを行うように設定するのであれば、このＰＤＳＣＨの真のＨＡＲＱ−ＡＣＫ情報は、いつまでも得られない。従って、基地局においてこのようなスケジューリングを回避する必要がある。スロットｎに対応するｓｅｍｉ−ｓｔａｔｉｃ  ＨＡＲＱ−ＡＣＫ  ｃｏｄｅｂｏｏｋには、処理遅延を満たさない下り伝送のＨＡＲＱ−ＡＣＫが常に含まれておらず、これらの下り伝送にフィードバック情報としてＮＡＣＫを設定することは、実際に冗長な伝送である。
【００２８】  特に、キャリアアグリゲーションが存在する場合、Ｋ１セットは、複数の下りキャリアの共有セットである。Ｋ１に含まれるのは、複数のキャリアそれぞれが必要とするＫ１値の和セットである。そのため、１つの下りキャリアについては、Ｋ１セットには、そのキャリアで使用できないＫ１値が１つ又は複数含まれる可能性がある。例えば、キャリア１は、Ｋ１＝｛０，１，２｝を必要とし、キャリア２は、Ｋ１＝｛３，４，５｝を必要とするが、端末に実際に設定されるＫ１セットは、Ｋ１＝｛０，１，２，３，４，５｝である場合、キャリア２について、Ｋ１セットの｛０，１，２｝は、そのキャリアでの伝送に使用されないＫ１値である。しかし、関連技術では、キャリア２のｓｅｍｉ−ｓｔａｔｉｃ  ＨＡＲＱ−ＡＣＫ  ｃｏｄｅｂｏｏｋサイズを算出する際に、常にＫ１セットが｛０，１，２，３，４，５｝であることに従ってｃｏｄｅｂｏｏｋを決定するので、複数のビットの冗長が存在する。
【００２９】  図３において、スケジューリング情報は、基地局が送信したものである。基地局は、スロットｎ−２で１つのＰＤＣＣＨを送信してスロットｎにおけるＰＵＳＣＨ伝送をスケジューリングすると決定する場合、上記の「ＰＵＳＣＨをスケジューリングするＰＤＣＣＨの後に送信されるＰＤＣＣＨによってスケジューリングされる下り伝送は、該ＰＵＳＣＨ上でＨＡＲＱ−ＡＣＫフィードバックを行うことができない」という規則に従って、基地局が１つの下り伝送をスケジューリングしたが、それに対応するＨＡＲＱ−ＡＣＫを得ることができないことを避けるために、基地局は、スロットｎ−２の後のＰＤＣＣＨによってスケジューリングされるＰＤＳＣＨに対して、対応するフィードバックタイミングを設定し、スロットｎでＨＡＲＱ−ＡＣＫフィードバックを行うことを避ける。例えば、スロットｎ−１のＰＤＳＣＨに対してＫ１を２又はそれより大きい値に設定し、スロットｎの後にＨＡＲＱ−ＡＣＫフィードバックを行うことによって、端末がこのＰＤＳＣＨに対して真のＨＡＲＱ−ＡＣＫを伝送しないことを回避する。従って、スロットｎに対応するｓｅｍｉ−ｓｔａｔｉｃ  ＨＡＲＱ−ＡＣＫ  ｃｏｄｅｂｏｏｋには、ＰＵＳＣＨをスケジューリングするＰＤＣＣＨの後に送信されるＰＤＣＣＨによってスケジューリングされる下り伝送のＨＡＲＱ−ＡＣＫが常に含まれず、これらの下り伝送にフィードバック情報としてＮＡＣＫを設定することは、実際には冗長な伝送である。
【００３０】  本開示の実施例は、上記問題に対し、ハイブリッド自動再送要求確認コードブックの伝送方法を提供し、ＨＡＲＱ−ＡＣＫ冗長伝送を低減又は回避し、ＨＡＲＱ−ＡＣＫ伝送効率を向上させることができる。図４を参照し、本開示の実施例に係る端末側に応用されるＨＡＲＱ−ＡＣＫコードブックの伝送方法は、目標下り伝送に対応するＨＡＲＱ−ＡＣＫフィードバック情報を含まない準静的ＨＡＲＱ−ＡＣＫコードブックを送信するステップ４０１を含む。前記目標下り伝送は、処理遅延要件を満たさない第１下り伝送、及び、第１ＰＤＣＣＨの後の第２ＰＤＣＣＨに対応する第２下り伝送の少なくとも１つを含む。ここで、前記準静的ＨＡＲＱ−ＡＣＫコードブックは、前記第１ＰＤＣＣＨによってスケジューリングされるＰＵＳＣＨで伝送される。
【００３１】  ここで、第１下り伝送は、処理遅延要件を満たせない下り伝送である。具体的には、前記第１下り伝送は、ＰＤＣＣＨによってスケジューリングされるＰＤＳＣＨ、セミパーシステントスケジューリングＳＰＳ（Ｓｅｍｉ−Ｐｅｒｓｉｓｔｅｎｔ  Ｓｃｈｅｄｕｌｉｎｇ）  ＰＤＳＣＨ、及び、ＳＰＳ  ＰＤＳＣＨリリースのうちの１つ又は複数を含む。前記第２下り伝送は、ＰＤＣＣＨによってスケジューリングされるＰＤＳＣＨ、及びＳＰＳ  ＰＤＳＣＨリリースのうちの１つ又は複数を含む。
【００３２】  ここで、前記ＳＰＳ  ＰＤＳＣＨは、対応するＰＤＣＣＨのないＰＤＳＣＨ、即ち、ＰＤＣＣＨによってスケジューリングされないＰＤＳＣＨである。
【００３３】  ここで、前記ＳＰＳ  ＰＤＳＣＨリリースは、下りＳＰＳリソースリリースを指示するＰＤＣＣＨである。ここで、前記ＳＰＳ  ＰＤＣＣＨリリースは、下りＳＰＳリソースリリースを指示するＰＤＣＣＨと等価である。第２下り伝送が下りＳＰＳリソースリリースを指示するＰＤＣＣＨ又はＳＰＳ  ＰＤＣＣＨリリースである場合、ＨＡＲＱ−ＡＣＫフィードバックは、ＳＰＳリソースリリースを指示するこのＰＤＣＣＨ自体に対するものである。第２下り伝送がＰＤＳＣＨである場合、第１ＰＤＣＣＨの後の第２ＰＤＣＣＨに対応する第２下り伝送は、第２ＰＤＣＣＨによってスケジューリングされるＰＤＳＣＨである。第２下り伝送がＳＰＳ  ＰＤＳＣＨリリースである場合、第１ＰＤＣＣＨの後の第２ＰＤＣＣＨに対応する第２下り伝送は、第２ＰＤＣＣＨによって指示されるＳＰＳ  ＰＤＳＣＨリリースである。
【００３４】  本明細書において、あるＰＤＣＣＨに対応する下り伝送（又はＰＤＳＣＨ）は、そのＰＤＣＣＨによってスケジューリングされる下り伝送（又はＰＤＳＣＨ）を指す。同様に、ある下り伝送（又はＰＤＳＣＨ）に対応するＰＤＣＣＨは、該下り伝送（又はＰＤＳＣＨ）をスケジューリングするＰＤＣＣＨを指す。
【００３５】  以上のステップから分かるように、本開示の実施例では、端末が準静的ＨＡＲＱ−ＡＣＫコードブックを設定して使用する場合、前記目標下り伝送に対応するＨＡＲＱ−ＡＣＫが、伝送される準静的ＨＡＲＱ−ＡＣＫコードブックに含まれない。よって、本開示の実施例は、上記目標下り伝送の冗長なフィードバック情報を低減又は回避し、ＨＡＲＱ−ＡＣＫ伝送効率を向上させ、システムの伝送性能を改善することができる。
【００３６】  目標下り伝送の冗長なフィードバック情報を低減又は回避し、送信効率を向上させるために、端末は、前記準静的ＨＡＲＱ−ＡＣＫコードブックを伝送する前に、前記準静的ＨＡＲＱ−ＡＣＫコードブックに対応する下り伝送機会セットを決定し、前記目標下り伝送を決定し、前記下り伝送機会セットから目標下り伝送を除去して最終的な下り伝送機会セットを取得し、その後、最終的な下り伝送機会セットに基づいて、対応する準静的ＨＡＲＱ−ＡＣＫコードブックを生成する。
【００３７】  別の実現方式として、本開示の実施例において、前記準静的ＨＡＲＱ−ＡＣＫコードブックに対応する下り伝送機会セットの決定中に前記目標下り伝送を除去し、直接最終的な下り伝送機会セットを取得し、その後、最終的な下り伝送機会セットに基づいて、対応する準静的ＨＡＲＱ−ＡＣＫコードブックを生成する。また別の実施形態として、本開示の実施例は、まず前記準静的ＨＡＲＱ−ＡＣＫコードブックに対応する下り伝送機会セットを決定し、更に該下り伝送機会セットに基づいて、対応する第１準静的ＨＡＲＱ−ＡＣＫコードブックを決定し、その後、前記目標下り伝送及びそれの第１準静的ＨＡＲＱ−ＡＣＫコードブックにおける対応位置を決定し、前記目標下り伝送の対応フィードバック情報を第１準静的ＨＡＲＱ−ＡＣＫコードブックから除去して、最終的な準静的ＨＡＲＱ−ＡＣＫコードブックを得る。
【００３８】  前記目標下り伝送が第１下り伝送を含む場合、本開示の実施例の端末は、前記準静的ＨＡＲＱ−ＡＣＫコードブックを送信する前に、前記第１下り伝送を決定する必要がある。本開示の実施例は、第１下り伝送の多種類の決定方式を提供している。例えば、第１所定条件を満たす下り伝送を前記第１下り伝送に決定する。又は、第２所定条件を満たす下り伝送を前記第１下り伝送に決定する。又は、前記第１所定条件又は前記第２所定条件を満たす下り伝送を前記第１下り伝送に決定する（例えば第１所定条件のＴ１及び第２所定条件のＴ２の最大値に従って対応な判断をして第１下り伝送を得る。又は、第１所定条件及び第２所定条件の判断をそれぞれ行い、いずれの所定条件を満たす下り伝送を第１下り伝送に決定する）。又は、前記第１所定条件と前記第２所定条件とを同時に満たす下り伝送を前記第１下り伝送に決定する（例えば第１所定条件のＴ１及び第２所定条件のＴ２の最小値に従って対応な判断をして第１下り伝送を得る。又は、第１所定条件及び第２所定条件の判断をそれぞれ行い、第１及び第２所定条件を同時に満たす下り伝送を第１下り伝送に決定する）。
【００３９】  以下、第１、第２所定条件を説明する。
【００４０】  １）前記第１所定条件は、下り伝送の終了シンボルが、ＨＡＲＱ−ＡＣＫコードブックを乗せた上りチャネルの開始シンボルの開始位置からＴ１時間前の最初のシンボル、最初の下りシンボル又は最初のフレキシブル（Ｆｌｅｘｉｂｌｅ）シンボルである第１基準シンボルよりも遅いことを含み、又は、下り伝送の終了シンボル又は終了時刻が、ＨＡＲＱ−ＡＣＫコードブックを乗せた上りチャネルの開始シンボルの開始位置からＴ１時間前の時刻である第１基準時刻よりも遅いことを含み、又は、下り伝送の終了シンボル又は終了時刻と、ＨＡＲＱ−ＡＣＫを乗せた上りチャネルの開始シンボル又は開始時刻との時間間隔がＴ１時間よりも短いことを含む。ここで、前記Ｔ１は、予め定義された値であり、又は、前記Ｔ１は、設定に応じて決定される値であり、又は、前記Ｔ１は、下り伝送によるＨＡＲＱ−ＡＣＫフィードバックの最小処理遅延である。
【００４１】  ここで、前記Ｔ１は、以下のいずれかの式に従って算出される。
2022500961.tif 000003
ここで、下り伝送がＰＤＣＣＨによってスケジューリングされるＰＤＳＣＨである場合、μ１は、ＰＤＳＣＨをスケジューリングするＰＤＣＣＨ、ＰＤＳＣＨ、及びＰＵＣＣＨのそれぞれに対応するサブキャリア間隔のうち最小のサブキャリア間隔の番号であり、又は、μ１は、ＰＤＳＣＨをスケジューリングするＰＤＣＣＨ、ＰＤＳＣＨ、及びＰＵＣＣＨのそれぞれに対応するサブキャリア間隔のうち最大のＴ１値が得られるサブキャリア間隔の番号であり、及び／又は、下り伝送がＳＰＳ  ＰＤＳＣＨリリースである場合、μ１は、ＳＰＳ  ＰＤＳＣＨリリースを指示するＰＤＣＣＨ、及びＰＵＣＣＨのそれぞれに対応するサブキャリア間隔のうち最小のサブキャリア間隔の番号であり、又は、μ１は、ＳＰＳ  ＰＤＳＣＨリリースを指示するＰＤＣＣＨ、及びＰＵＣＣＨのそれぞれに対応するサブキャリア間隔のうち最大のＴ１値が得られるサブキャリア間隔の番号であり、及び／又は、下り伝送がＳＰＳ  ＰＤＳＣＨである場合、μ１は、ＳＰＳ  ＰＤＳＣＨ、及びＰＵＣＣＨのそれぞれに対応するサブキャリア間隔のうち最小のサブキャリア間隔の番号であり、又は、μ１は、ＳＰＳ  ＰＤＳＣＨ、及びＰＵＣＣＨのそれぞれに対応するサブキャリア間隔のうち最大のＴ１値が得られるサブキャリア間隔の番号である。
【００４２】  ここで、１つのＰＵＣＣＨのみが存在する場合、ＰＵＣＣＨに対応するサブキャリア間隔は、このＰＵＣＣＨに対応するサブキャリア間隔である。複数の重なるＰＵＣＣＨが存在する場合、ＰＵＣＣＨに対応するサブキャリア間隔は、重なるＰＵＣＣＨのそれぞれに対応するサブキャリア間隔を含む。複数のＰＵＣＣＨに対応するサブキャリア間隔から最小のサブキャリア間隔又は最大のＴ１値が得られるサブキャリア間隔をまず選択し、他のチャネルに対応するサブキャリア間隔との間で選択すると理解してもよい。
【００４３】  ここで、下り伝送がＳＰＳ  ＰＤＳＣＨリリースである場合、１つのケースとして、下り伝送がＰＤＳＣＨである場合と同じＴ式を再利用し、この場合、ＳＰＳ  ＰＤＳＣＨリリースに対しｄ１，１＝０と取り決めれば、統一のＴ式を使用する目的を達成できる。もう１つのケースとして、ＳＰＳ  ＰＤＳＣＨリリースに対して独立したＴ式を定義して算出してもよい。例えば、直接上記式からｄ１，１パラメータを除去すれば、以下の式を得ることができる。
2022500961.tif 000004
κは、ＬＴＥシステムの基本時間単位とＮＲの基本時間単位との比率である。
【００４４】  ２）前記第２所定条件は、下り伝送に対応するＰＤＣＣＨの終了シンボルが、ＨＡＲＱ−ＡＣＫを乗せた上りチャネルの開始シンボルの開始位置からＴ２時間前の最初のシンボル、最初の下りシンボル又は最初のＦｌｅｘｉｂｌｅシンボルである第２基準シンボルよりも遅いことを含み、又は、下り伝送に対応するＰＤＣＣＨの終了シンボル又は終了時刻が、ＨＡＲＱ−ＡＣＫを乗せた上りチャネルの開始シンボルの開始位置からＴ２時間前の時刻である第２基準時刻よりも遅いことを含み、又は、下り伝送に対応するＰＤＣＣＨの終了シンボル又は終了時刻と、ＨＡＲＱ−ＡＣＫを乗せた上りチャネルの開始シンボル又は開始時刻との時間間隔がＴ２時間よりも短いことを含む。ここで、前記Ｔ２は、予め定義された値であり、又は、前記Ｔ２は、設定に応じて決定される値であり、又は、前記Ｔ２は、１つの下り伝送のＨＡＲＱ−ＡＣＫと他の情報による多重伝送の最小処理遅延である。上記他の情報は、例えば他の上り制御情報、ＰＵＳＣＨに乗せた上りデータ（ＵＬ−ＳＣＨ）などの情報である。
【００４５】  ここで、下り伝送がＰＤＳＣＨである場合、下り伝送に対応するＰＤＣＣＨは、ＰＤＳＣＨをスケジューリングするＰＤＣＣＨである。下り伝送がＳＰＳ  ＰＤＳＣＨリリースである場合、下り伝送に対応するＰＤＣＣＨは、ＳＰＳ  ＰＤＳＣＨリリースを指示するＰＤＣＣＨである。
【００４６】  ここで、前記Ｔ２は、準静的ＨＡＲＱ−ＡＣＫコードブックを乗せた上りチャネルがＰＵＣＣＨである場合、以下のいずれかの式に従って算出される。
2022500961.tif 000005
ここで、下り伝送がＰＤＣＣＨによってスケジューリングされるＰＤＳＣＨである場合、μ２は、ＰＤＳＣＨをスケジューリングするＰＤＣＣＨ、ＰＤＳＣＨ、及びＰＵＣＣＨのそれぞれに対応するサブキャリア間隔のうち最小のサブキャリア間隔の番号であり、又は、μ２は、ＰＤＳＣＨをスケジューリングするＰＤＣＣＨ、ＰＤＳＣＨ、及びＰＵＣＣＨのそれぞれに対応するサブキャリア間隔のうち最大のＴ２値が得られるサブキャリア間隔の番号であり、及び／又は、下り伝送がＳＰＳ  ＰＤＳＣＨリリースである場合、μ２は、ＳＰＳ  ＰＤＳＣＨリリースを指示するＰＤＣＣＨ、及びＰＵＣＣＨのそれぞれに対応するサブキャリア間隔のうち最小のサブキャリア間隔の番号であり、又は、μ２は、ＳＰＳ  ＰＤＳＣＨリリースを指示するＰＤＣＣＨ、及びＰＵＣＣＨのそれぞれに対応するサブキャリア間隔のうち最大のＴ２値が得られるサブキャリア間隔の番号であり、及び／又は、下り伝送がＳＰＳ  ＰＤＳＣＨである場合、μ２は、ＳＰＳ  ＰＤＳＣＨ、及びＰＵＣＣＨのそれぞれに対応するサブキャリア間隔のうち最小のサブキャリア間隔の番号であり、又は、μ２は、ＳＰＳ  ＰＤＳＣＨ、及びＰＵＣＣＨのそれぞれに対応するサブキャリア間隔のうち最大のＴ２値が得られるサブキャリア間隔の番号であり、
2022500961.tif 000006
κは、ＬＴＥシステムの基本時間単位とＮＲの基本時間単位との比率である。
【００４７】  前記Ｔ２は、準静的ＨＡＲＱ−ＡＣＫコードブックを乗せた上りチャネルがＰＵＳＣＨである場合、以下のいずれかの式に従って算出される。
2022500961.tif 000007
ここで、μ３は、下り伝送に対応するＰＤＣＣＨ、ＰＵＣＣＨ、及びＰＵＳＣＨのそれぞれに対応するサブキャリア間隔のうち最小のサブキャリア間隔の番号であり、又は、μ３は、下り伝送に対応するＰＤＣＣＨ、ＰＵＣＣＨ、及びＰＵＳＣＨのそれぞれに対応するサブキャリア間隔のうち最大のＴ２値が得られるサブキャリア間隔の番号である。ここで、１つのＰＵＣＣＨ及びＰＵＳＣＨのみが存在する場合、ＰＵＣＣＨ及びＰＵＳＣＨに対応するサブキャリア間隔は、このＰＵＣＣＨ及びこのＰＵＳＣＨのそれぞれに対応するサブキャリア間隔である。複数の重なるＰＵＣＣＨ及びＰＵＳＣＨが存在する場合、ＰＵＣＣＨ及びＰＵＳＣＨに対応するサブキャリア間隔は、重なるＰＵＣＣＨ及びＰＵＳＣＨのそれぞれに対応するサブキャリア間隔を含む。複数のＰＵＣＣＨ及びＰＵＳＣＨのそれぞれに対応するサブキャリア間隔から最小のサブキャリア間隔又は最大のＴ１値が得られるサブキャリア間隔をまず選択し、他のチャネルに対応するサブキャリア間隔との間で選択すると理解してもよい。
μ４は、下り伝送及び／又はＰＵＳＣＨに対応するＰＤＣＣＨ、ＰＵＣＣＨ、及びＰＵＳＣＨのそれぞれに対応するサブキャリア間隔のうち最小のサブキャリア間隔の番号であり、又は、μ４は、下り伝送及び／又はＰＵＳＣＨに対応するＰＤＣＣＨ、ＰＵＣＣＨ、及びＰＵＳＣＨのそれぞれに対応するサブキャリア間隔のうち最大のＴ２値が得られるサブキャリア間隔の番号であり、
μ５は、下り伝送及び／又はＰＵＳＣＨに対応するＰＤＣＣＨ、ＰＵＣＣＨ、ＰＵＳＣＨ、及びＰＵＳＣＨに対応するＰＤＣＣＨに対応するＡ−ＣＳＩ−ＲＳのそれぞれに対応するサブキャリア間隔のうち最小のサブキャリア間隔の番号であり、又は、μ５は、下り伝送及び／又はＰＵＳＣＨに対応するＰＤＣＣＨ、ＰＵＣＣＨ、ＰＵＳＣＨ、及びＰＵＳＣＨに対応するＰＤＣＣＨに対応する非周期的チャネル状態情報基準信号Ａ−ＣＳＩ−ＲＳのそれぞれに対応するサブキャリア間隔のうち最大のＴ２値が得られるサブキャリア間隔の番号であり、
2022500961.tif 000008
ＰＵＳＣＨに対応するＰＤＣＣＨによって帯域幅部分ＢＷＰ切り替えをトリガーした場合、
2022500961.tif 000009
Ｚは、非周期的チャネル状態情報Ａ−ＣＳＩに対応する遅延であり、
ｄは、ＰＤＣＣＨとスケジューリングされるＰＤＳＣＨとの間で重なるシンボル数であり、
2022500961.tif 000010
κは、ＬＴＥシステムの基本時間単位とＮＲの基本時間単位との比率である。
【００４８】  任意選択で、本開示の実施例において、準静的ＨＡＲＱ−ＡＣＫコードブックがＰＵＣＣＨ上で伝送される場合、同一ＰＵＣＣＨ上での同時伝送が必要な複数の下り伝送の準静的ＨＡＲＱ−ＡＣＫコードブックが存在すれば、前記複数の下り伝送をスケジューリングするＰＤＣＣＨにおけるＰＵＣＣＨリソース指示フィールドは、同じＰＵＣＣＨリソースを指示する
【００４９】  以上、端末側の本開示の実施例における方法のフローを紹介した。以下、更にネットワーク側の挙動を紹介する。
【００５０】  図５を参照し、本開示の実施例は、基地局側に応用されるＨＡＲＱ−ＡＣＫコードブックの伝送方法を提供し、目標下り伝送に対応するＨＡＲＱ−ＡＣＫフィードバック情報を含まない準静的ＨＡＲＱ−ＡＣＫコードブックを送信するステップ５０１を含む。前記目標下り伝送は、処理遅延要件を満たさない第１下り伝送、及び、第１ＰＤＣＣＨの後の第２ＰＤＣＣＨに対応する第２下り伝送の少なくとも１つを含む。ここで、前記準静的ＨＡＲＱ−ＡＣＫコードブックは、前記第１ＰＤＣＣＨによってスケジューリングされるＰＵＳＣＨで伝送される。
【００５１】  ここで、前記第１下り伝送は、ＰＤＣＣＨによってスケジューリングされるＰＤＳＣＨ、ＳＰＳ  ＰＤＳＣＨ及びＳＰＳ  ＰＤＳＣＨリリースのうちの少なくとも１つを含み、
前記第２下り伝送は、ＰＤＣＣＨによってスケジューリングされるＰＤＳＣＨ及びＳＰＳ  ＰＤＳＣＨリリースのうちの少なくとも１つを含む。
【００５２】  ステップ５０１で準静的ＨＡＲＱ−ＡＣＫコードブックを受信する前に、基地局は、準静的ＨＡＲＱ−ＡＣＫコードブックの長さを決定し、更にステップ５０１で、決定された準静的ＨＡＲＱ−ＡＣＫコードブックの長さに基づいて、前記下り伝送に対応する準静的ＨＡＲＱ−ＡＣＫコードブックを受信する。
【００５３】  上記ステップによって、本開示の実施例に係る基地局は、ＨＡＲＱ−ＡＣＫ伝送ビット数に対する端末側の理解と同じ理解で、準静的ＨＡＲＱ−ＡＣＫコードブックを受信することによって、冗長なＨＡＲＱ−ＡＣＫフィードバックを低減し、システム効率及びＨＡＲＱ−ＡＣＫ伝送性能を向上させることができる。
【００５４】  端末と同様に、前記準静的ＨＡＲＱ−ＡＣＫコードブックを受信する前に、基地局は、まず前記準静的ＨＡＲＱ−ＡＣＫコードブックに対応する下り伝送機会セットを決定し、前記目標下り伝送を決定し、前記下り伝送機会セットから目標下り伝送を除去して最終的な下り伝送機会セットを取得し、その後、最終的な下り伝送機会セットに基づいて、対応する準静的ＨＡＲＱ−ＡＣＫコードブックを生成する。
【００５５】  別の実現方式として、本開示の実施例において、前記準静的ＨＡＲＱ−ＡＣＫコードブックに対応する下り伝送機会セットの決定中に前記目標下り伝送を除去し、直接最終的な下り伝送機会セットを取得し、その後、最終的な下り伝送機会セットに基づいて、対応する準静的ＨＡＲＱ−ＡＣＫコードブックを生成する。また別の実施形態として、本開示の実施例は、まず前記準静的ＨＡＲＱ−ＡＣＫコードブックに対応する下り伝送機会セットを決定し、更に該下り伝送機会セットに基づいて、対応する第１準静的ＨＡＲＱ−ＡＣＫコードブックを決定し、その後、前記目標下り伝送及びそれの第１準静的ＨＡＲＱ−ＡＣＫコードブックにおける対応位置を決定し、前記目標下り伝送の対応フィードバック情報を第１準静的ＨＡＲＱ−ＡＣＫコードブックから除去して、最終的な準静的ＨＡＲＱ−ＡＣＫコードブックを得る。
【００５６】  端末側と同様に、前記目標下り伝送が第１下り伝送を含む場合、本開示の実施例の基地局は、前記準静的ＨＡＲＱ−ＡＣＫコードブックを受信する前に、前記第１下り伝送を決定する必要がある。本開示の実施例は、第１下り伝送の多種類の決定方式を提供している。例えば、第１所定条件を満たす下り伝送を前記第１下り伝送に決定する。又は、第２所定条件を満たす下り伝送を前記第１下り伝送に決定する。又は、前記第１所定条件又は前記第２所定条件を満たす下り伝送を前記第１下り伝送に決定する。又は、前記第１所定条件と前記第２所定条件とを同時に満たす下り伝送を前記第１下り伝送に決定する。
【００５７】  第１所定条件及び第２所定条件について、上記の説明を参照し、記載の簡略化を図り、ここでは繰り返して述べない。
【００５８】  以下、２つの具体例を通じて、本開示の実施例の端末及び基地局の挙動を更に詳細に記載する。
【００５９】  例１：ＦＤＤシングルキャリアを例にとると、スロット毎に上りリソースと下りリソースが存在する。簡単にいうと、ＰＤＳＣＨ伝送は、スロット毎に１つだけ存在すると仮定する（１つのスロットに複数のＴＤＭのＰＤＳＣＨが存在してもよく、異なるスロットにおけるＰＤＳＣＨの個数は、異なっていてもよく、ＵＥの能力及びＰＤＳＣＨ候補時間領域リソースセットの配置に依存する。図６におけるＰＤＳＣＨの各スロットにおける時間領域伝送位置は、例示的なものに過ぎず、異なるスロットにおける伝送位置は、同じであっても異なっていてもよく、ＰＤＳＣＨ候補時間領域リソースセットのいずれであってもよい）。ＰＤＣＣＨ  ｍｏｎｉｔｏｒｉｎｇ  ｏｃｃａｓｉｏｎは、スロット毎に１つ存在すると仮定し（１つのスロットに複数のＰＤＣＣＨ  ｍｏｎｉｔｏｒｉｎｇ  ｏｃｃａｓｉｏｎが存在してもよく、異なるスロットに異なる数のＰＤＣＣＨ  ｍｏｎｉｔｏｒｉｎｇ  ｏｃｃａｓｉｏｎを有してもよく、図６におけるＰＤＣＣＨ  ｍｏｎｉｔｏｒｉｎｇ  ｏｃｃａｓｉｏｎの各スロットにおける時間領域伝送位置は、例示的なものに過ぎず、異なるスロットにおける伝送位置は、同じであっても異なっていてもよく、予めの設定に依存する）、ＰＤＳＣＨをスケジューリングするＰＤＣＣＨを送信し、又は、ＳＰＳ  ＰＤＳＣＨリリースを送信するＰＤＣＣＨを指示する。簡単にいうと、Ｋ０＝０を例にとると、即ちスロットｎにおけるＰＤＣＣＨ  ｍｏｎｉｔｏｒｉｎｇ  ｏｃｃａｓｉｏｎで伝送されるＰＤＣＣＨは、スロットｎ＋Ｋ０（即ちスロットｎ）で伝送されるＰＤＳＣＨをスケジューリングし、ＰＤＳＣＨをスケジューリングするこのＰＤＣＣＨは、更にＫ１値を通知し、このＰＤＳＣＨのＨＡＲＱ−ＡＣＫフィードバック情報伝送が存在するスロットがｎ＋Ｋ０＋Ｋ１であると決定する。各ＰＤＳＣＨは、１ビットのＨＡＲＱ−ＡＣＫに対応すると仮定し（例えば、各ＰＤＳＣＨは、単一のＴＢ伝送で設定される）、予め設定されたＫ１セットに｛０，１，２，３，４｝の５つの値が含まれていると仮定し、スロットｎにおけるｓｅｍｉ−ｓｔａｔｉｃ  ＨＡＲＱ−ＡＣＫ  ｃｏｄｅｂｏｏｋを決定する方式は、以下の通りである。
【００６０】  端末側：
１）Ｋ１セット、ＰＤＳＣＨ候補時間領域リソースセット、及びスロットにおける準静的な上り下りリソース割り当て（準静的な上り下りリソース割り当てが設定されている場合、使用されるが、設定されていない場合、これを考慮せず、スロット毎にスケジューリング可能であると見なす）に基づいて、スロットｎで伝送されるｓｅｍｉ−ｓｔａｔｉｃ  ＨＡＲＱ−ＡＣＫ  ｃｏｄｅｂｏｏｋに対応するＰＤＳＣＨ伝送機会セットＭを決定し、即ち、スロットｎ−４〜スロットｎ且つ各スロットにおいて１つのＰＤＳＣＨ伝送が存在する。
２）時間スロットｎでＨＡＲＱ−ＡＣＫフィードバックを行うＰＤＳＣＨをスケジューリングするＰＤＣＣＨにおけるＰＵＣＣＨリソース指示フィールド指示に基づいて、スロットｎにおいてＨＡＲＱ−ＡＣＫを乗せたＰＵＣＣＨリソースを決定する。
３）スロットｎにおけるＰＵＣＣＨの最初のシンボルの開始位置からＴ時間前に遡り、１つの基準点又は基準シンボル（例えば、Ｔ時間を満たす最初のシンボル又は下りシンボル又はＦｌｅｘｉｂｌｅシンボルであり、端末と基地局によって予め取り決められているか又はプロトコルに予め定義されたいずれかの決定方式であればよい）を見つけ、その基準点又は基準シンボルよりも終了時刻（即ちＰＤＳＣＨの最後のシンボルの終了位置）が遅いＰＤＳＣＨのＨＡＲＱ−ＡＣＫを、スロットｎのｓｅｍｉ−ｓｔａｔｉｃ  ＨＡＲＱ−ＡＣＫ  ｃｏｄｅｂｏｏｋに含めることをできないと決定する。例えば、基準点又は基準シンボルは、図６に示されている。すると、スロットｎ−１とスロットｎにおけるＰＤＳＣＨのＨＡＲＱ−ＡＣＫをスロットｎにおけるｓｅｍｉ−ｓｔａｔｉｃ  ＨＡＲＱ−ＡＣＫ  ｃｏｄｅｂｏｏｋに含めることをができないと決定し、これにより、これら２つのスロットにおける候補ＰＤＳＣＨ伝送機会をＭセットから除去して、最終的なＭセットを得る。即ち、最終的にスロットｎにおけるｓｅｍｉ−ｓｔａｔｉｃ  ＨＡＲＱ−ＡＣＫ  ｃｏｄｅｂｏｏｋを決定するのに使用されるＭセットは、スロットｎ−４〜スロットｎ−２における３個のＰＤＳＣＨ伝送機会である。ここで、第１ステップとともに、まず基準点又は基準シンボルを決定し、その後、第１ステップの説明に基づいてＭを決定し、Ｍの決定過程で、基準点又は基準シンボルを満たさない伝送機会を直接除去して最終的なＭセットを得る。最終的なＭセットに基づいて、スロットｎにおけるｓｅｍｉ−ｓｔａｔｉｃ  ＨＡＲＱ−ＡＣＫ  ｃｏｄｅｂｏｏｋが３ビットであると決定し、第１ビットは、スロットｎ−４におけるＰＤＳＣＨに対応し、第２ビットは、スロットｎ−３におけるＰＤＳＣＨに対応し、第３ビットは、スロットｎ−２におけるＰＤＳＣＨに対応する。別の方式として、まず、オリジナルＫ１に基づいて決定されたセットＭの中の元素数５に基づいて、ｓｅｍｉ−ｓｔａｔｉｃ  ＨＡＲＱ−ＡＣＫ  ｃｏｄｅｂｏｏｋに５ビットのＨＡＲＱ−ＡＣＫが含まれると決定し、それぞれスロットｎ−４〜スロットｎの１つのＰＤＳＣＨに対応し、その後、Ｔから得られた基準点又は基準シンボルに基づいて、この基準点又は基準シンボルよりも遅い終了位置のＰＤＳＣＨのＨＡＲＱ−ＡＣＫを、スロットｎのｓｅｍｉ−ｓｔａｔｉｃ  ＨＡＲＱ−ＡＣＫ  ｃｏｄｅｂｏｏｋに含めることができないと決定し、決定された５ビットのｓｅｍｉ−ｓｔａｔｉｃ  ＨＡＲＱ−ＡＣＫ  ｃｏｄｅｂｏｏｋから最後の２ビットを除去し、最終的に残された３ビットのＨＡＲＱ−ＡＣＫは、それぞれ、スロットｎ−４〜スロットｎ−２の３つのＰＤＳＣＨに対応する。
４）３ビットＨＡＲＱ−ＡＣＫに従ってＰＵＣＣＨ上でＨＡＲＱ−ＡＣＫフィードバック情報を送信する。
【００６１】  基地局側：
１）上記端末側と一致する方式で、どのＰＤＳＣＨ伝送機会がスロットｎのｓｅｍｉ−ｓｔａｔｉｃ  ＨＡＲＱ−ＡＣＫ  ｃｏｄｅｂｏｏｋに含まれないかを決定することで、端末が実際に伝送するスロットｎのｓｅｍｉ−ｓｔａｔｉｃ  ＨＡＲＱ−ＡＣＫ  ｃｏｄｅｂｏｏｋは、スロットｎ−４〜スロットｎ−２の３つのＰＤＳＣＨのみを含むと決定する。
２）３ビットＨＡＲＱ−ＡＣＫに従ってＰＵＣＣＨ上でＨＡＲＱ−ＡＣＫフィードバック情報を受信することにより、ＰＤＳＣＨに対応するＨＡＲＱ−ＡＣＫフィードバック情報を得る。
３）基地局による合理的なスケジューリングでは、スロットｎ−１におけるＰＤＳＣＨにＫ１＝１を設定せず、１よりも大きい値、例えばＫ１＝２を設定する可能性があり、スロットｎにおけるＰＤＳＣＨにＫ１＝０を設定することもなく、０よりも大きい値、例えばＫ１＝１を設定する可能性がある。すると、基地局がスロットｎ−１とｎで下りスケジューリングを行うことができ、これにより下り伝送効率が保証される。基地局が誤ってスケジューリングした場合、スロットｎ−１のＰＤＳＣＨにＫ１＝１を設定し、スロットｎのＰＤＳＣＨにＫ１＝０を設定する可能性もある。この場合、ＵＥは、処理を完了できないと判断した場合、これらのＰＤＳＣＨに対してはスロットｎにおいてＨＡＲＱ−ＡＣＫフィードバックを行うことができない。従って、基地局が、スロットｎにおいてＨＡＲＱ−ＡＣＫフィードバックを行うように、これらの位置のＰＤＳＣＨをスケジューリングするか否かにかかわらず、これらのＰＤＳＣＨの真のＨＡＲＱ−ＡＣＫは、常にスロットｎのｓｅｍｉ−ｓｔａｔｉｃ  ＨＡＲＱ−ＡＣＫ  ｃｏｄｅｂｏｏｋに含まれない。従って、スロットｎにおけるｓｅｍｉ−ｓｔａｔｉｃ  ＨＡＲＱ−ＡＣＫ  ｃｏｄｅｂｏｏｋは、ＨＡＲＱ−ＡＣＫフィードバックが可能なＰＤＳＣＨ伝送機会に応じて定めればよく、ＨＡＲＱ−ＡＣＫフィードバックが不可能なＰＤＳＣＨ伝送機会については、ＮＡＣＫスタブを行う必要がない。これにより、ＨＡＲＱ−ＡＣＫ伝送の冗長情報を低減し、伝送効率及び性能を向上させる。この場合、基地局と端末は、同じＴとＰＵＣＣＨ開始時刻に基づいて基準点又は基準シンボルを決定し、得られたｓｅｍｉ−ｓｔａｔｉｃ  ＨＡＲＱ−ＡＣＫ  ｃｏｄｅｂｏｏｋのサイズが一致し、理解の相違が存在しない。
【００６２】  例２：ＦＤＤシングルキャリアを例にとると、スロット毎に上りリソースと下りリソースが存在する。簡単にいうと、ＰＤＳＣＨ伝送は、スロット毎に１つだけ存在すると仮定する（１つのスロットに複数のＴＤＭのＰＤＳＣＨが存在してもよく、異なるスロットにおけるＰＤＳＣＨの個数は、異なっていてもよく、ＵＥの能力及びＰＤＳＣＨ候補時間領域リソースセットの配置に依存する。図７におけるＰＤＳＣＨの各スロットにおける時間領域伝送位置は、例示的なものに過ぎず、異なるスロットにおける伝送位置は、同じであっても異なっていてもよく、ＰＤＳＣＨ候補時間領域リソースセットのいずれであってもよい）。ＰＤＣＣＨ  ｍｏｎｉｔｏｒｉｎｇ  ｏｃｃａｓｉｏｎは、スロット毎に１つ存在すると仮定し（１つのスロットに複数のＰＤＣＣＨ  ｍｏｎｉｔｏｒｉｎｇ  ｏｃｃａｓｉｏｎが存在してもよく、異なるスロットに異なる数のＰＤＣＣＨ  ｍｏｎｉｔｏｒｉｎｇ  ｏｃｃａｓｉｏｎを有してもよく、図７におけるＰＤＣＣＨ  ｍｏｎｉｔｏｒｉｎｇ  ｏｃｃａｓｉｏｎの各スロットにおける時間領域伝送位置は、例示的なものに過ぎず、異なるスロットにおける伝送位置は、同じであっても異なっていてもよく、予めの設定に依存する）、ＰＤＳＣＨをスケジューリングするＰＤＣＣＨを送信し、又は、ＳＰＳ  ＰＤＳＣＨリリースを送信するＰＤＣＣＨを指示する。簡単にいうと、Ｋ０＝０を例にとると、即ちスロットｎにおけるＰＤＣＣＨ  ｍｏｎｉｔｏｒｉｎｇ  ｏｃｃａｓｉｏｎで伝送されるＰＤＣＣＨは、スロットｎ＋Ｋ０（即ちスロットｎ）で伝送されるＰＤＳＣＨをスケジューリングし、ＰＤＳＣＨをスケジューリングするこのＰＤＣＣＨは、更にＫ１値を通知し、このＰＤＳＣＨのＨＡＲＱ−ＡＣＫフィードバック情報伝送が存在するスロットがｎ＋Ｋ０＋Ｋ１であると決定する。各ＰＤＳＣＨは、１ビットのＨＡＲＱ−ＡＣＫに対応すると仮定し（例えば、各ＰＤＳＣＨは、単一のＴＢ伝送で設定される）、予め設定されたＫ１セットに｛０，１，２，３，４｝の５つの値が含まれていると仮定し、スロットｎ−１で１つのＰＤＣＣＨを送信してスロットｎでＰＵＳＣＨ伝送を行うようにスケジューリングすると仮定する。ここでＫ２＝１は、ＰＵＳＣＨスケジューリングタイミングであり、スロットｎ−１におけるＰＤＣＣＨがスロットｎ−１＋Ｋ２におけるＰＵＳＣＨ伝送をスケジューリングすることを示す。スロットｎにおけるｓｅｍｉ−ｓｔａｔｉｃ  ＨＡＲＱ−ＡＣＫ  ｃｏｄｅｂｏｏｋを決定する方式は、以下の通りである。
【００６３】  端末側：
１）Ｋ１セット、ＰＤＳＣＨ候補時間領域リソースセット、及びスロットにおける準静的な上り下りリソース割り当て（準静的な上り下りリソース割り当てが設定されている場合、使用されるが、設定されていない場合、これを考慮せず、スロット毎にスケジューリング可能であると見なす）に基づいて、スロットｎで伝送されるｓｅｍｉ−ｓｔａｔｉｃ  ＨＡＲＱ−ＡＣＫ  ｃｏｄｅｂｏｏｋに対応するＰＤＳＣＨ伝送機会セットＭを決定し、即ち、スロットｎ−４〜スロットｎ且つ各スロットにおいて１つのＰＤＳＣＨ伝送が存在する。
２）時間スロットｎでＨＡＲＱ−ＡＣＫフィードバックを行うＰＤＳＣＨをスケジューリングするＰＤＣＣＨにおけるＰＵＣＣＨリソース指示フィールド指示に基づいて、時間スロットｎにおいてＨＡＲＱ−ＡＣＫを乗せたＰＵＣＣＨリソースを決定する。
３）該ＰＵＣＣＨとスロットｎにおけるＰＵＳＣＨとは時間領域でリソースが重なると仮定すると、スロットｎにおけるＰＵＣＣＨ上で伝送されるＨＡＲＱ−ＡＣＫをＰＵＳＣＨに移して伝送する必要があり、ＰＵＣＣＨを伝送しない。
４）最終的に伝送されるＨＡＲＱ−ＡＣＫビット数を決定する。
方式ａ：図７に示すように、上記Ｍセットに含まれる、ＵＬ  ｇｒａｎｔ（ＰＵＳＣＨをスケジューリングするＰＤＣＣＨ）の後のＰＤＣＣＨ  ｍｏｎｉｔｏｒｉｎｇ  ｏｃｃａｓｉｏｎで伝送されるＰＤＣＣＨによってスケジューリングされる下り伝送を、Ｍセットから除去すると決定する。即ち、スロットｎにおけるＰＤＳＣＨは、ＵＬ  ｇｒａｎｔの後のＰＤＣＣＨ  ｍｏｎｉｔｏｒｉｎｇ  ｏｃｃａｓｉｏｎで伝送されるＰＤＣＣＨによってスケジューリングされるため、スロットｎにおけるＰＤＳＣＨを含まず、最終的なＭセットを得る。即ち、スロットｎにおけるｓｅｍｉ−ｓｔａｔｉｃ  ＨＡＲＱ−ＡＣＫ  ｃｏｄｅｂｏｏｋにＨＡＲＱ−ＡＣＫを含めることができない。又は、直接第１ステップとともに、即ち、Ｍセットを決定する場合、ＵＬ  ｇｒａｎｔ（ＰＵＳＣＨをスケジューリングするＰＤＣＣＨ）の後のＰＤＣＣＨ  ｍｏｎｉｔｏｒｉｎｇ  ｏｃｃａｓｉｏｎで伝送されるＰＤＣＣＨによってスケジューリングされる下り伝送がＭセットに含まれないことを考慮し、最終的なＭセットを得る。最終的なＭセットに基づいて、スロットｎにおけるｓｅｍｉ−ｓｔａｔｉｃ  ＨＡＲＱ−ＡＣＫ  ｃｏｄｅｂｏｏｋが４ビットであると決定し、第１ビットは、スロットｎ−４におけるＰＤＳＣＨに対応し、第２ビットは、スロットｎ−３におけるＰＤＳＣＨに対応し、第３ビットは、スロットｎ−２におけるＰＤＳＣＨに対応し、第４ビットは、スロットｎ−１におけるＰＤＳＣＨに対応する。別の方式として、まず、オリジナルＫ１に基づいて決定されたセットＭの中の元素数５に基づいて、ｓｅｍｉ−ｓｔａｔｉｃ  ＨＡＲＱ−ＡＣＫ  ｃｏｄｅｂｏｏｋに５ビットのＨＡＲＱ−ＡＣＫが含まれると決定し、それぞれスロットｎ−４〜スロットｎの１つのＰＤＳＣＨに対応し、その後、その中から、ＵＬ  ｇｒａｎｔの後のＰＤＣＣＨ  ｍｏｎｉｔｏｒｉｎｇ  ｏｃｃａｓｉｏｎで伝送されるＰＤＣＣＨによってスケジューリングされる下り伝送を除去し、決定された５ビットのｓｅｍｉ−ｓｔａｔｉｃ  ＨＡＲＱ−ＡＣＫ  ｃｏｄｅｂｏｏｋから最後の１ビットを除去する。最終的に残された４ビットのＨＡＲＱ−ＡＣＫは、それぞれ、スロットｎ−４〜スロットｎ−１の４つのＰＤＳＣＨに対応する。
方式ｂ：図８に示すように、スロットｎにおけるＰＵＳＣＨの最初のシンボルの開始位置からＴ時間前に遡り（取り決められているのであれば、ＰＵＣＣＨの最初シンボルの開始位置からＴ時間前に遡り）、１つの基準点又は基準シンボル（例えば、Ｔ時間を満たす最初のシンボル又は下りシンボル又はＦｌｅｘｉｂｌｅシンボルであり、端末と基地局によって予め取り決められているか又はプロトコルに予め定義されたいずれかの決定方式であればよい）を見つけ、その基準点又は基準シンボルよりも終了時刻（即ちＰＤＳＣＨの最後のシンボルの終了位置）が遅いＰＤＳＣＨのＨＡＲＱ−ＡＣＫを、スロットｎのｓｅｍｉ−ｓｔａｔｉｃ  ＨＡＲＱ−ＡＣＫ  ｃｏｄｅｂｏｏｋに含めることをできないと決定する。例えば、基準点又は基準シンボルは、図８に示されている。すると、スロットｎ−１とスロットｎにおけるＰＤＳＣＨのＨＡＲＱ−ＡＣＫをスロットｎにおけるｓｅｍｉ−ｓｔａｔｉｃ  ＨＡＲＱ−ＡＣＫ  ｃｏｄｅｂｏｏｋに含めることをができないと決定し、これにより、これらのスロットにおける候補ＰＤＳＣＨ伝送機会をＭセットから除去して、最終的なＭセットを得る。即ち、最終的にスロットｎにおけるｓｅｍｉ−ｓｔａｔｉｃ  ＨＡＲＱ−ＡＣＫ  ｃｏｄｅｂｏｏｋを決定するのに使用されるＭセットは、スロットｎ−４〜スロットｎ−２における３個のＰＤＳＣＨ伝送機会である。ここで、第１ステップとともに、まず基準点又は基準シンボルを決定し、その後、第１ステップの説明に基づいてＭを決定し、Ｍの決定過程で、基準点又は基準シンボルを満たさない伝送機会を直接除去して最終的なＭセットを得る。最終的なＭセットに基づいて、スロットｎにおけるｓｅｍｉ−ｓｔａｔｉｃ  ＨＡＲＱ−ＡＣＫ  ｃｏｄｅｂｏｏｋが３ビットであると決定する。第１ビットは、スロットｎ−４におけるＰＤＳＣＨに対応し、第２ビットは、スロットｎ−３におけるＰＤＳＣＨに対応し、第３ビットは、スロットｎ−２におけるＰＤＳＣＨに対応する。別の方式として、まず、オリジナルＫ１に基づいて決定されたセットＭの中の元素数５に基づいて、ｓｅｍｉ−ｓｔａｔｉｃ  ＨＡＲＱ−ＡＣＫ  ｃｏｄｅｂｏｏｋに５ビットのＨＡＲＱ−ＡＣＫが含まれると決定し、それぞれスロットｎ−４〜スロットｎの１つのＰＤＳＣＨに対応し、その後、Ｔから得られた基準点又は基準シンボルに基づいて、この基準点又は基準シンボルよりも遅い終了位置のＰＤＳＣＨのＨＡＲＱ−ＡＣＫを、スロットｎのｓｅｍｉ−ｓｔａｔｉｃ  ＨＡＲＱ−ＡＣＫ  ｃｏｄｅｂｏｏｋに含めることができないと決定し、決定された５ビットのｓｅｍｉ−ｓｔａｔｉｃ  ＨＡＲＱ−ＡＣＫ  ｃｏｄｅｂｏｏｋから最後の２ビットを除去し、最終的に残された３ビットのＨＡＲＱ−ＡＣＫは、それぞれ、スロットｎ−４〜スロットｎ−２の３つのＰＤＳＣＨに対応する。
方式ｃ：同時にＴ及びＵＬ  ｇｒａｎｔによって決定される。図９に示されるように、上記方式１及び方式２に従って決定された含めることができず、除去されたＰＤＳＣＨの和集合に相当する。従って、最終的なＭセットは、スロットｎ−４〜スロットｎ−２のＰＤＳＣＨのみを含む。従って、最終的に３ビットのＨＡＲＱ−ＡＣＫを伝送する。
５）上記最終的に決定されたビット数のＨＡＲＱ−ＡＣＫに従ってＰＵＳＣＨ上にＨＡＲＱ−ＡＣＫフィードバック情報を送信する。
【００６４】  基地局側：
１）上記端末側と一致する方式で、どのＰＤＳＣＨ伝送機会がスロットｎのｓｅｍｉ−ｓｔａｔｉｃ  ＨＡＲＱ−ＡＣＫ  ｃｏｄｅｂｏｏｋに含まれないかを決定することで、端末が実際に伝送するスロットｎのｓｅｍｉ−ｓｔａｔｉｃ  ＨＡＲＱ−ＡＣＫ  ｃｏｄｅｂｏｏｋは、スロットｎ−４〜スロットｎ−２の３つのＰＤＳＣＨのみを含むと決定する。
２）３ビットＨＡＲＱ−ＡＣＫに従ってＰＵＣＣＨ上でＨＡＲＱ−ＡＣＫフィードバック情報を受信することにより、ＰＤＳＣＨに対応するＨＡＲＱ−ＡＣＫフィードバック情報を得る。
【００６５】  ここで、基地局による合理的なスケジューリングでは、例えばスロットｎにおけるＰＤＳＣＨにＫ１＝０を設定せず、０よりも大きい値、例えばＫ１＝１を設定する可能性がある。すると、基地局がスロットｎで下りスケジューリングを行うことができ、これにより下り伝送効率が保証される。基地局が誤ってスケジューリングした場合、スロットｎのＰＤＳＣＨにＫ１＝０を設定する可能性がある。この場合、ＵＥは、これらの下り伝送がＵＬ  ｇｒａｎｔの後に発生すると判断する。ＵＬ  ｇｒａｎｔの中のＤＡＩにこれらの伝送を含めることができないため、これらのＰＤＳＣＨについては、スロットｎにおいてＨＡＲＱ−ＡＣＫフィードバックを行うことができない。従って、基地局が、スロットｎにおいてＨＡＲＱ−ＡＣＫフィードバックを行うように、これらの位置のＰＤＳＣＨをスケジューリングするか否かにかかわらず、これらのＰＤＳＣＨの真のＨＡＲＱ−ＡＣＫは、常にスロットｎのｓｅｍｉ−ｓｔａｔｉｃ  ＨＡＲＱ−ＡＣＫ  ｃｏｄｅｂｏｏｋに含まれない。従って、スロットｎにおけるｓｅｍｉ−ｓｔａｔｉｃ  ＨＡＲＱ−ＡＣＫ  ｃｏｄｅｂｏｏｋは、ＨＡＲＱ−ＡＣＫフィードバックが可能なＰＤＳＣＨ伝送機会に応じて定めればよく、ＨＡＲＱ−ＡＣＫフィードバックが不可能なＰＤＳＣＨ伝送機会については、ＮＡＣＫスタブを行う必要がない。これにより、ＨＡＲＱ−ＡＣＫ伝送の冗長情報を低減し、伝送効率及び性能を向上させる。この場合、基地局と端末は、同じ規則（例えばＵＬ  ｇｒａｎｔ及び／又はＴ）に基づいて、どの下り伝送がｓｅｍｉ−ｓｔａｔｉｃ  ＨＡＲＱ−ＡＣＫ  ｃｏｄｅｂｏｏｋに含まれないかを決定し、得られたｓｅｍｉ−ｓｔａｔｉｃ  ＨＡＲＱ−ＡＣＫ  ｃｏｄｅｂｏｏｋのサイズが一致し、理解の相違が存在しない。
【００６６】  なお、上記の例において、上記の全て又は任意のＰＤＳＣＨをＳＰＳ  ＰＤＳＣＨ  ｒｅｌｅａｓｅ（即ち、ＳＰＳリソースリリースを指示するＰＤＣＣＨ）に置き換えても同様に適用する。相違点として、このＳＰＳ  ＰＤＳＣＨ  ｒｅｌｅａｓｅ自体がＰＤＣＣＨであり、スロット毎のＰＤＣＣＨ  ｍｏｎｉｔｏｒｉｎｇ  ｏｃｃａｓｉｏｎにおいて伝送する必要があり、他のＰＤＣＣＨによってこの伝送をスケジューリングする必要がない。上記の全て又は任意のＰＤＳＣＨをＳＰＳ  ＰＤＳＣＨに置き換えても同様に適用する。上記例では、ＦＤＤのみを例に挙げたが、ＴＤＤでも同様に適用する。唯一の相違点として、ＰＤＳＣＨ又はＳＰＳ  ＰＤＳＣＨ  ｒｅｌｅａｓｅ伝送に利用可能な下りシンボルがスロット毎に存在するとは限らない。従って、Ｍセットで決定された伝送機会は、連続なスロットにおけるものとは限らない。一部のスロットに下り伝送リソースが存在せず、又は、下り伝送リソースが候補のＰＤＳＣＨ時間領域リソースサイズに不十分であるため、これらのスロットを除外する。上記の例において、複数のキャリアアグリゲーションが存在する場合、各キャリア上で、そのキャリアに対応するＰＤＳＣＨ候補時間領域リソースセット、Ｋ１セット、及びそのキャリアのスロット構造（設定された場合）に基づいて、その対応するＭセットを決定し、それ以外は、以上と同様である。それによって、各キャリアに対応するＨＡＲＱ−ＡＣＫ  ｃｏｄｅｂｏｏｋが得られた後、複数のキャリアのＨＡＲＱ−ＡＣＫ  ｃｏｄｅｂｏｏｋを、キャリア番号の小さい順にカスケートし、最終的にＰＵＣＣＨ上で伝送されるＨＡＲＱ−ＡＣＫ  ｃｏｄｅｂｏｏｋを構成する。
【００６７】  上記例１では、単にスロットｎにＨＡＲＱ−ＡＣＫを乗せたＰＵＣＣＨが他のＰＵＣＣＨと衝突しないことを例としたが、ＨＡＲＱ−ＡＣＫを乗せたＰＵＣＣＨが他のＰＵＣＣＨと（ＣＳＩ及び／又はＳＲを乗せるＰＵＣＣＨ）時間領域で重なると、上記過程は、同様に適用する。Ｔ値が変化する可能性があることは、考えられる相違点である。例えばＨＡＲＱ−ＡＣＫを乗せたＰＵＣＣＨが他のＰＵＣＣＨと衝突しない場合、Ｔは、第１所定条件の下記式に従って算出される。
2022500961.tif 000011
【００６８】  ＨＡＲＱ−ＡＣＫを乗せたＰＵＣＣＨが他のＰＵＣＣＨと衝突する場合、Ｔは、第１所定条件
2022500961.tif 000012
定条件のいずれか１つを満たし、例えば、ＴをＴ１とＴ２の最大値に定義し、即ち、
2022500961.tif 000013
１所定条件と第２所定条件を同時に満たし、例えば、ＴをＴ１とＴ２の最小値に定義し、即ち、
2022500961.tif 000014
【００６９】  上記例２の場合、スロットｎにおけるＰＵＳＣＨがＡ−ＣＳＩを乗せていないＰＵＳＣＨで
2022500961.tif 000015
2022500961.tif 000016
【００７０】  スロットｎにおけるＰＵＳＣＨがＡ−ＣＳＩを乗せたＰＵＳＣＨであれば、Ｔは、第１所定条件のＴ１値であり、具体的には上記同様である。Ｔは、第２所定条件のＴ２値であってもよく、
2022500961.tif 000017
うちの最大値又は最小値であってもよく、具体的には上記同様であり、繰り返して述べない。
【００７１】  上記Ｔ値の定義は、単に例であり、他の方式のＴ値の定義、例えば上記の記載にあった各種類の時間パラメータの他の組み合わせによるＴ値の式が除外されない。
【００７２】  上記実施例において、準静的ＨＡＲＱ−ＡＣＫコードブックがＰＵＣＣＨ上で伝送される場合とＰＵＳＣＨ上で伝送される場合、上記と同様又は異なる方式で判断することができる。
【００７３】  準静的ＨＡＲＱ−ＡＣＫコードブックがＰＵＣＣＨ上で伝送される場合、同一ＰＵＣＣＨ上での同時伝送が必要な複数の下り伝送の準静的ＨＡＲＱ−ＡＣＫコードブックが存在すれば、前記複数の下り伝送をスケジューリングするＰＤＣＣＨにおけるＰＵＣＣＨリソース指示フィールドは、同じＰＵＣＣＨリソースを指示する。
【００７４】  上記方法に基づいて、本開示の実施例は、更に、上記方法を実施する機器を提供する。
【００７５】  図１０は、本開示の実施例に係る端末の構造図である。該端末１００は、プロセッサ１００１と、トランシーバ１００２と、メモリ１００３と、ユーザインタフェース１００４と、バスインタフェースを含む。ここで、本開示の実施例において、端末１０００は、メモリ１００３に格納されてプロセッサ１００１で実行可能なコンピュータプログラムを更に含む。
【００７６】  前記トランシーバ１００２は、目標下り伝送に対応するＨＡＲＱ−ＡＣＫフィードバック情報を含まない準静的ＨＡＲＱ−ＡＣＫコードブックを送信する。前記目標下り伝送は、処理遅延要件を満たさない第１下り伝送、及び、第１ＰＤＣＣＨの後の第２ＰＤＣＣＨに対応する第２下り伝送の少なくとも１つを含む。ここで、前記準静的ＨＡＲＱ−ＡＣＫコードブックは、前記第１ＰＤＣＣＨによってスケジューリングされるＰＵＳＣＨで伝送される。
【００７７】  ここで、前記第１下り伝送は、ＰＤＣＣＨによってスケジューリングされるＰＤＳＣＨ、ＳＰＳ  ＰＤＳＣＨ及びＳＰＳ  ＰＤＳＣＨリリースのうちの少なくとも１つを含み、前記第２下り伝送は、ＰＤＣＣＨによってスケジューリングされるＰＤＳＣＨ及びＳＰＳ  ＰＤＳＣＨリリースのうちの少なくとも１つを含む。
【００７８】  図１０において、バスアーキテクチャは、任意数の相互接続するバスとブリッジを含み、具体的に、プロセッサ１００１をはじめとする１つ又は複数のプロセッサとメモリ１００３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１００２は、複数の部品であってもよく、即ち送信機と受信機を含み、伝送媒体でほかの各種類の装置と通信するユニットとして提供される。ユーザ端末によっては、ユーザインタフェース１００４は、内部接続や外部接続する機器のインタフェースであってもよい。接続する機器は、キーパッド、ディスプレイ、スピーカ、マイクロフォン、ジョイスティックなどを含むが、それらに限られない。
【００７９】  プロセッサ１００１は、バスアーキテクチャと通常の処理を管理する。メモリ１００３は、プロセッサ１００１による操作実行に使用されるデータを記憶できる。
【００８０】  ここで、前記プロセッサ１００１は、メモリの中のプログラムを読み取ることによって、前記第１下り伝送に対応するＨＡＲＱ−ＡＣＫフィードバック情報が前記準静的ＨＡＲＱ−ＡＣＫコードブックに含まれない場合、前記下り伝送に対応する準静的ＨＡＲＱ−ＡＣＫコードブックを送信する前に、更に、第１所定条件を満たす下り伝送を前記第１下り伝送に決定するプロセス、又は、第２所定条件を満たす下り伝送を前記第１下り伝送に決定するプロセス、又は、前記第１所定条件又は前記第２所定条件を満たす下り伝送を前記第１下り伝送に決定するプロセス、又は、前記第１所定条件と前記第２所定条件とを同時に満たす下り伝送を前記第１下り伝送に決定するプロセスを実行する。
【００８１】  任意選択で、前記第１所定条件は、下り伝送の終了シンボルが、ＨＡＲＱ−ＡＣＫコードブックを乗せた上りチャネルの開始シンボルの開始位置からＴ１時間前の最初のシンボル、最初の下りシンボル又は最初のフレキシブルＦｌｅｘｉｂｌｅシンボルである第１基準シンボルよりも遅いことを含み、又は、下り伝送の終了シンボル又は終了時刻が、ＨＡＲＱ−ＡＣＫコードブックを乗せた上りチャネルの開始シンボルの開始位置からＴ１時間前の時刻である第１基準時刻よりも遅いことを含み、又は、下り伝送の終了シンボル又は終了時刻と、ＨＡＲＱ−ＡＣＫを乗せた上りチャネルの開始シンボル又は開始時刻との時間間隔がＴ１時間よりも短いことを含む。ここで、前記Ｔ１は、予め定義された値であり、又は、前記Ｔ１は、設定に応じて決定される値であり、又は、前記Ｔ１は、下り伝送によるＨＡＲＱ−ＡＣＫフィードバックの最小処理遅延である。
【００８２】  ここで、前記Ｔ１は、以下のいずれかの式に従って算出される。
2022500961.tif 000018
ここで、下り伝送がＰＤＣＣＨによってスケジューリングされるＰＤＳＣＨである場合、μ１は、ＰＤＳＣＨをスケジューリングするＰＤＣＣＨ、ＰＤＳＣＨ、及びＰＵＣＣＨのそれぞれに対応するサブキャリア間隔のうち最小のサブキャリア間隔の番号であり、又は、μ１は、ＰＤＳＣＨをスケジューリングするＰＤＣＣＨ、ＰＤＳＣＨ、及びＰＵＣＣＨのそれぞれに対応するサブキャリア間隔のうち最大のＴ１値が得られるサブキャリア間隔の番号であり、及び／又は、下り伝送がＳＰＳ  ＰＤＳＣＨリリースである場合、μ１は、ＳＰＳ  ＰＤＳＣＨリリースを指示するＰＤＣＣＨ、及びＰＵＣＣＨのそれぞれに対応するサブキャリア間隔のうち最小のサブキャリア間隔の番号であり、又は、μ１は、ＳＰＳ  ＰＤＳＣＨリリースを指示するＰＤＣＣＨ、及びＰＵＣＣＨのそれぞれに対応するサブキャリア間隔のうち最大のＴ１値が得られるサブキャリア間隔の番号であり、及び／又は、下り伝送がＳＰＳ  ＰＤＳＣＨである場合、μ１は、ＳＰＳ  ＰＤＳＣＨ、及びＰＵＣＣＨのそれぞれに対応するサブキャリア間隔のうち最小のサブキャリア間隔の番号であり、又は、μ１は、ＳＰＳ  ＰＤＳＣＨ、及びＰＵＣＣＨのそれぞれに対応するサブキャリア間隔のうち最大のＴ１値が得られるサブキャリア間隔の番号であり、
2022500961.tif 000019
κは、ＬＴＥシステムの基本時間単位とＮＲの基本時間単位との比率である。
【００８３】  任意選択で、前記第２所定条件は、下り伝送に対応するＰＤＣＣＨの終了シンボルが、ＨＡＲＱ−ＡＣＫを乗せた上りチャネルの開始シンボルの開始位置からＴ２時間前の最初のシンボル、最初の下りシンボル又は最初のＦｌｅｘｉｂｌｅシンボルである第２基準シンボルよりも遅いことを含み、又は、下り伝送に対応するＰＤＣＣＨの終了シンボル又は終了時刻が、ＨＡＲＱ−ＡＣＫを乗せた上りチャネルの開始シンボルの開始位置からＴ２時間前の時刻である第２基準時刻よりも遅いことを含み、又は、下り伝送に対応するＰＤＣＣＨの終了シンボル又は終了時刻と、ＨＡＲＱ−ＡＣＫを乗せた上りチャネルの開始シンボル又は開始時刻との時間間隔がＴ２時間よりも短いことを含む。ここで、前記Ｔ２は、予め定義された値であり、又は、前記Ｔ２は、設定に応じて決定される値であり、又は、前記Ｔ２は、１つの下り伝送のＨＡＲＱ−ＡＣＫと他の情報による多重伝送の最小処理遅延である。
【００８４】  ここで、前記Ｔ２は、準静的ＨＡＲＱ−ＡＣＫコードブックを乗せた上りチャネルがＰＵＣＣＨである場合、以下のいずれかの式に従って算出される。
2022500961.tif 000020
ここで、下り伝送がＰＤＣＣＨによってスケジューリングされるＰＤＳＣＨである場合、μ２は、ＰＤＳＣＨをスケジューリングするＰＤＣＣＨ、ＰＤＳＣＨ、及びＰＵＣＣＨのそれぞれに対応するサブキャリア間隔のうち最小のサブキャリア間隔の番号であり、又は、μ２は、ＰＤＳＣＨをスケジューリングするＰＤＣＣＨ、ＰＤＳＣＨ、及びＰＵＣＣＨのそれぞれに対応するサブキャリア間隔のうち最大のＴ２値が得られるサブキャリア間隔の番号であり、及び／又は、下り伝送がＳＰＳ  ＰＤＳＣＨリリースである場合、μ２は、ＳＰＳ  ＰＤＳＣＨリリースを指示するＰＤＣＣＨ、及びＰＵＣＣＨのそれぞれに対応するサブキャリア間隔のうち最小のサブキャリア間隔の番号であり、又は、μ２は、ＳＰＳ  ＰＤＳＣＨリリースを指示するＰＤＣＣＨ、及びＰＵＣＣＨのそれぞれに対応するサブキャリア間隔のうち最大のＴ２値が得られるサブキャリア間隔の番号であり、及び／又は、下り伝送がＳＰＳ  ＰＤＳＣＨである場合、μ２は、ＳＰＳ  ＰＤＳＣＨ、及びＰＵＣＣＨのそれぞれに対応するサブキャリア間隔のうち最小のサブキャリア間隔の番号であり、又は、μ２は、ＳＰＳ  ＰＤＳＣＨ、及びＰＵＣＣＨのそれぞれに対応するサブキャリア間隔のうち最大のＴ２値が得られるサブキャリア間隔の番号であり、
2022500961.tif 000021
2022500961.tif 000022
κは、ＬＴＥシステムの基本時間単位とＮＲの基本時間単位との比率である。
【００８５】  ここで、前記Ｔ２は、準静的ＨＡＲＱ−ＡＣＫコードブックを乗せた上りチャネルがＰＵＳＣＨである場合、以下のいずれかの式に従って算出される。
2022500961.tif 000023
ここで、μ３は、下り伝送に対応するＰＤＣＣＨ、ＰＵＣＣＨ、及びＰＵＳＣＨのそれぞれに対応するサブキャリア間隔のうち最小のサブキャリア間隔の番号であり、又は、μ３は、下り伝送に対応するＰＤＣＣＨ、ＰＵＣＣＨ、及びＰＵＳＣＨのそれぞれに対応するサブキャリア間隔のうち最大のＴ２値が得られるサブキャリア間隔の番号であり、
μ４は、下り伝送及び／又はＰＵＳＣＨに対応するＰＤＣＣＨ、ＰＵＣＣＨ、及びＰＵＳＣＨのそれぞれに対応するサブキャリア間隔のうち最小のサブキャリア間隔の番号であり、又は、μ４は、下り伝送及び／又はＰＵＳＣＨに対応するＰＤＣＣＨ、ＰＵＣＣＨ、及びＰＵＳＣＨのそれぞれに対応するサブキャリア間隔のうち最大のＴ２値が得られるサブキャリア間隔の番号であり、
μ５は、下り伝送及び／又はＰＵＳＣＨに対応するＰＤＣＣＨ、ＰＵＣＣＨ、ＰＵＳＣＨ、及びＰＵＳＣＨに対応するＰＤＣＣＨに対応するＡ−ＣＳＩ−ＲＳのそれぞれに対応するサブキャリア間隔のうち最小のサブキャリア間隔の番号であり、又は、μ５は、下り伝送及び／又はＰＵＳＣＨに対応するＰＤＣＣＨ、ＰＵＣＣＨ、ＰＵＳＣＨ、及びＰＵＳＣＨに対応するＰＤＣＣＨに対応する非周期的チャネル状態情報基準信号Ａ−ＣＳＩ−ＲＳのそれぞれに対応するサブキャリア間隔のうち最大のＴ２値が得られるサブキャリア間隔の番号であり、
2022500961.tif 000024
ＰＵＳＣＨに対応するＰＤＣＣＨによって帯域幅部分ＢＷＰ切り替えをトリガーした場合、
2022500961.tif 000025
Ｚは、非周期的チャネル状態情報Ａ−ＣＳＩに対応する遅延であり、
ｄは、ＰＤＣＣＨとスケジューリングされるＰＤＳＣＨとの間で重なるシンボル数であり、
2022500961.tif 000026
κは、ＬＴＥシステムの基本時間単位とＮＲの基本時間単位との比率である。
【００８６】  ここで、準静的ＨＡＲＱ−ＡＣＫコードブックがＰＵＣＣＨ上で伝送される場合、同一ＰＵＣＣＨ上での同時伝送が必要な複数の下り伝送の準静的ＨＡＲＱ−ＡＣＫコードブックが存在すれば、前記複数の下り伝送をスケジューリングするＰＤＣＣＨにおけるＰＵＣＣＨリソース指示フィールドは、同じＰＵＣＣＨリソースを指示する。
【００８７】  図１１を参照し、本開示の実施例に係る別の端末１１０は、目標下り伝送に対応するＨＡＲＱ−ＡＣＫフィードバック情報を含まない準静的ＨＡＲＱ−ＡＣＫコードブックを送信する送信ユニット１１１を含む。前記目標下り伝送は、処理遅延要件を満たさない第１下り伝送、及び、第１ＰＤＣＣＨの後の第２ＰＤＣＣＨに対応する第２下り伝送の少なくとも１つを含む。ここで、前記準静的ＨＡＲＱ−ＡＣＫコードブックは、前記第１ＰＤＣＣＨによってスケジューリングされるＰＵＳＣＨで伝送される。
【００８８】  任意選択で、上記端末は、更に決定ユニットを含む。決定ユニットは、前記第１下り伝送に対応するＨＡＲＱ−ＡＣＫフィードバック情報が前記準静的ＨＡＲＱ−ＡＣＫコードブックに含まれない場合、更に、第１所定条件を満たす下り伝送を前記第１下り伝送に決定し、又は、第２所定条件を満たす下り伝送を前記第１下り伝送に決定し、又は、前記第１所定条件又は前記第２所定条件を満たす下り伝送を前記第１下り伝送に決定し、又は、前記第１所定条件と前記第２所定条件とを同時に満たす下り伝送を前記第１下り伝送に決定する。
【００８９】  任意選択で、準静的ＨＡＲＱ−ＡＣＫコードブックがＰＵＣＣＨ上で伝送される場合、同一ＰＵＣＣＨ上での同時伝送が必要な複数の下り伝送の準静的ＨＡＲＱ−ＡＣＫコードブックが存在すれば、前記複数の下り伝送をスケジューリングするＰＤＣＣＨにおけるＰＵＣＣＨリソース指示フィールドは、同じＰＵＣＣＨリソースを指示する。
【００９０】  上記第１、第２所定条件の説明について、上記の記載を参照し、ここでは繰り返して述べない。
【００９１】  図１２は、本開示の実施例に係る基地局１２００の構造図であり、プロセッサ１２０１と、トランシーバ１２０２と、メモリ１２０３と、バスインタフェースとを含む。ここで、本開示の実施例において、基地局１２００は、メモリ１２０３に格納されてプロセッサ１２０１で実行可能なコンピュータプログラムを更に含む。
【００９２】  前記トランシーバ１２０２は、目標下り伝送に対応するＨＡＲＱ−ＡＣＫフィードバック情報を含まない準静的ＨＡＲＱ−ＡＣＫコードブックを受信する。前記目標下り伝送は、処理遅延要件を満たさない第１下り伝送、及び、第１ＰＤＣＣＨの後の第２ＰＤＣＣＨに対応する第２下り伝送の少なくとも１つを含む。ここで、前記準静的ＨＡＲＱ−ＡＣＫコードブックは、前記第１ＰＤＣＣＨによってスケジューリングされるＰＵＳＣＨで伝送される。
【００９３】  ここで、前記第１下り伝送は、ＰＤＣＣＨによってスケジューリングされるＰＤＳＣＨ、ＳＰＳ  ＰＤＳＣＨ及びＳＰＳ  ＰＤＳＣＨリリースのうちの少なくとも１つを含み、前記第２下り伝送は、ＰＤＣＣＨによってスケジューリングされるＰＤＳＣＨ及びＳＰＳ  ＰＤＳＣＨリリースのうちの少なくとも１つを含む。
【００９４】  図１２において、バスアーキテクチャは、任意数の相互接続するバスとブリッジを含み、具体的に、プロセッサ１２０１をはじめとする１つ又は複数のプロセッサとメモリ１２０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１２０２は、複数の部品であってもよく、即ち送信機と受信機を含み、伝送媒体でほかの各種類の装置と通信するユニットとして提供される。
【００９５】  プロセッサ１２０１は、バスアーキテクチャと通常の処理を管理する。メモリ１２０３は、プロセッサ１２０１による操作実行に使用されるデータを記憶できる。
【００９６】  任意選択で、前記プロセッサ１２０１は、メモリの中のプログラムを読み取ることによって、前記準静的ＨＡＲＱ−ＡＣＫコードブックを受信する前に、前記準静的ＨＡＲＱ−ＡＣＫコードブックの長さを決定するプロセスを実行する。
【００９７】  任意選択で、前記プロセッサ１２０１は、更に、前記第１下り伝送に対応するＨＡＲＱ−ＡＣＫフィードバック情報が前記準静的ＨＡＲＱ−ＡＣＫコードブックに含まれない場合、第１所定条件を満たす下り伝送を前記第１下り伝送に決定し、又は、第２所定条件を満たす下り伝送を前記第１下り伝送に決定し、又は、前記第１所定条件又は前記第２所定条件を満たす下り伝送を前記第１下り伝送に決定し、又は、前記第１所定条件と前記第２所定条件とを同時に満たす下り伝送を前記第１下り伝送に決定する。
【００９８】  任意選択で、前記プロセッサ１２０１は、更に、準静的ＨＡＲＱ−ＡＣＫコードブックがＰＵＣＣＨ上で伝送される場合、同一ＰＵＣＣＨ上での同時伝送が必要な複数の下り伝送の準静的ＨＡＲＱ−ＡＣＫコードブックが存在すれば、前記複数の下り伝送をスケジューリングするＰＤＣＣＨにおけるＰＵＣＣＨリソース指示フィールドによって同じＰＵＣＣＨリソースを指示する。
【００９９】  上記第１、第２所定条件の説明について、上記の記載を参照し、ここでは繰り返して述べない。
【０１００】  図１３は、本開示の実施例に係る基地局１３０の別の構造を示す。図１３に示すように、該基地局１３０は、目標下り伝送に対応するＨＡＲＱ−ＡＣＫフィードバック情報を含まない準静的ＨＡＲＱ−ＡＣＫコードブックを受信する受信ユニット１３１を含む。前記目標下り伝送は、処理遅延要件を満たさない第１下り伝送、及び、第１ＰＤＣＣＨの後の第２ＰＤＣＣＨに対応する第２下り伝送の少なくとも１つを含む。ここで、前記準静的ＨＡＲＱ−ＡＣＫコードブックは、前記第１ＰＤＣＣＨによってスケジューリングされるＰＵＳＣＨで伝送される。
【０１０１】  任意選択で、上記基地局は、前記下り伝送に対応する準静的ＨＡＲＱ−ＡＣＫコードブックを受信する前に、下り伝送に対応する準静的ＨＡＲＱ−ＡＣＫコードブックの長さを決定する決定ユニットを更に含む。
【０１０２】  具体的には、上記決定ユニットは、更に、前記第１下り伝送に対応するＨＡＲＱ−ＡＣＫフィードバック情報が前記準静的ＨＡＲＱ−ＡＣＫコードブックに含まれない場合、更に、第１所定条件を満たす下り伝送を前記第１下り伝送に決定し、又は、第２所定条件を満たす下り伝送を前記第１下り伝送に決定し、又は、前記第１所定条件又は前記第２所定条件を満たす下り伝送を前記第１下り伝送に決定し、又は、前記第１所定条件と前記第２所定条件とを同時に満たす下り伝送を前記第１下り伝送に決定する。
【０１０３】  上記第１、第２所定条件の説明について、上記の記載を参照し、ここでは繰り返して述べない。
【０１０４】  本明細書に開示された実施例に記載の各例のユニット及びアルゴリズムのステップが、電子ハードウェア、又はコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【０１０５】  記載の便利や簡潔化のために、以上記載したシステム、装置及びユニットの具体的な動作プロセスは、前記方法実施例における対応プロセスを参照されたく、ここでは繰り返して記載しない。これは、当業者にとって自明である。
【０１０６】  本開示で提供される実施例において、開示された装置及び方法は、他の方式で実施されることを理解されたい。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各構成部分の相互間の結合や直接結合や通信接続は、インタフェース、装置又はユニットを介した間接結合や通信接続であってもよく、電気的、機械的、又は他の形式であってもよい。
【０１０７】  以上個別部品として説明したユニットは、物理的に離間したものであってもよく、そうでなくてもよい。ユニットとして示した部品は、物理ユニットであってもよく、そうでなくてもよい。即ち、一箇所に位置してもよく、複数のネットワークユニットに位置してもよい。実際の必要に応じてそのうちの一部又はすべてのユニットを選択して本開示の実施例の目的を実現する。
【０１０８】  また、本開示の各実施例における各機能的ユニットは、１つの処理ユニットに一体化されていてもよいし、物理的に別々に設けられていてもよいし、２つ以上が一体化されてもよい。
【０１０９】  前記機能は、ソフトウェア機能モジュールの形式で実現され独立した製品として販売又は使用される場合、コンピュータ読み取り可能な記憶媒体に格納されてもよい。このような理解に基づき、本開示の技術手段の実質的又は従来技術に貢献した部分、又は当該技術手段の部分は、ソフトウェアプロダクトの形式で現れる。当該コンピュータソフトウェアプロダクトは、記憶媒体に記憶され、本開示の各実施例に記載の方法のすべて又は一部のステップをコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ、ＲＡＭ、磁気ディスク又は光ディスクなど、プログラムコードを格納することができる様々な媒体を含む。
【０１１０】  以上の記載は、本開示の具体的な実施形態であるが、本開示の保護範囲は、これらに限定されない。当業者が本開示によって開示されている技術範囲内で容易に想到できる変化や置換は、すべて本開示の保護範囲内に含まれる。よって、本開示の保護範囲は、特許請求の範囲の保護範囲を基準とするべきである。
【図１】
2022500961.tif 000060
【図２】
2022500961.tif 000061
【図３】
2022500961.tif 000062
【図４】
2022500961.tif 000063
【図５】
2022500961.tif 000064
【図６】
2022500961.tif 000065
【図７】
2022500961.tif 000066
【図８】
2022500961.tif 000067
【図９】
2022500961.tif 000068
【図１０】
2022500961.tif 000069
【図１１】
2022500961.tif 000070
【図１２】
2022500961.tif 000071
【図１３】
2022500961.tif 000072
【手続補正書】
【提出日】令和3年4月5日(2021.4.5)
【手続補正１】
【補正対象書類名】特許請求の範囲
【補正対象項目名】全文
【補正方法】変更
【補正の内容】
【特許請求の範囲】
【請求項１】
端末に応用されるハイブリッド自動再送要求確認ＨＡＲＱ−ＡＣＫコードブックの伝送方法であって、
目標下り伝送に対応するＨＡＲＱ−ＡＣＫフィードバック情報を含まない準静的ＨＡＲＱ−ＡＣＫコードブックを送信することを含み、
前記目標下り伝送は、
処理遅延要件を満たさない第１下り伝送、及び、第１ＰＤＣＣＨの後の第２ＰＤＣＣＨに対応する第２下り伝送の少なくとも１つを含み、
ここで、前記準静的ＨＡＲＱ−ＡＣＫコードブックは、前記第１ＰＤＣＣＨによってスケジューリングされるＰＵＳＣＨで伝送される、ハイブリッド自動再送要求確認ＨＡＲＱ−ＡＣＫコードブックの伝送方法。
【請求項２】
前記第１下り伝送は、ＰＤＣＣＨによってスケジューリングされるＰＤＳＣＨ、ＳＰＳＰＤＳＣＨ及びＳＰＳ  ＰＤＳＣＨリリースのうちの少なくとも１つを含み、
前記第２下り伝送は、ＰＤＣＣＨによってスケジューリングされるＰＤＳＣＨ及びＳＰＳ  ＰＤＳＣＨリリースのうちの少なくとも１つを含む、請求項１に記載の伝送方法。
【請求項３】
前記第１下り伝送に対応するＨＡＲＱ−ＡＣＫフィードバック情報が前記準静的ＨＡＲＱ−ＡＣＫコードブックに含まれない場合、
第１所定条件を満たす下り伝送を前記第１下り伝送に決定し、
又は、第２所定条件を満たす下り伝送を前記第１下り伝送に決定し、
又は、前記第１所定条件又は前記第２所定条件を満たす下り伝送を前記第１下り伝送に決定し、
又は、前記第１所定条件と前記第２所定条件とを同時に満たす下り伝送を前記第１下り伝送に決定し、
前記第１所定条件は、
下り伝送の終了シンボルが、ＨＡＲＱ−ＡＣＫコードブックを乗せた上りチャネルの開始シンボルの開始位置からＴ１時間前の最初のシンボル、最初の下りシンボル又は最初のフレキシブルＦｌｅｘｉｂｌｅシンボルである第１基準シンボルよりも遅いことを含み、又は、下り伝送の終了シンボル又は終了時刻が、ＨＡＲＱ−ＡＣＫコードブックを乗せた上りチャネルの開始シンボルの開始位置からＴ１時間前の時刻である第１基準時刻よりも遅いことを含み、
又は、下り伝送の終了シンボル又は終了時刻と、ＨＡＲＱ−ＡＣＫを乗せた上りチャネルの開始シンボル又は開始時刻との時間間隔がＴ１時間よりも短いことを含み、
ここで、前記Ｔ１は、予め定義された値であり、又は、前記Ｔ１は、設定に応じて決定される値であり、又は、前記Ｔ１は、下り伝送によるＨＡＲＱ−ＡＣＫフィードバックの最小処理遅延であり、
前記第２所定条件は、
下り伝送に対応するＰＤＣＣＨの終了シンボルが、ＨＡＲＱ−ＡＣＫを乗せた上りチャネルの開始シンボルの開始位置からＴ２時間前の最初のシンボル、最初の下りシンボル又は最初のＦｌｅｘｉｂｌｅシンボルである第２基準シンボルよりも遅いことを含み、
又は、下り伝送に対応するＰＤＣＣＨの終了シンボル又は終了時刻が、ＨＡＲＱ−ＡＣＫを乗せた上りチャネルの開始シンボルの開始位置からＴ２時間前の時刻である第２基準時刻よりも遅いことを含み、
又は、下り伝送に対応するＰＤＣＣＨの終了シンボル又は終了時刻と、ＨＡＲＱ−ＡＣＫを乗せた上りチャネルの開始シンボル又は開始時刻との時間間隔がＴ２時間よりも短いことを含み、
ここで、前記Ｔ２は、予め定義された値であり、又は、前記Ｔ２は、設定に応じて決定される値であり、又は、前記Ｔ２は、１つの下り伝送のＨＡＲＱ−ＡＣＫと他の情報による多重伝送の最小処理遅延である、請求項１に記載の伝送方法。
【請求項４】
前記Ｔ１は、以下のいずれかの式に従って算出され、
2022500961.tif 000073
ここで、下り伝送がＰＤＣＣＨによってスケジューリングされるＰＤＳＣＨである場合、μ１は、ＰＤＳＣＨをスケジューリングするＰＤＣＣＨ、ＰＤＳＣＨ、及びＰＵＣＣＨのそれぞれに対応するサブキャリア間隔のうち最小のサブキャリア間隔の番号であり、又は、μ１は、ＰＤＳＣＨをスケジューリングするＰＤＣＣＨ、ＰＤＳＣＨ、及びＰＵＣＣＨのそれぞれに対応するサブキャリア間隔のうち最大のＴ１値が得られるサブキャリア間隔の番号であり、及び／又は、下り伝送がＳＰＳ  ＰＤＳＣＨリリースである場合、μ１は、ＳＰＳ  ＰＤＳＣＨリリースを指示するＰＤＣＣＨ、及びＰＵＣＣＨのそれぞれに対応するサブキャリア間隔のうち最小のサブキャリア間隔の番号であり、又は、μ１は、ＳＰＳ  ＰＤＳＣＨリリースを指示するＰＤＣＣＨ、及びＰＵＣＣＨのそれぞれに対応するサブキャリア間隔のうち最大のＴ１値が得られるサブキャリア間隔の番号であり、及び／又は、下り伝送がＳＰＳ  ＰＤＳＣＨである場合、μ１は、ＳＰＳ  ＰＤＳＣＨ、及びＰＵＣＣＨのそれぞれに対応するサブキャリア間隔のうち最小のサブキャリア間隔の番号であり、又は、μ１は、ＳＰＳ  ＰＤＳＣＨ、及びＰＵＣＣＨのそれぞれに対応するサブキャリア間隔のうち最大のＴ１値が得られるサブキャリア間隔の番号であり、
2022500961.tif 000074
κは、ＬＴＥシステムの基本時間単位とＮＲの基本時間単位との比率であり、あるいは、
前記Ｔ２は、準静的ＨＡＲＱ−ＡＣＫコードブックを乗せた上りチャネルがＰＵＣＣＨである場合、以下のいずれかの式に従って算出され、
2022500961.tif 000075
ここで、下り伝送がＰＤＣＣＨによってスケジューリングされるＰＤＳＣＨである場合、μ２は、ＰＤＳＣＨをスケジューリングするＰＤＣＣＨ、ＰＤＳＣＨ、及びＰＵＣＣＨのそれぞれに対応するサブキャリア間隔のうち最小のサブキャリア間隔の番号であり、又は、μ２は、ＰＤＳＣＨをスケジューリングするＰＤＣＣＨ、ＰＤＳＣＨ、及びＰＵＣＣＨのそれぞれに対応するサブキャリア間隔のうち最大のＴ２値が得られるサブキャリア間隔の番号であり、及び／又は、下り伝送がＳＰＳ  ＰＤＳＣＨリリースである場合、μ２は、ＳＰＳ  ＰＤＳＣＨリリースを指示するＰＤＣＣＨ、及びＰＵＣＣＨのそれぞれに対応するサブキャリア間隔のうち最小のサブキャリア間隔の番号であり、又は、μ２は、ＳＰＳ  ＰＤＳＣＨリリースを指示するＰＤＣＣＨ、及びＰＵＣＣＨのそれぞれに対応するサブキャリア間隔のうち最大のＴ２値が得られるサブキャリア間隔の番号であり、及び／又は、下り伝送がＳＰＳ  ＰＤＳＣＨである場合、μ２は、ＳＰＳ  ＰＤＳＣＨ、及びＰＵＣＣＨのそれぞれに対応するサブキャリア間隔のうち最小のサブキャリア間隔の番号であり、又は、μ２は、ＳＰＳ  ＰＤＳＣＨ、及びＰＵＣＣＨのそれぞれに対応するサブキャリア間隔のうち最大のＴ２値が得られるサブキャリア間隔の番号であり、
2022500961.tif 000076
下り伝送に対応するＰＤＣＣＨによって帯域幅部分ＢＷＰ切り替えをトリガーした場合、
2022500961.tif 000077
κは、ＬＴＥシステムの基本時間単位とＮＲの基本時間単位との比率であり、あるいは、
前記Ｔ２は、準静的ＨＡＲＱ−ＡＣＫコードブックを乗せた上りチャネルがＰＵＳＣＨである場合、以下のいずれかの式に従って算出され、
2022500961.tif 000078
ここで、μ３は、下り伝送に対応するＰＤＣＣＨ、ＰＵＣＣＨ、及びＰＵＳＣＨのそれぞれに対応するサブキャリア間隔のうち最小のサブキャリア間隔の番号であり、又は、μ３は、下り伝送に対応するＰＤＣＣＨ、ＰＵＣＣＨ、及びＰＵＳＣＨのそれぞれに対応するサブキャリア間隔のうち最大のＴ２値が得られるサブキャリア間隔の番号であり、
μ４は、下り伝送及び／又はＰＵＳＣＨに対応するＰＤＣＣＨ、ＰＵＣＣＨ、及びＰＵＳＣＨのそれぞれに対応するサブキャリア間隔のうち最小のサブキャリア間隔の番号であり、又は、μ４は、下り伝送及び／又はＰＵＳＣＨに対応するＰＤＣＣＨ、ＰＵＣＣＨ、及びＰＵＳＣＨのそれぞれに対応するサブキャリア間隔のうち最大のＴ２値が得られるサブキャリア間隔の番号であり、
μ５は、下り伝送及び／又はＰＵＳＣＨに対応するＰＤＣＣＨ、ＰＵＣＣＨ、ＰＵＳＣＨ、及びＰＵＳＣＨに対応するＰＤＣＣＨに対応するＡ−ＣＳＩ−ＲＳのそれぞれに対応するサブキャリア間隔のうち最小のサブキャリア間隔の番号であり、又は、μ５は、下り伝送及び／又はＰＵＳＣＨに対応するＰＤＣＣＨ、ＰＵＣＣＨ、ＰＵＳＣＨ、及びＰＵＳＣＨに対応するＰＤＣＣＨに対応する非周期的チャネル状態情報基準信号Ａ−ＣＳＩ−ＲＳのそれぞれに対応するサブキャリア間隔のうち最大のＴ２値が得られるサブキャリア間隔の番号であり、
2022500961.tif 000079
ＰＵＳＣＨに対応するＰＤＣＣＨによって帯域幅部分ＢＷＰ切り替えをトリガーした場
2022500961.tif 000080
Ｚは、非周期的チャネル状態情報Ａ−ＣＳＩに対応する遅延であり、
ｄは、ＰＤＣＣＨとスケジューリングされるＰＤＳＣＨとの間で重なるシンボル数であり、
2022500961.tif 000081
κは、ＬＴＥシステムの基本時間単位とＮＲの基本時間単位との比率である、請求項３に記載の伝送方法。
【請求項５】
基地局に応用されるハイブリッド自動再送要求確認ＨＡＲＱ−ＡＣＫコードブックの伝送方法であって、
目標下り伝送に対応するＨＡＲＱ−ＡＣＫフィードバック情報を含まない準静的ＨＡＲＱ−ＡＣＫコードブックを受信することを含み、
前記目標下り伝送は、
処理遅延要件を満たさない第１下り伝送、及び、第１ＰＤＣＣＨの後の第２ＰＤＣＣＨに対応する第２下り伝送の少なくとも１つを含み、
ここで、前記準静的ＨＡＲＱ−ＡＣＫコードブックは、前記第１ＰＤＣＣＨによってスケジューリングされるＰＵＳＣＨで伝送される、ハイブリッド自動再送要求確認ＨＡＲＱ−ＡＣＫコードブックの伝送方法。
【請求項６】
前記第１下り伝送は、ＰＤＣＣＨによってスケジューリングされるＰＤＳＣＨ、ＳＰＳＰＤＳＣＨ及びＳＰＳ  ＰＤＳＣＨリリースのうちの少なくとも１つを含み、
前記第２下り伝送は、ＰＤＣＣＨによってスケジューリングされるＰＤＳＣＨ及びＳＰＳ  ＰＤＳＣＨリリースのうちの少なくとも１つを含む、請求項５に記載の伝送方法。
【請求項７】
前記準静的ＨＡＲＱ−ＡＣＫコードブックを受信することの前に、
前記準静的ＨＡＲＱ−ＡＣＫコードブックの長さを決定することを更に含む、請求項５に記載の伝送方法。
【請求項８】
前記第１下り伝送に対応するＨＡＲＱ−ＡＣＫフィードバック情報が前記準静的ＨＡＲＱ−ＡＣＫコードブックに含まれない場合、更に、
第１所定条件を満たす下り伝送を前記第１下り伝送に決定し、
又は、第２所定条件を満たす下り伝送を前記第１下り伝送に決定し、
又は、前記第１所定条件又は前記第２所定条件を満たす下り伝送を前記第１下り伝送に決定し、
又は、前記第１所定条件と前記第２所定条件とを同時に満たす下り伝送を前記第１下り伝送に決定し、
前記第１所定条件は、
下り伝送の終了シンボルが、ＨＡＲＱ−ＡＣＫコードブックを乗せた上りチャネルの開始シンボルの開始位置からＴ１時間前の最初のシンボル、最初の下りシンボル又は最初のフレキシブルＦｌｅｘｉｂｌｅシンボルである第１基準シンボルよりも遅いことを含み、
又は、下り伝送の終了シンボル又は終了時刻が、ＨＡＲＱ−ＡＣＫコードブックを乗せた上りチャネルの開始シンボルの開始位置からＴ１時間前の時刻である第１基準時刻よりも遅いことを含み、
又は、下り伝送の終了シンボル又は終了時刻と、ＨＡＲＱ−ＡＣＫを乗せた上りチャネルの開始シンボル又は開始時刻との時間間隔がＴ１時間よりも短いことを含み、
ここで、前記Ｔ１は、予め定義された値であり、又は、前記Ｔ１は、設定に応じて決定される値であり、又は、前記Ｔ１は、下り伝送によるＨＡＲＱ−ＡＣＫフィードバックの最小処理遅延であり、
前記第２所定条件は、
下り伝送に対応するＰＤＣＣＨの終了シンボルが、ＨＡＲＱ−ＡＣＫを乗せた上りチャネルの開始シンボルの開始位置からＴ２時間前の最初のシンボル、最初の下りシンボル又は最初のＦｌｅｘｉｂｌｅシンボルである第２基準シンボルよりも遅いことを含み、
又は、下り伝送に対応するＰＤＣＣＨの終了シンボル又は終了時刻が、ＨＡＲＱ−ＡＣＫを乗せた上りチャネルの開始シンボルの開始位置からＴ２時間前の時刻である第２基準時刻よりも遅いことを含み、
又は、下り伝送に対応するＰＤＣＣＨの終了シンボル又は終了時刻と、ＨＡＲＱ−ＡＣＫを乗せた上りチャネルの開始シンボル又は開始時刻との時間間隔がＴ２時間よりも短いことを含み、
ここで、前記Ｔ２は、予め定義された値であり、又は、前記Ｔ２は、設定に応じて決定される値であり、又は、前記Ｔ２は、１つの下り伝送のＨＡＲＱ−ＡＣＫと他の情報による多重伝送の最小処理遅延である、請求項７に記載の伝送方法。
【請求項９】
前記Ｔ１は、以下のいずれかの式に従って算出され、
2022500961.tif 000082
ここで、下り伝送がＰＤＣＣＨによってスケジューリングされるＰＤＳＣＨである場合、μ１は、ＰＤＳＣＨをスケジューリングするＰＤＣＣＨ、ＰＤＳＣＨ、及びＰＵＣＣＨのそれぞれに対応するサブキャリア間隔のうち最小のサブキャリア間隔の番号であり、又は、μ１は、ＰＤＳＣＨをスケジューリングするＰＤＣＣＨ、ＰＤＳＣＨ、及びＰＵＣＣＨのそれぞれに対応するサブキャリア間隔のうち最大のＴ１値が得られるサブキャリア間隔の番号であり、及び／又は、下り伝送がＳＰＳ  ＰＤＳＣＨリリースである場合、μ１は、ＳＰＳ  ＰＤＳＣＨリリースを指示するＰＤＣＣＨ、及びＰＵＣＣＨのそれぞれに対応するサブキャリア間隔のうち最小のサブキャリア間隔の番号であり、又は、μ１は、ＳＰＳ  ＰＤＳＣＨリリースを指示するＰＤＣＣＨ、及びＰＵＣＣＨのそれぞれに対応するサブキャリア間隔のうち最大のＴ１値が得られるサブキャリア間隔の番号であり、及び／又は、下り伝送がＳＰＳ  ＰＤＳＣＨである場合、μ１は、ＳＰＳ  ＰＤＳＣＨ、及びＰＵＣＣＨのそれぞれに対応するサブキャリア間隔のうち最小のサブキャリア間隔の番号であり、又は、μ１は、ＳＰＳ  ＰＤＳＣＨ、及びＰＵＣＣＨのそれぞれに対応するサブキャリア間隔のうち最大のＴ１値が得られるサブキャリア間隔の番号であり、
2022500961.tif 000083
κは、ＬＴＥシステムの基本時間単位とＮＲの基本時間単位との比率であり、あるいは、
前記Ｔ２は、準静的ＨＡＲＱ−ＡＣＫコードブックを乗せた上りチャネルがＰＵＣＣＨである場合、以下のいずれかの式に従って算出され、
2022500961.tif 000084
ここで、下り伝送がＰＤＣＣＨによってスケジューリングされるＰＤＳＣＨである場合、μ２は、ＰＤＳＣＨをスケジューリングするＰＤＣＣＨ、ＰＤＳＣＨ、及びＰＵＣＣＨのそれぞれに対応するサブキャリア間隔のうち最小のサブキャリア間隔の番号であり、又は、μ２は、ＰＤＳＣＨをスケジューリングするＰＤＣＣＨ、ＰＤＳＣＨ、及びＰＵＣＣＨのそれぞれに対応するサブキャリア間隔のうち最大のＴ２値が得られるサブキャリア間隔の番号であり、及び／又は、下り伝送がＳＰＳ  ＰＤＳＣＨリリースである場合、μ２は、ＳＰＳ  ＰＤＳＣＨリリースを指示するＰＤＣＣＨ、及びＰＵＣＣＨのそれぞれに対応するサブキャリア間隔のうち最小のサブキャリア間隔の番号であり、又は、μ２は、ＳＰＳ  ＰＤＳＣＨリリースを指示するＰＤＣＣＨ、及びＰＵＣＣＨのそれぞれに対応するサブキャリア間隔のうち最大のＴ２値が得られるサブキャリア間隔の番号であり、及び／又は、下り伝送がＳＰＳ  ＰＤＳＣＨである場合、μ２は、ＳＰＳ  ＰＤＳＣＨ、及びＰＵＣＣＨのそれぞれに対応するサブキャリア間隔のうち最小のサブキャリア間隔の番号であり、又は、μ２は、ＳＰＳ  ＰＤＳＣＨ、及びＰＵＣＣＨのそれぞれに対応するサブキャリア間隔のうち最大のＴ２値が得られるサブキャリア間隔の番号であり、
2022500961.tif 000085
下り伝送に対応するＰＤＣＣＨによって帯域幅部分ＢＷＰ切り替えをトリガーした場合、
2022500961.tif 000086
κは、ＬＴＥシステムの基本時間単位とＮＲの基本時間単位との比率であり、あるいは、
前記Ｔ２は、準静的ＨＡＲＱ−ＡＣＫコードブックを乗せた上りチャネルがＰＵＳＣＨである場合、以下のいずれかの式に従って算出され、
2022500961.tif 000087
ここで、μ３は、下り伝送に対応するＰＤＣＣＨ、ＰＵＣＣＨ、及びＰＵＳＣＨのそれぞれに対応するサブキャリア間隔のうち最小のサブキャリア間隔の番号であり、又は、μ３は、下り伝送に対応するＰＤＣＣＨ、ＰＵＣＣＨ、及びＰＵＳＣＨのそれぞれに対応するサブキャリア間隔のうち最大のＴ２値が得られるサブキャリア間隔の番号であり、
μ４は、下り伝送及び／又はＰＵＳＣＨに対応するＰＤＣＣＨ、ＰＵＣＣＨ、及びＰＵＳＣＨのそれぞれに対応するサブキャリア間隔のうち最小のサブキャリア間隔の番号であり、又は、μ４は、下り伝送及び／又はＰＵＳＣＨに対応するＰＤＣＣＨ、ＰＵＣＣＨ、及びＰＵＳＣＨのそれぞれに対応するサブキャリア間隔のうち最大のＴ２値が得られるサブキャリア間隔の番号であり、
μ５は、下り伝送及び／又はＰＵＳＣＨに対応するＰＤＣＣＨ、ＰＵＣＣＨ、ＰＵＳＣＨ、及びＰＵＳＣＨに対応するＰＤＣＣＨに対応するＡ−ＣＳＩ−ＲＳのそれぞれに対応するサブキャリア間隔のうち最小のサブキャリア間隔の番号であり、又は、μ５は、下り伝送及び／又はＰＵＳＣＨに対応するＰＤＣＣＨ、ＰＵＣＣＨ、ＰＵＳＣＨ、及びＰＵＳＣＨに対応するＰＤＣＣＨに対応する非周期的チャネル状態情報基準信号Ａ−ＣＳＩ−ＲＳのそれぞれに対応するサブキャリア間隔のうち最大のＴ２値が得られるサブキャリア間隔の番号であり、
2022500961.tif 000088
ＰＵＳＣＨに対応するＰＤＣＣＨによって帯域幅部分ＢＷＰ切り替えをトリガーした場
2022500961.tif 000089
Ｚは、非周期的チャネル状態情報Ａ−ＣＳＩに対応する遅延であり、
ｄは、ＰＤＣＣＨとスケジューリングされるＰＤＳＣＨとの間で重なるシンボル数であり、
2022500961.tif 000090
κは、ＬＴＥシステムの基本時間単位とＮＲの基本時間単位との比率である、請求項８に記載の伝送方法。
【請求項１０】
目標下り伝送に対応するＨＡＲＱ−ＡＣＫフィードバック情報を含まない準静的ＨＡＲＱ−ＡＣＫコードブックを送信する送信ユニットを含み、
前記目標下り伝送は、
処理遅延要件を満たさない第１下り伝送、及び、第１ＰＤＣＣＨの後の第２ＰＤＣＣＨに対応する第２下り伝送の少なくとも１つを含み、
ここで、前記準静的ＨＡＲＱ−ＡＣＫコードブックは、前記第１ＰＤＣＣＨによってスケジューリングされるＰＵＳＣＨで伝送される、端末。
【請求項１１】
前記第１下り伝送に対応するＨＡＲＱ−ＡＣＫフィードバック情報が前記準静的ＨＡＲＱ−ＡＣＫコードブックに含まれない場合、
第１所定条件を満たす下り伝送を前記第１下り伝送に決定し、
又は、第２所定条件を満たす下り伝送を前記第１下り伝送に決定し、
又は、前記第１所定条件又は前記第２所定条件を満たす下り伝送を前記第１下り伝送に決定し、
又は、前記第１所定条件と前記第２所定条件とを同時に満たす下り伝送を前記第１下り伝送に決定する決定ユニットを含み、
前記第１所定条件は、
下り伝送の終了シンボルが、ＨＡＲＱ−ＡＣＫコードブックを乗せた上りチャネルの開始シンボルの開始位置からＴ１時間前の最初のシンボル、最初の下りシンボル又は最初のフレキシブルＦｌｅｘｉｂｌｅシンボルである第１基準シンボルよりも遅いことを含み、
又は、下り伝送の終了シンボル又は終了時刻が、ＨＡＲＱ−ＡＣＫコードブックを乗せた上りチャネルの開始シンボルの開始位置からＴ１時間前の時刻である第１基準時刻よりも遅いことを含み、
又は、下り伝送の終了シンボル又は終了時刻と、ＨＡＲＱ−ＡＣＫを乗せた上りチャネルの開始シンボル又は開始時刻との時間間隔がＴ１時間よりも短いことを含み、
ここで、前記Ｔ１は、予め定義された値であり、又は、前記Ｔ１は、設定に応じて決定される値であり、又は、前記Ｔ１は、下り伝送によるＨＡＲＱ−ＡＣＫフィードバックの最小処理遅延であり、
前記第２所定条件は、
下り伝送に対応するＰＤＣＣＨの終了シンボルが、ＨＡＲＱ−ＡＣＫを乗せた上りチャネルの開始シンボルの開始位置からＴ２時間前の最初のシンボル、最初の下りシンボル又は最初のＦｌｅｘｉｂｌｅシンボルである第２基準シンボルよりも遅いことを含み、
又は、下り伝送に対応するＰＤＣＣＨの終了シンボル又は終了時刻が、ＨＡＲＱ−ＡＣＫを乗せた上りチャネルの開始シンボルの開始位置からＴ２時間前の時刻である第２基準時刻よりも遅いことを含み、
又は、下り伝送に対応するＰＤＣＣＨの終了シンボル又は終了時刻と、ＨＡＲＱ−ＡＣＫを乗せた上りチャネルの開始シンボル又は開始時刻との時間間隔がＴ２時間よりも短いことを含み、
ここで、前記Ｔ２は、予め定義された値であり、又は、前記Ｔ２は、設定に応じて決定される値であり、又は、前記Ｔ２は、１つの下り伝送のＨＡＲＱ−ＡＣＫと他の情報による多重伝送の最小処理遅延である、請求項１０に記載の端末。
【請求項１２】
前記Ｔ１は、以下のいずれかの式に従って算出され、
2022500961.tif 000091
ここで、下り伝送がＰＤＣＣＨによってスケジューリングされるＰＤＳＣＨである場合、μ１は、ＰＤＳＣＨをスケジューリングするＰＤＣＣＨ、ＰＤＳＣＨ、及びＰＵＣＣＨのそれぞれに対応するサブキャリア間隔のうち最小のサブキャリア間隔の番号であり、又は、μ１は、ＰＤＳＣＨをスケジューリングするＰＤＣＣＨ、ＰＤＳＣＨ、及びＰＵＣＣＨのそれぞれに対応するサブキャリア間隔のうち最大のＴ１値が得られるサブキャリア間隔の番号であり、及び／又は、下り伝送がＳＰＳ  ＰＤＳＣＨリリースである場合、μ１は、ＳＰＳ  ＰＤＳＣＨリリースを指示するＰＤＣＣＨ、及びＰＵＣＣＨのそれぞれに対応するサブキャリア間隔のうち最小のサブキャリア間隔の番号であり、又は、μ１は、ＳＰＳ  ＰＤＳＣＨリリースを指示するＰＤＣＣＨ、及びＰＵＣＣＨのそれぞれに対応するサブキャリア間隔のうち最大のＴ１値が得られるサブキャリア間隔の番号であり、及び／又は、下り伝送がＳＰＳ  ＰＤＳＣＨである場合、μ１は、ＳＰＳ  ＰＤＳＣＨ、及びＰＵＣＣＨのそれぞれに対応するサブキャリア間隔のうち最小のサブキャリア間隔の番号であり、又は、μ１は、ＳＰＳ  ＰＤＳＣＨ、及びＰＵＣＣＨのそれぞれに対応するサブキャリア間隔のうち最大のＴ１値が得られるサブキャリア間隔の番号であり、
2022500961.tif 000092
κは、ＬＴＥシステムの基本時間単位とＮＲの基本時間単位との比率であり、あるいは、
前記Ｔ２は、準静的ＨＡＲＱ−ＡＣＫコードブックを乗せた上りチャネルがＰＵＣＣＨである場合、以下のいずれかの式に従って算出され、
2022500961.tif 000093
ここで、下り伝送がＰＤＣＣＨによってスケジューリングされるＰＤＳＣＨである場合、μ２は、ＰＤＳＣＨをスケジューリングするＰＤＣＣＨ、ＰＤＳＣＨ、及びＰＵＣＣＨのそれぞれに対応するサブキャリア間隔のうち最小のサブキャリア間隔の番号であり、又は、μ２は、ＰＤＳＣＨをスケジューリングするＰＤＣＣＨ、ＰＤＳＣＨ、及びＰＵＣＣＨのそれぞれに対応するサブキャリア間隔のうち最大のＴ２値が得られるサブキャリア間隔の番号であり、及び／又は、下り伝送がＳＰＳ  ＰＤＳＣＨリリースである場合、μ２は、ＳＰＳ  ＰＤＳＣＨリリースを指示するＰＤＣＣＨ、及びＰＵＣＣＨのそれぞれに対応するサブキャリア間隔のうち最小のサブキャリア間隔の番号であり、又は、μ２は、ＳＰＳ  ＰＤＳＣＨリリースを指示するＰＤＣＣＨ、及びＰＵＣＣＨのそれぞれに対応するサブキャリア間隔のうち最大のＴ２値が得られるサブキャリア間隔の番号であり、及び／又は、下り伝送がＳＰＳ  ＰＤＳＣＨである場合、μ２は、ＳＰＳ  ＰＤＳＣＨ、及びＰＵＣＣＨのそれぞれに対応するサブキャリア間隔のうち最小のサブキャリア間隔の番号であり、又は、μ２は、ＳＰＳ  ＰＤＳＣＨ、及びＰＵＣＣＨのそれぞれに対応するサブキャリア間隔のうち最大のＴ２値が得られるサブキャリア間隔の番号であり、
2022500961.tif 000094
下り伝送に対応するＰＤＣＣＨによって帯域幅部分ＢＷＰ切り替えをトリガーした場合、
2022500961.tif 000095
κは、ＬＴＥシステムの基本時間単位とＮＲの基本時間単位との比率であり、あるいは、
前記Ｔ２は、準静的ＨＡＲＱ−ＡＣＫコードブックを乗せた上りチャネルがＰＵＳＣＨである場合、以下のいずれかの式に従って算出され、
2022500961.tif 000096
ここで、μ３は、下り伝送に対応するＰＤＣＣＨ、ＰＵＣＣＨ、及びＰＵＳＣＨのそれぞれに対応するサブキャリア間隔のうち最小のサブキャリア間隔の番号であり、又は、μ３は、下り伝送に対応するＰＤＣＣＨ、ＰＵＣＣＨ、及びＰＵＳＣＨのそれぞれに対応するサブキャリア間隔のうち最大のＴ２値が得られるサブキャリア間隔の番号であり、
μ４は、下り伝送及び／又はＰＵＳＣＨに対応するＰＤＣＣＨ、ＰＵＣＣＨ、及びＰＵＳＣＨのそれぞれに対応するサブキャリア間隔のうち最小のサブキャリア間隔の番号であり、又は、μ４は、下り伝送及び／又はＰＵＳＣＨに対応するＰＤＣＣＨ、ＰＵＣＣＨ、及びＰＵＳＣＨのそれぞれに対応するサブキャリア間隔のうち最大のＴ２値が得られるサブキャリア間隔の番号であり、
μ５は、下り伝送及び／又はＰＵＳＣＨに対応するＰＤＣＣＨ、ＰＵＣＣＨ、ＰＵＳＣＨ、及びＰＵＳＣＨに対応するＰＤＣＣＨに対応するＡ−ＣＳＩ−ＲＳのそれぞれに対応するサブキャリア間隔のうち最小のサブキャリア間隔の番号であり、又は、μ５は、下り伝送及び／又はＰＵＳＣＨに対応するＰＤＣＣＨ、ＰＵＣＣＨ、ＰＵＳＣＨ、及びＰＵＳＣＨに対応するＰＤＣＣＨに対応する非周期的チャネル状態情報基準信号Ａ−ＣＳＩ−ＲＳのそれぞれに対応するサブキャリア間隔のうち最大のＴ２値が得られるサブキャリア間隔の番号であり、
2022500961.tif 000097
ＰＵＳＣＨに対応するＰＤＣＣＨによって帯域幅部分ＢＷＰ切り替えをトリガーした場
2022500961.tif 000098
Ｚは、非周期的チャネル状態情報Ａ−ＣＳＩに対応する遅延であり、
ｄは、ＰＤＣＣＨとスケジューリングされるＰＤＳＣＨとの間で重なるシンボル数であり、
2022500961.tif 000099
κは、ＬＴＥシステムの基本時間単位とＮＲの基本時間単位との比率である、請求項１１に記載の端末。
【請求項１３】
目標下り伝送に対応するＨＡＲＱ−ＡＣＫフィードバック情報を含まない準静的ＨＡＲＱ−ＡＣＫコードブックを受信する受信ユニットを含み、
前記目標下り伝送は、
処理遅延要件を満たさない第１下り伝送、及び、第１ＰＤＣＣＨの後の第２ＰＤＣＣＨに対応する第２下り伝送の少なくとも１つを含み、
ここで、前記準静的ＨＡＲＱ−ＡＣＫコードブックは、前記第１ＰＤＣＣＨによってスケジューリングされるＰＵＳＣＨで伝送される、基地局。
【請求項１４】
下り伝送に対応する前記準静的ＨＡＲＱ−ＡＣＫコードブックを受信することの前に、前記準静的ＨＡＲＱ−ＡＣＫコードブックの長さを決定する決定ユニットを更に含む、請求項１３に記載の基地局。
【請求項１５】
前記決定ユニットは、
前記第１下り伝送に対応するＨＡＲＱ−ＡＣＫフィードバック情報が前記準静的ＨＡＲＱ−ＡＣＫコードブックに含まれない場合、
第１所定条件を満たす下り伝送を前記第１下り伝送に決定し、
又は、第２所定条件を満たす下り伝送を前記第１下り伝送に決定し、
又は、前記第１所定条件又は前記第２所定条件を満たす下り伝送を前記第１下り伝送に決定し、
又は、前記第１所定条件と前記第２所定条件とを同時に満たす下り伝送を前記第１下り伝送に決定し、
前記第１所定条件は、
下り伝送の終了シンボルが、ＨＡＲＱ−ＡＣＫコードブックを乗せた上りチャネルの開始シンボルの開始位置からＴ１時間前の最初のシンボル、最初の下りシンボル又は最初のフレキシブルＦｌｅｘｉｂｌｅシンボルである第１基準シンボルよりも遅いことを含み、
又は、下り伝送の終了シンボル又は終了時刻が、ＨＡＲＱ−ＡＣＫコードブックを乗せた上りチャネルの開始シンボルの開始位置からＴ１時間前の時刻である第１基準時刻よりも遅いことを含み、
又は、下り伝送の終了シンボル又は終了時刻と、ＨＡＲＱ−ＡＣＫを乗せた上りチャネルの開始シンボル又は開始時刻との時間間隔がＴ１時間よりも短いことを含み、
ここで、前記Ｔ１は、予め定義された値であり、又は、前記Ｔ１は、設定に応じて決定される値であり、又は、前記Ｔ１は、下り伝送によるＨＡＲＱ−ＡＣＫフィードバックの最小処理遅延であり、
前記第２所定条件は、
下り伝送に対応するＰＤＣＣＨの終了シンボルが、ＨＡＲＱ−ＡＣＫを乗せた上りチャネルの開始シンボルの開始位置からＴ２時間前の最初のシンボル、最初の下りシンボル又は最初のＦｌｅｘｉｂｌｅシンボルである第２基準シンボルよりも遅いことを含み、
又は、下り伝送に対応するＰＤＣＣＨの終了シンボル又は終了時刻が、ＨＡＲＱ−ＡＣＫを乗せた上りチャネルの開始シンボルの開始位置からＴ２時間前の時刻である第２基準時刻よりも遅いことを含み、
又は、下り伝送に対応するＰＤＣＣＨの終了シンボル又は終了時刻と、ＨＡＲＱ−ＡＣＫを乗せた上りチャネルの開始シンボル又は開始時刻との時間間隔がＴ２時間よりも短いことを含み、
ここで、前記Ｔ２は、予め定義された値であり、又は、前記Ｔ２は、設定に応じて決定される値であり、又は、前記Ｔ２は、１つの下り伝送のＨＡＲＱ−ＡＣＫと他の情報による多重伝送の最小処理遅延である、請求項１４に記載の基地局。
【請求項１６】
前記Ｔ１は、以下のいずれかの式に従って算出され、
2022500961.tif 000100
ここで、下り伝送がＰＤＣＣＨによってスケジューリングされるＰＤＳＣＨである場合、μ１は、ＰＤＳＣＨをスケジューリングするＰＤＣＣＨ、ＰＤＳＣＨ、及びＰＵＣＣＨのそれぞれに対応するサブキャリア間隔のうち最小のサブキャリア間隔の番号であり、又は、μ１は、ＰＤＳＣＨをスケジューリングするＰＤＣＣＨ、ＰＤＳＣＨ、及びＰＵＣＣＨのそれぞれに対応するサブキャリア間隔のうち最大のＴ１値が得られるサブキャリア間隔の番号であり、及び／又は、下り伝送がＳＰＳ  ＰＤＳＣＨリリースである場合、μ１は、ＳＰＳ  ＰＤＳＣＨリリースを指示するＰＤＣＣＨ、及びＰＵＣＣＨのそれぞれに対応するサブキャリア間隔のうち最小のサブキャリア間隔の番号であり、又は、μ１は、ＳＰＳ  ＰＤＳＣＨリリースを指示するＰＤＣＣＨ、及びＰＵＣＣＨのそれぞれに対応するサブキャリア間隔のうち最大のＴ１値が得られるサブキャリア間隔の番号であり、及び／又は、下り伝送がＳＰＳ  ＰＤＳＣＨである場合、μ１は、ＳＰＳ  ＰＤＳＣＨ、及びＰＵＣＣＨのそれぞれに対応するサブキャリア間隔のうち最小のサブキャリア間隔の番号であり、又は、μ１は、ＳＰＳ  ＰＤＳＣＨ、及びＰＵＣＣＨのそれぞれに対応するサブキャリア間隔のうち最大のＴ１値が得られるサブキャリア間隔の番号であり、
2022500961.tif 000101
κは、ＬＴＥシステムの基本時間単位とＮＲの基本時間単位との比率であり、あるいは、
前記Ｔ２は、準静的ＨＡＲＱ−ＡＣＫコードブックを乗せた上りチャネルがＰＵＣＣＨである場合、以下のいずれかの式に従って算出され、
2022500961.tif 000102
ここで、下り伝送がＰＤＣＣＨによってスケジューリングされるＰＤＳＣＨである場合、μ２は、ＰＤＳＣＨをスケジューリングするＰＤＣＣＨ、ＰＤＳＣＨ、及びＰＵＣＣＨのそれぞれに対応するサブキャリア間隔のうち最小のサブキャリア間隔の番号であり、又は、μ２は、ＰＤＳＣＨをスケジューリングするＰＤＣＣＨ、ＰＤＳＣＨ、及びＰＵＣＣＨのそれぞれに対応するサブキャリア間隔のうち最大のＴ２値が得られるサブキャリア間隔の番号であり、及び／又は、下り伝送がＳＰＳ  ＰＤＳＣＨリリースである場合、μ２は、ＳＰＳ  ＰＤＳＣＨリリースを指示するＰＤＣＣＨ、及びＰＵＣＣＨのそれぞれに対応するサブキャリア間隔のうち最小のサブキャリア間隔の番号であり、又は、μ２は、ＳＰＳ  ＰＤＳＣＨリリースを指示するＰＤＣＣＨ、及びＰＵＣＣＨのそれぞれに対応するサブキャリア間隔のうち最大のＴ２値が得られるサブキャリア間隔の番号であり、及び／又は、下り伝送がＳＰＳ  ＰＤＳＣＨである場合、μ２は、ＳＰＳ  ＰＤＳＣＨ、及びＰＵＣＣＨのそれぞれに対応するサブキャリア間隔のうち最小のサブキャリア間隔の番号であり、又は、μ２は、ＳＰＳ  ＰＤＳＣＨ、及びＰＵＣＣＨのそれぞれに対応するサブキャリア間隔のうち最大のＴ２値が得られるサブキャリア間隔の番号であり、
2022500961.tif 000103
下り伝送に対応するＰＤＣＣＨによって帯域幅部分ＢＷＰ切り替えをトリガーした場合、
2022500961.tif 000104
κは、ＬＴＥシステムの基本時間単位とＮＲの基本時間単位との比率であり、あるいは、
前記Ｔ２は、準静的ＨＡＲＱ−ＡＣＫコードブックを乗せた上りチャネルがＰＵＳＣＨである場合、以下のいずれかの式に従って算出され、
2022500961.tif 000105
ここで、μ３は、下り伝送に対応するＰＤＣＣＨ、ＰＵＣＣＨ、及びＰＵＳＣＨのそれぞれに対応するサブキャリア間隔のうち最小のサブキャリア間隔の番号であり、又は、μ３は、下り伝送に対応するＰＤＣＣＨ、ＰＵＣＣＨ、及びＰＵＳＣＨのそれぞれに対応するサブキャリア間隔のうち最大のＴ２値が得られるサブキャリア間隔の番号であり、
μ４は、下り伝送及び／又はＰＵＳＣＨに対応するＰＤＣＣＨ、ＰＵＣＣＨ、及びＰＵＳＣＨのそれぞれに対応するサブキャリア間隔のうち最小のサブキャリア間隔の番号であり、又は、μ４は、下り伝送及び／又はＰＵＳＣＨに対応するＰＤＣＣＨ、ＰＵＣＣＨ、及びＰＵＳＣＨのそれぞれに対応するサブキャリア間隔のうち最大のＴ２値が得られるサブキャリア間隔の番号であり、
μ５は、下り伝送及び／又はＰＵＳＣＨに対応するＰＤＣＣＨ、ＰＵＣＣＨ、ＰＵＳＣＨ、及びＰＵＳＣＨに対応するＰＤＣＣＨに対応するＡ−ＣＳＩ−ＲＳのそれぞれに対応するサブキャリア間隔のうち最小のサブキャリア間隔の番号であり、又は、μ５は、下り伝送及び／又はＰＵＳＣＨに対応するＰＤＣＣＨ、ＰＵＣＣＨ、ＰＵＳＣＨ、及びＰＵＳＣＨに対応するＰＤＣＣＨに対応する非周期的チャネル状態情報基準信号Ａ−ＣＳＩ−ＲＳのそれぞれに対応するサブキャリア間隔のうち最大のＴ２値が得られるサブキャリア間隔の番号であり、
2022500961.tif 000106
ＰＵＳＣＨに対応するＰＤＣＣＨによって帯域幅部分ＢＷＰ切り替えをトリガーした場
2022500961.tif 000107
Ｚは、非周期的チャネル状態情報Ａ−ＣＳＩに対応する遅延であり、
ｄは、ＰＤＣＣＨとスケジューリングされるＰＤＳＣＨとの間で重なるシンボル数であり、
2022500961.tif 000108
κは、ＬＴＥシステムの基本時間単位とＮＲの基本時間単位との比率である、請求項１５に記載の基地局。
【国際調査報告】
2022500961.tif 000109
2022500961.tif 000110
2022500961.tif 000111
2022500961.tif 000112
2022500961.tif 000113
2022500961.tif 000114